(57)【特許請求の範囲】
【請求項１】
個人の２以上の身体部位の電気的及び／又は磁気的性質の固有の内部の特徴の比を含むバイオメトリック署名の比較により個人を認証して個人のアクションを許可する装置であって、提示された身体部位の現在のバイオメトリック署名を発生させるバイオメトリック署名発生機構、少なくとも１つのバイオメトリック署名を含むバイオメトリック署名データベース、提示されたバイオメトリック署名とバイオメトリック署名データベースを比較して個人の認証を決定する比較機構、及び認証がされるとアクションを許可する許可機構を含んで成る、個人を認証して個人のアクションを許可する装置。
【請求項２】
個人の非特定的な肉体的特徴を検知して追加的に個人の生死（ｖｉａｂｉｌｉｔｙ）を判定する手段を含んでいる、請求項１に記載の装置。
【請求項３】
固有のバイオメトリック署名及び非特定的特徴の両方を感知する手段として単一のセンサを含む、請求項２に記載の装置。
【請求項４】
個人が触れると提示されたバイオメトリック署名を生成する複数のセンサを有するカード、及びカードを読み取り個人からバイオメトリック署名を認識するカード読取り装置を含んで成る感知機構を有する、請求項１〜３のいずれか１項に記載の装置。
【請求項５】
前記読取り装置が、現在のバイオメトリック署名を既知のバイオメトリック署名と比較して個人を認識するマイクロプロセッサを含む、請求項４に記載の装置。
【請求項６】
個人の２以上の身体部位の電気的及び／又は磁気的性質の固有の内部の特徴の比を含むバイオメトリック署名の比較により個人を認証して個人のアクションを許可する方法であって、個人の提示された身体部位から発出されるエネルギーを感知して個人の提示されたバイオメトリック署名を測定するステップ、提示されたバイオメトリック署名を少なくとも１つの既知のバイオメトリック署名を含むデータベースと比較して個人の認証を決定するステップ、及び認証がされるとアクションを許可するステップを含む、個人を認証して個人のアクションを許可する方法。
【請求項７】
前記アクションが挿入キー及びキー挿入のロックを有する区域へのアクセスであり、キー挿入と個人のバイオメトリック署名比較による認証がされると区域への進入を可能にするステップを含む、請求項６に記載の方法。
【請求項８】
前記アクションがバイオメトリック署名比較により個人を認証したとき制御信号を生成しリモートコントローラに送ることである、請求項６に記載の方法。
【発明の詳細な説明】
【０００１】
発明の分野
本発明は一般に、個々の生体の独特のエネルギー特徴の検出に関する。より特定的には、本発明は、独特の特徴を用いてセンサーにより個人の独特の電気及び／又は磁気及び／又は音響特徴を検知することにより獲得した個人のバイオメトリック署名に基づく生体のバイオメトリック認識に関する。この方法での個人の認識によって該個人は１つのアクションを実施することができるようになる。
【０００２】
発明の背景
個人的識別番号又はパスワードといったような磁気カード内に符号化されたメモリデータに基づく機密保護方法は、今日のビジネス、産業及び政府関係の社会において広く用いられている。電子取引及び確認の増加に伴い、カードの紛失や盗難、及び識別番号又はパスワードを忘れたり共有したり又は見られたりする件数も増大してきた。磁気カードは不正行為又は盗難に対する安全性をほとんど提供しておらず、指紋、虹彩色素パターン及び盲網紋といったような独特の外部的な検出可能な個人の肉体的解剖学特性、又は筆蹟及び声紋といったような外部的挙動特性に基づくより安全な自動的認識方法を開発することに向かう動きが見られてきた。バイオメトリクスとして知られているかかる技術は、その個人に独特の特徴によって１人の人物を識別することにより認識システムの信頼性を増大させる上で有効である。いくつかの代表的技術としては、指紋認識、外的な個人的皮膚パターン、手の幾何形状、個人的な手の形状又は大きさ、網膜走査、眼の網膜内のその人に独特の血管配置の規定、声による確認、個人の全く異なる音波の弁別及び署名の確認などが含まれる。
【０００３】
バイオメトリック認識利用分野の用途としては、制限された部域又はデバイスへの物理的アクセスの規制、及びさまざまな政府、民間及び公共機関により使用される要注意の情報を収納するコンピュータシステムへのアクセスの規制が含まれる。さらに、法律施行の利用分野としては、自宅拘禁、仮釈放プログラム及び刑務所又は拘置所内への物理的アクセスが含まれる。同様に、米国政府恩給事業は、不正行為を阻止するためにかかるシステムつまり自動指紋識別システム（ＡＦＩＳ）に依存している。
【０００４】
バイオメトリック認識は、整合を求めて母集団データベースをサーチすることによって登録された母集団全体から一人の人物をバイオメトリックシステムが識別する「識別モード」で使用可能である。バイオメトリック認識システムは同様に、システムがバイオメトリックデータの以前に登録されたパターンを比較することによって一人の人物の請求されたアイデンティティを認証する「確認モード」ででも使用可能である。数多くの現在のバイオメトリック利用分野においては、識別モード又は認識モードのいずれにおいても不精確である余地は全く存在しない。
【０００５】
現在市販されているバイオメトリック方法及びシステムは、例えば指紋、虹彩パターン、手の幾何形状及び血管パターンといったような外部的に可視的な弁別特徴しか識別に利用しないことから、制限されている。最も広く用いられているバイオメトリック方法は、指紋識別であるが、これは、走査対象の指紋上の汚れ、湿気及び油脂分に起因する偽陰性識別を含めたいくつかの問題点に悩まされている。さらに、摩耗による隆起構造の低下又は外傷に起因して指紋隆起パターンの詳細部が不充分である人もいる。さらに重要なことに、中には、個人情報のプライバシーが守られないことが多くなっているため、自らの指紋が記憶されるのを嫌がる人もいる。
【０００６】
現在使用されているその他の技術には、現在数多くの銀行システム内で導入されている虹彩色素パターン及び網膜走査などが含まれる。しかしながら、これらは、眼を電磁放射線にさらすことのもつ未知の健康上の危険性のため、異論の多いものである。
【０００７】
現在のバイオメトリック認識システムのもう１つの制限は、外部の肉体的特長を写真撮影、コピー又は盗用することが比較的容易にできるという点にある。外部的特徴をコピーすることが容易であるため、指紋、眼の走査及びその他のバイオメトリックパターンの無許可の複製が可能となる。カメラ、ビデオ、レーザー及び合成重合体の進歩に伴って、特定の個人の必須の独特の肉体的パターン及び形質を用いて、偽造の人体を作り出す技術が利用可能である。出入りのために、提示された独特の皮膚又は身体部分の確認を必要とする高レベルのセキュリティシステムにおいては、偽造モデルを製造してかくして機密保護された施設内への無許可の進入を可能にすることができる。これらの複製能力はさらに精巧で、よりコストが安く、容易に利用可能になってきたため、識別目的で提供された身体部分が偽造の複製であるかさらには許可された個人の切断され生命のない体の一部分であるかを確認する必要性がより大きいものとなっている。
【０００８】
米国特許第５,７１９,９５０号は、血中酸素レベルといったような非特定的特徴と相関させて指紋といった個人の外部の特定的特徴を確認することにより、１人の人物のアイデンティティを確認できるということを示唆している。この方法は有効であるものの、なおも個人の確認のために外部的特徴に頼っている。しかしながら、本発明は、１人の個人のアイデンティティ及び生死の確認のため独特の内部的特徴を利用するための装置及び方法に向けられている。同様に、前記特許により必要とされている機器は、アイデンティティが確認される前にチェックすべきより多くの変数を導入する２重の動作を有することから、複雑になっている。この複雑化は、両方の動作を行なうために単一のセンサーを用いることによって本発明においては回避されている。
【０００９】
現在のバイオメトリックシステムは、サイズ的にも制限されている。例えば、指紋スキャナは、少なくともそれが走査している指紋と同じ位の大きさでなくてはならない。その他の制限としては、一部のシステムの成形性及び可とう性の欠如があり、このことは可とう性があって移動する物体内への組込みを妨げている。最後に、現バイオメトリック署名方法において用いられている複雑な走査システムは、高価であり、このことが広範な使用の妨げとなっている。
【００１０】
従って、容易にコピーされたり写真撮影されたり又は複製されることのない不可視的な肉体的特徴を用いる、より自動化された信頼性の高いバイオメトリック認識方法に対するニーズが存在する。こうして、汚れ、油脂分、水分又は外部表面劣化のために識別できない指紋、眼の走査に関与する潜在的危険性、外部的特徴に依存するコストの高い計装及び独特の外部的特徴の人工的複製の使用を通してシステムをあざむく可能性に関する問題は無くなる。
【００１１】
発明の要約
本発明は、個々の生体(individual living organism)のアイデンティティを認識(authenticate)することにより個々の生体を認証するための装置に関する。該装置は、生体の独特の内部的(unique internal)電気及び／又は磁気及び／又は音響特性を検知するための検知機構及び生体認識用機構を含んで成る。１つの利用分野においては、この認証は、個人による１つのアクションの許可を可能にする。
【００１２】
本発明は、個々の生体のアイデンティティの認識により個々の生体を認証するための方法に関する。該方法は、生体の独特の内部的電気及び／又は磁気及び／又は音響特性を検知しその特性から生体を認識する段階を含んで成る。１つの利用分野においては、この認証は、個人による１つのアクションの許可(authorization)を可能にする。
【００１３】
本書で使用されている「独特の内部的特徴(unique internal characteristic)」というのは、生体の目視又はその外皮又は外表面を通して見ることのできない特徴を意味する。
【００１４】
本発明は、電気及び／又は磁気及び／又は音響(acoustic)特徴といったような生体の独特の内部的特徴と組合わせた血中酸素レベルといった非特定的特徴(non-specific characteristic)を識別(verifying)することにより個々の生体のアイデンティティ及び生死を確認するための方法及び装置に関する。
【００１５】
装置は好ましくは、生体の属性(attribute)を識別するべく２.０cm2未満の接触面積をもつ検知機構を含む。検知機構は、その属性に対応する信号を生成し、この信号は認識機構に送られる。検知機構は好ましくは０.２cm未満の厚みをもつ。
【００１６】
該装置は、１０億分の１以上の精度でその属性から生体を認識するための機構を内含する。検知機構は好ましくは、平坦でない表面をもつ形状へと成形可能である。電極は、凹状、平坦、凸状又はそれらの組合せであってよく、さまざまな装置内に内含させるため数多くの形状への成形が可能となっている。個々の生体の特徴は、その独特の電気及び／又は磁気特性によって検出することができる。
Ｉ．これらの特性は、次のようにして測定することができる：
Ａ．直流、交流、電場、磁場及び／又は電磁場を使用するあらゆる機構を使用することによって。
Ｂ．タッチ及び／又はタッチレス方法を使用することによって。
Ｃ．次のような形で適用されたエネルギーとの関係において生体を位置づけることによって：
１．エネルギー流の一部として。
２．エネルギー流を中断して。
３．独自のエネルギー流を生成することによりエネルギーの場に応答して。
４．誘電電流を使用して。
Ｄ．単一の身体セグメントについて、又は多数のセグメントについて。多数のセグメントを互いに比較することができる。すなわち、左手からの測定されたセグメントを右手上の測定されたセグメントに比較することができる。
Ｅ．単数又は複数の周波数を用いて。
Ｆ．単数又は複数の波形形状を用いて。
Ｇ．３以上の次元のマトリクスを生成することによって。
Ｈ．独特のセンサーを用いて。
Ｉ．１０億分の１以上の精度まで。
Ｊ．生体が発出するエネルギーを検出することによって。
ＩＩ．Ｉに記された機構のいずれかを用いて個々の生体をその電気及び／又は磁気特性により認識することができる。これらの特性の絶対的測定値は、日によって変動し得るが、これらの測定値の相対的比率は、独特のバイオメトリックパターンを導出するのに充分なほど一定にとどまることになる。
ＩＩＩ．生体の診断的特徴は、その電気及び／又は磁気特性によって検出することができる。エネルギー流の一部として適用されたエネルギーとの関係において生体を位置づけし、該エネルギー流を中断しかつ発出されたエネルギーを検出する方法は、先行技術において記述されている。しかしながら、本発明は、１つの生体が、誘電電流といったようなその独自のエネルギー流を生成することによってエネルギーの場に応答するという新しい発見に基づいている。次のような診断的特徴を決定する目的で生体の電気及び／又は磁気特性を測定するために誘電電流を用いることができる：
Ａ．骨の外傷の存在又は不在
Ｂ．腫瘍の存在又は不在
Ｃ．毒素の存在又は不在
Ｄ．代謝産物レベル。
【００１７】
本発明は、電気及び／又は磁気特性を検知するための検知機構及び少なくとも４つの次元をもつ検知された特性のマトリクスを形成するための機構を含む個々の生体の電気及び／又は磁気特性を識別するための装置に関する。
【００１８】
本発明は、生体内で電流を誘導し生体内で誘導された電流を検出する段階を含む個々の生体内での誘導電流を検知するための方法に関する。この方法は、骨折又は骨の中の破断を診断するために使用することができる。
【００１９】
本発明は、生体内で電流を誘導するための機構及び該誘導電流を検出するための機構を含む、個々の生体内で誘導電流を検知するための装置に関する。この装置は、骨折又は骨の破断を診断するために使用することができる。
【００２０】
本発明の装置は、生体内に電気及び／又は磁気エネルギーを伝達するための機構及び電気及び／又は磁気エネルギーが生体内を通過した後でそれを受理するための機構を含んで成る。
【００２１】
本発明は、コンピュータを用いて個人によるアクションを許可するための方法及び装置に関する。該方法は、個人の不可視的属性を検知し、該個人を認識し、該個人によるアクションを許可する段階を含んで成る。不可視的属性は、つまりはバイオメトリック署名(biometric signature)ということになる。本発明は、アクションを許可するための装置に関する。装置は、個人のバイオメトリック署名を認識するための機構及びアクションを許容する又は可能にするための機構を含んで成る。
【００２２】
これらのアクションには、コンピュータ，データベース又はプログラムのアクセス、ＴＶチャンネルへのアクセス、通信アクセス、金融口座へのアクセス、金融取引の実行（例えば請求書支払い、購入の借入記入、ＡＴＭ機へのアクセス、資金のトランスファ、株式／証券／投資信託の売買）、或る場所へのアクセス（例えば、銀行の金庫室、金庫、部屋、建物、敷地内など）、政治的アクセス（例えばパスポート、査証、メンバシップなど）、ロックの解錠、機器のアクセス／メンテナンス／運転（例えばギャンブリングマシン、乗物、医療機器、武器）、自動的コスト借方記入（例えば、使用料、輸送料金、入場料、小売購買など）、図書館の本／録音テープ／ビデオの貸出し、ビデオその他のレンタル、銀行貸金庫へのアクセス、又は１つのアクションを許可するために個人のアイデンティティを立証することが必要であるその他のあらゆる状況が含まれ得る。
【００２３】
該装置は、バイオメトリック署名を生成するために個人が触れるセンサーをもつコンタクトカード及びバイオメトリック署名から個人を認識するためのカード読取り装置を含むことができる。カード読取り装置は、バイオメトリック署名を獲得するために個人の中の誘導電流を測定するためのタッチレス電場センサーを内含しうる。カードは、既知のバイオメトリック署名を記憶するメモリーを有することができ、認識機構はカードから既知のバイオメトリック署名を得るための読取り装置を有することができる。
【００２４】
装置は、個人の既知のバイオメトリック署名及び口座情報を記憶するメモリースティック及び認識機構に接続されたメモリースティック読取り装置を内含することもできる。個人の提示され読取られたバイオメトリック署名は、メモリスティック内の既知のバイオメトリック署名と比較される。
【００２５】
装置は、個人の既知のバイオメトリック署名を備えた運転免許証及びカード所持人のアイデンティティを法の執行官が確認することのできる個人のバイオメトリック署名を獲得するためのセンサーを内含することができる。
【００２６】
装置は、個人のバイオメトリック署名を備えた識別カード及びマイクロプロセッサを内含することができる。
【００２７】
装置は、個人の口座の入ったメモリーを有するタイムロックを内含していてよい。
【００２８】
装置は、個人のバイオメトリック署名を得るためのバイオメトリック手袋及び、該個人がバイオメトリック手袋を装着し認識機構が該個人を認識するかぎりにおいて該個人によりアクセスされる電子記録をも内含できる。
【００２９】
装置は、個人が装着するタッチ電極リストバンド、及び個人のバイオメトリック署名を提供するべくリストバンドが通信するポータブル式認識機構を内含することもできる。
【００３０】
装置は、（１）受信機を介してデータベースから医療記録を獲得することを目的としたバイオメトリック署名を得るためのセンサー、（２）個人がメガネを通して実際の現実と仮想記録を同時に検分できるようにするシースルーモードをもつ仮想スクリーンメガネ、及び（３）認識機構に対しバイオメトリック署名を伝送するための送信機を有する前頭取付け式ヘッドセットを内含することもできる。
【００３１】
装置は又、扉の取っ手及びステアリングホイールを有し、そのいずれか又は両方がバイオメトリックセンサーを有する乗物を内含しうる。
【００３２】
装置は、バイオメトリックセンサーをもつ遠隔制御装置及び個人のバイオメトリック署名を認識し制御装置が制御信号を伝送できるようにするための認識機構を内含することもできる。
【００３３】
装置は、バイオメトリックセンサーを伴うアンクルバンド及びセンサーから得た個人のバイオメトリック署名を伝送する送信機を内含することもできる。
【００３４】
装置は、制御されるべき装置（例えば乗物、武器、機械）の上に取付けられたフリップアップセンサ又は、装置（例えば拳銃の銃把／銃床、ステアリングホイール、扉の取っ手）の表面内に成形されたセンサーを内含できる。
【００３５】
本発明は、個人のバイオメトリック署名を生成するため個人がカードのセンサーに触れる段階、読取り装置でカードを読取る段階及びバイオメトリック署名から該個人を認識する段階を内含する、個人の認証方法に関する。
【００３６】
センサーは、バイオメトリック署名を生成するべく個人の音響的特徴又は電気又は磁気的特徴又はこれらの特徴の組合せを検知することができる。
【００３７】
本発明は、個人の電気及び／又は磁気的特徴を検知するセンサー機構をもつタッチレス機構を介して個人のバイオメトリック署名を得る段階及び個人の場所を監視するべく遠隔部位に対して機構のＩＤと共に該署名を伝送する段階を含んで成る、監視方法に関する。個人が移動するにつれてこの場所を追跡するため、該方法にはＧＰＳ信号を伝送することが内含されている。
【００３８】
本発明のさらなる目的、利点及び特長は、添付図面を参考にして、好ましい実施形態についての以下の詳細な記述を参照することにより、さらに容易に確認することができる。
【００３９】
好ましい実施形態の説明
本発明の好ましい実施形態及びその利点は、図面の図１−１１を参照することによって最も良く理解される。
【００４０】
本発明をその最良の形態で説明する前に、電気及び磁気特性を全般的に説明することが本発明をより良く理解する上で一助となるだろう。本書では、「場」という語には、波動、電流、磁束、抵抗、電位、放射又はマクスウェルの方程式から得ることのできる又は導出することのできるものを含めたあらゆる物理的現象が内含される。
【００４１】
個々の生体の身体セグメントの導電性は、組織セグメントの長さ及び断面積、及び脂肪の少ない及び多い組織を含む組織の組成を含めた数多くの要因により左右される。体液及び電解質組成の変化及び体重調整に起因する導電性及びその他の電気的測定値の日々の変動が存在するかもしれないが、これらの変化は、各生体の全身的な肉体的特徴のため、変化は異なる身体セグメントを通してかなり一貫性のあるものである。例えば、臨床インピーダンス測定に関しては、生理学的変化に起因する対象の体内のインピーダンス変動は、正常な複数の対象間の変動性よりも小さい。
【００４２】
バイオメトリック認識を目的として個人の電気及び／又は磁気特性を測定する場合、接触方法又は非接触方法のいずれによってエネルギーを適用するかとは無関係に、インピーダンス、抵抗、リアクタンス、位相角、電流又は測定対象の身体セグメントを横断する電圧差といったような複数の異なる測定値を利用することが可能である。例えば、インピーダンスは、２つの成分すなわち電流の流れに対する組織の抵抗と膜、組織界面及びその他のバイオキャパシタント組織のキャパシタント効果に起因する電流に対する付加的な妨害であるリアクタンスの関数である。
【００４３】
先行技術における数多くのバイオインピーダンスの測定値は、組織質量及び体液といった身体の組成の関係が動的であり、変動が発生するという仮定によって左右される。流体が組織内で増大するにつれて、測定中のセグメントが流体体積の増加に起因して導電性電位を増大させることから、バイオインピーダンス信号の値は減少する。セグメント流体体積の増加はバイオインピーダンス値を減少させる。セグメント流体の減少は、導電性電位を減少させ、かくしてバイオインピーダンス値を増大させることになる。しかしながらバイオインピーダンス値の日々の変動は身全体を通して一定であることそして身体の異なるセグメントから取られたインピーダンス値間の全体的比率が一定にとどまるはずであるということが分かっている。
【００４４】
ここで図面を参照すると、図１は、バイオメトリックパターンを生成するべく表面接触電極を通してテスト対象の個人の提示された身体部分に対し直接的に印加される電流を例示している。バイオメトリック認識システム１０は、身体セグメント組織に対して恒常な絶対値の電流の形で入力電気信号を適用し結果として得られた電圧を測定することにより身体セグメントの電気及び／又は磁気特性を測定する装置である。Ｒ＝Ｖ/Ｉであることから、測定された電圧は相対的又は計算上の抵抗のいずれかを生み出す。電圧又は抵抗パターンは、一人の個人に独特のものである。
【００４５】
本発明に従うと、身体部分に対し絶対値が恒常である電圧信号が適用され、結果として得られた電流は、提示された身体部分のテスト対象セグメントの生体電気特徴を決定するべく電圧検出器２８によって測定される。
【００４６】
以下で記述されるコンタクトシステムでは、恒常な絶対値の交流（ＡＣ）電流源が使用されるが、特に電源として内部バッテリを用いる装置においては、直流（ＤＣ）を使用することもできる。コンタクトシステム内でＤＣが使用される場合、ＤＣをＡＣに変換するために発振器が使用される。システム１０は、図１及び３に示されている手といったような提示された身体部分上に位置づけされた励起電極１４，１６に接続されている電流発生器１２を含んで成る。システム１０はさらに、接続されて受信機電極１８及び２０から出力電圧信号を受理する分析装置２２を含んで成る。分析装置２２は、電流発生器１２から流れる電流に応答して電極１８及び２０の間の電流の流れによって生成される電圧出力信号を受理する。電流発生器１２は、定絶対値電流を生成するための電流源である。本発明の識別システムは、連続的な定絶対値電流又は周期的な定絶対値電流を利用することができる。
【００４７】
周期的信号は、正弦波、方形波、傾斜及び鋸波を内含することができる。一般に、定電流絶対値は、約１マイクロアンペアから４ミリアンペアまでの範囲内にある。好ましくは、信号周波数は約４０Hz〜約４００ＭHzの範囲内にあり、これは電気的に感受性の高い人間生体について許容されるリスク規準内に入る周波数絶対値範囲である。本発明は、この範囲内の単一の予め定められた周波数又は多数の可変的周波数を利用することができる。組織の電気及び／又は磁気特性を正確に測定できるかぎり、本発明においては上述のもの以外のあらゆる周波数を使用することが同様に可能であるということに留意すべきである。４０Hz未満の周波数を使用することの欠点は、測定を完了するのにさらに数分の１秒長くかかるということにある。こうして、バイオメトリックパターンを得るために必要とされる全体的時間が延びることになる。
【００４８】
使用される各々の異なる周波数は、膜の生理学及び組織の構造及び組成そして付随するキャパシタンス及びインダクタンスの変化のため、身体セグメント内で異なる効果をもつ。テスト中に多数の周波数を使用するとき、出力信号は、テスト対象の個人を予想する独特のバイオメトリック測定パターンを提供する。これは、単一の周波数で波形、角周波数、キャパシタンス及びインダクタンスを変更するためにも言えることである。
【００４９】
周期的な定絶対値電流が好ましい場合、図２に示されているように電流発生器を制御するべく周期的出力信号を生成する能力をもつ制御装置２４に電流発生器１２を接続することができる。
【００５０】
電流発生器１２の出力信号は、それぞれのコネクタ１５及び１３を通して励起電極１４及び１６に伝送される。例示を目的として、図１は、電流を注入するために活動する２つの励起電極１４及び１６を含み、かつ一方で２つの受動電極１８及び２０が結果として得られた信号を検出する４極電極配置を示している。特に電極の配置のために最小限の表面積しかもたないシステムにおいては、２つの電極（励起電極と受動電極）しか含まない２極型のセットアップを利用することができる。
【００５１】
図１の４極電極システムにおいては、第１の励起電極１４は、手のひらの付け根の上に位置づけされ、一方第２の励起電極１６は、親指の掌側先端部に位置づけされる。手がテストすべき全く異なるセグメントを少なくとも５つ有することになるような形で、残りの４本の指上に電圧降下をもたらすよう、類似の電極対を配置し互いから充分な距離だけ離隔させることができる。
【００５２】
本発明は好ましくは、外部接触抵抗によってひき起こされるインピーダンス測定値に発生しうる不一致を克服する上でより有効である電極の４極セットアップを用いる。外部抵抗は、変動する皮膚含水量といったような肉体的条件の或る種の特定的変化と共に著しく変化しうる。これらの変化は、４極電極システムを使用することによって最小限におさえられる。４極電極システムは、測定対象の身体部分と電極の間の電極分極及び接触抵抗の両方の効果を無くすることから、好まれている。接触抵抗は、対象の動きと共に変動し、身体の電気パラメータの測定と干渉する運動アーティファクトを作り出す。一対の電極を通してテスト対象の個人に対して電流を印加し、もう１対の電極を通して電圧差を測定することにより、電圧測定から接触抵抗及び固有電圧降下が無くなる。エネルギーがとる経路は、それが基準パターンを得るための経路を近似しなければならない場合を除き、重要ではない。
【００５３】
本発明のいくつかのシステムにおいては、生体電気測定のため２つの電極を用いて、電流の注入及び電圧の検知を達成することができる。ただし、２極セットアップでは、測定される電圧は、内部インピーダンス及び境界コンタクトインピーダンスの両方を内含する電流経路に沿った電圧降下である。コンタクトインピーダンスを横断する電圧降下は、内部インピーダンスを横断する電圧降下に比べ有意なものでありうる。２電極システムを用いる場合にこの問題を克服するため、複合電極を使用することができる。複合電極は、電極を注入するための外部電極及び電圧を測定するための内部電極を内蔵する単一の電極である。例えば１つの適切な複合電極は、Ping Hua, １９９３，電気インピーダンス断層撮影法、ＩＥＥＥ Trans. Biomed. Eng., Jan,４０（１），２９−３４によって開示されている。同じ電極からの送信及び受信が同時に起こらないように切換えを用いることができるため、４極又は複合電極は必要でないということに留意すべきである。
【００５４】
さまざまな電極が市販されており、当該技術分野において周知であることから、ここでそれらの構造及び応用について詳述することはしない。特に有用であるのは、図７〜１０に示されているような、全てがバイオメトリック認識システム内への導電性インサートを製造するために使用可能である、ポリアセチレン、ポリピロール、ポリ−３，４−エチレンジオキシチオフェン、導電性接着性重合体、半導体重合体、導電性シリコーンゴム及び導電性ゴムを内含する合成導電性重合体で作られた電極である。
【００５５】
図１に示されているユニット例１１は、手といったような提示された身体部分を受入れるための表面を提供している。このユニットは、導電性電極がホルダーの平坦な表面上に取付けられるか又は指、親指及び手のひらの付け根と接触されるような形で構築され得る。
【００５６】
生体電気測定には、テスト対象の体内での電流の印加又は生成が内含されていることから、安全性の問題が発生する。本発明のバイオメトリックシステムは、対象を考えられる電気的危険から隔離するべく信号源発生器と接触する電極の間に変圧器を用いることができる。定電流に付随する所要周波数を伝送するものの電流中３００サイクルそして好ましくは６０サイクル以上の電圧を導通させないようなあらゆる変圧器をこのシステム内で利用することができる。
【００５７】
身体セグメント内の電流の流れに対するインピーダンスが、身体セグメントを横断する電圧差又は電圧降下を生成する。電圧の振幅は、組織及び構造の差によってひき起こされるその身体セグメントの導電性の変化によって変調させられる。身体部分の測定対象セグメントを横断する電圧を測定するために、励起電極１４及び１６の間に位置づけされた受信電極１８及び２０が用いられる。該受信電極は、好ましくは、励起電極のために使用されるものと同じタイプである。測定される身体セグメントのインピーダンスに比例した電圧信号が、その身体セグメント内で生成され、電極１８と２０の間で測定された電圧差は、定絶対値の交流電流に応答して生成される交流電圧である。電圧検出器２８は、電圧計、電位差計などといったような電子回路の設計者にとっては周知のあらゆるタイプのものでありうる。
【００５８】
電圧検出器は、電圧信号の絶対値を検出し又交流電圧と電圧を生成する交流電流の間の位相関係をも検出するタイプのものであり得る。従って、インピーダンスの抵抗成分及び無効分の両方を測定することができる。このタイプの検出器は、電気設計者には周知のものであり、米国特許第３,８７１,３５９号及び５,０６３,９３７号に示されているように、往々にして同期検出器と呼ばれる。
【００５９】
電圧信号が電圧検出器２８により受信される前に、そして信号の強度に応じて、受信機電極１８及び２０から受信された信号と電圧検出器２８の間に増幅器２６が接続される。適切な増幅器は、ミリボルト未満の信号をとりそれを数ボルトに増幅させ、存在する周波数又は形状を著しく改変することなく大きな電圧利得を生成し、正確な測定値を提供することになる。このタイプの増幅器は、当該技術分野において周知のものである。
【００６０】
暗騒音を除去するために、好ましくは、差動増幅器又はその他の装置が使用される。このためには、共通のアースとして役立つようバイオインピーダンスシステムに対してもう１つの電極を付加することが必要となる。
【００６１】
ひとたび電圧信号が測定されたならば、信号は、アナログ−デジタル変換器３０を通して導かれ、出力されたデジタル信号はマイクロプロセッサ３２内へと導かれ、このプロセッサが身体セグメントのインピーダンス又はその他の生体電気的特徴のうちのいずれかを自動的かつ瞬間的に計算する。本発明では、電圧入力情報に対するさまざまな数学的演算を実施する能力をもつコンピュータ又はあらゆる汎用コンピュータを使用することができる。信号に対する標準的な数学的演算は、図３に例示されているように、代表的バイオインピーダンス測定パターンを確立するための比較率を提供するべく１つの身体部分の２番目以降のテスト対象セグメントからの後続する検出されたインピーダンス値により１つのインピーダンス値を除去することである。ここで、５つの異なるセグメントＡ，Ｂ，Ｃ，Ｄ及びＥの各々における電圧差が検出され、これらのセグメントの間の比較率が、１つの検出信号を後続する検出値で除することによって決定される。一例としては、Ａ/Ａ，Ｂ/Ａ，Ｃ/Ａ，Ｄ/Ａ，及びＥ/Ａが計算され、結果として得られた値は、予め定められた周波数についてテスト対象の身体部分対親指に関する４つの比較率を生み出す、他の日に測定を行なった場合、絶対測定値は変動する可能性が非常に高いが、比率は比較的一定にとどまることになる（０.０〜６.０％以内で）。周波数が変更されると、同じ身体部分についてもう１つのセットの比較率を決定することができる。より頻繁にテストが行なわれる場合、より幅広い比較率セットが確立され、独特の代表的バイオインピーダンス測定パターンを提供するためにこれを使用することができる。図４は、系統１（親指）が１０に設定された、以上で識別した比較用比率のセットを示す。測定された周波数は、（水平軸１〜１５上で）Hz単位であった：
10
20
50
100
200
500
1000
2000
5000
10,000
20,000
50,000
100,000
200,000
500,000
周波数＃１０（１０,０００Hz）は、親指についてのインピーダンス共鳴点であり、一方指は、約５０,０００Hzにおける共鳴点である。
【００６２】
図５ａ−５ｆは、異なる周波数における同じ個人のさまざまな指についてのインピーダンス値を示す。異なるテスト対象個人のグラフである。図６ａ−６ｆは、同じ周波数での複数のテスト対象個人の指のインピーダンス値を示すグラフである。
【００６３】
複数の周波数についての各々の指又はその他の身体セグメントに関するインピーダンス値又はその他の生体電気及び／又は磁気特徴のいずれかの計算を、多重周波数範囲に対しプロットし、各指についての独特の曲線の形での代表的生体電気測定パターンを提供することができる。例えば、図４は、多重周波数の範囲全体にわたる図３の指Ａ−Ｅについてのブロットを示している。
【００６４】
これらの計算の結果は、受容可能な誤差範囲内の整合を決定するべく、メモリー３６内に以前に記憶された基準パターンと比較される。比較からの結果は、マイクロプロセッサのデジタル表示コンポーネントでありうる表示ユニット３４上に表示される。
【００６５】
平坦な手の検出器について記述してきたが、この記述したシステム及びその要素のその他の実施形態を、或る種の安全システムにアクセスするか又はかかるシステムを起動させる目的でその他の実施形態で使用することも可能である。例えば、図７，８，９及び１０は、個人の独特の導電率値を利用する本発明のバイオメトリック認識システムのための複数の考慮対象のセットアップ及び用途を例示している。
【００６６】
図７は、記憶された署名に比較される生体電気的導電率値又はバイオメトリック署名を生成するための、特定的なキーの中に埋込まれた電極をもつコンピュータキーパッドを例示している。テスト対象の個人の生体電気パターンが記憶された署名のものと整合した場合、ユーザーは認証され、コンピュータはユーザーログオンのために起動させられる。
【００６７】
図８には、制限されたシステムに対するアクセスを得るためのマイクロプロセッサのマウスの使用が例示されている。このシステムは、許可されたユーザーを認識し、その他の者がシステムにアクセスするのを防止する。
【００６８】
図９は、火器といったような武器の使用を、特定の許可されたユーザーに対してのみ許可するためのシステムを提供している。無許可の個人がその武器を発射しようと試みた場合、システムは、その個人を認識せず発砲機構の活動化を防止することになる。
【００６９】
図１０は、個人のバイオメトリック特徴パターン又は署名を提供する単純な認識システムを示している。測定電極は、導電率及び／又はその他の電気値が個人の手首内で測定されるような形で、時計バンド内部に収納されている。補助的受信システムが時計バンドから送られたパターンを受信し、それを記憶されたパターンと比較してユーザーのアイデンティティを確認する。この装置は、電子扉ロックを開放するために使用でき、キーパッド又は遠隔制御ユニットの必要性に置き換わるものである。
【００７０】
図１１は、本発明のバイオメトリック署名検出方法の流れ図である。
【００７１】
図１２，１３及び１４を参照すると、個々の生体のアイデンティティ認識用の装置１００は、生体の電気及び／又は磁気特性を検知するための検知機構１０１を含んで成る。この装置１００は、検知機構１０１と通信する、生体を認識するための機構１０２を含んで成る。
【００７２】
好ましくは認識機構１０１は、テスト対象の個人の既知の電気及び／又は磁気特性を有するマイクロプロセッサ１０３を内含する。検知機構１０１は好ましくは、生体内で電場及び／又は磁場を生成するための機構１０４及び電場及び／又は磁場を受信するための機構１０５を内含する。好ましくは、生成機構１０４には、周波数発生器１０６が内含され、受信機構１０５には、電場又は磁場送信機１０７に隣接して配置された電場受信機及び／又は磁場受信機が内含されている。こうして、個人の電気又は磁気特性を検知するためにテスト対象の個人の手又はその他の身体部分が中に入れられる電場又は磁場を伴うテストゾーン１１０が構成される。電場又は磁場受信機１０８及びマイクロプロセッサ１０３に対して検出器１１１が接続されている。検出器機構は好ましくは、テストゾーンを通って広がる電場又は磁場の位相又は振幅又は周波数又は波形を測定する。装置１００は、送信機１０７及び受信機１０８のためのハウジング１１２を内含することができる。
【００７３】
作動中、従来の周波数発生器は、従来の電場及び／又は磁場送信機に接続されている。周波数発生器は、電場及び／又は磁場を生成する電場及び／又は磁場送信機を制御し駆動する。１つの実施形態において、電場及び／又は磁場送信機の反対側にあるのは、電場及び／又は磁場受信機である。電場及び／又は磁場送信機と電場及び／又は磁場受信機の間には、送信機及び受信機の場所により画定されるテストゾーンがある。テストゾーンというのは、送信機と受信機の間の電場及び／又は磁場の中にテスト対象の個人が手といったような身体部分を入れる場所である。電場及び／又は磁場は手の中に広がり、電場及び／又は磁場のエネルギーは、テスト対象の個人の独特の組成に対応する独特の形で影響を受ける。
【００７４】
検出器１１１は、受信機１０８が受信した電場及び／又は磁場に対応する信号を生成し、その信号をマイクロプロセッサ１０３に提供する。マイクロプロセッサ１０３のメモリー１１３が、個々の生体について既知の電場及び／又は磁場及び／又は音場信号を記憶する。記憶された信号は、検出器１１１から提供された信号と比較され、実質的に類似である場合、認識信号が生成される。
【００７５】
検出器１１１は、テストゾーン内の個人の身体部分を通って広がる電場及び／又は磁場及び／又は音場の位相、振幅、周波数、波形などを測定することができる。電場単独、磁場単独又はその両方の組合せ又は音場のいずれかをテストゾーン内で使用することができる。認識特徴として周波数が使用される場合には、好ましくは、それは最高５００,０００ヘルツの直流である。電流の使用は好ましくは１〜４ｍＡｍｐである。電位エネルギーは好ましくは０.１〜１５ボルトである。正弦波、傾斜波、方形波又はそれらの組合せといった波形を使用することができる。電場は、好ましくは２〜７００Ｖ／ｍ2である。１００mガウスから１０ガウスの間の磁場が好ましい。
【００７６】
基本的には、頭又はその他の提示された身体部分は定常な電場及び／又は磁場及び／又は音場を中断し、検出器は中断の量を測定する。電場測定は、送信機及び受信機がいかに位置づけされるかに応じて、手の裏側からまっすぐ手のひらの表面まで電場測定値をとることができる。手がテストゾーンを通って掃引される場合、まず第１に親指について直接的測定値が得られ、次に各々の指について順番に得られることになる。その結果５セットのデータがもたらされる。磁場を使用する場合には、テストゾーン内に手を入れると、図１４に示されているように、１次コイルにより作り出される磁束から２次コイル内で誘導された電流を中断することになる。
【００７７】
手は、電流経路の必須部分として用いられる。図１５，１６，１７及び１８に示されているように、磁場及び／又は電場及び／又は音場全体にわたり手のひらの付け根を置くことによって誘導され、指先における誘導電流が、磁場及び／又は電場及び／又は音場センサーのいずれかを用いて検出される。
【００７８】
本発明においては、提示された身体部分は電気ベース、磁気ベース又はその両方の組合せ又は音響ベースの回路の一部であり、独特の形でこの回路内のエネルギーに干渉又は影響を及ぼす。提示された身体部分が、テストされた時点で回路内のエネルギーをいかに干渉し影響を与えるかについての情報を先験的に知ることにより、基本的に同じ条件で再びテストした場合、対象の個人のアイデンティティを確認するか又は拒否するべくその先験的情報と比較できるテスト情報が生成されることになる。
【００７９】
このアイデンティティーテストは、図１２，１３，１４及び２１に示されているように、提示された身体部分の電気的特性を測定するタッチ技術、身体部分の磁気特性を測定するタッチ技術、定常な電場及び／又は磁場中断を用いて電気及び／又は磁気特性を測定するタッチレス技術といったような数多くの方法で、達成することができる。同様に有用であるのは、図１５，１６，１７，１８，１９，２０及び２２に示されているように、電場又は磁場からの誘導電流を用いて電気及び／又は磁気特性を測定するタッチレス技術、又は図２１に示されているように電場磁場を測定するタッチレス技術又は、図２２に示されているように電磁場の反射により電気／磁気特性を測定し図２３に示されているように１つの場のみが検出されるタッチレス方法である。その他の技術には、図６７〜７１に示されているような音場又は電磁場からの誘導電流を用いて電気及び／又は磁気特性を測定するタッチレス技術が含まれる。これらは、１人の個人の電気又は磁気特性を認識目的で決定できる数多くの方法のうちのいくつかの例にすぎない。
【００８０】
１つの生体のこれらの電気及び／又は磁気特性を測定するためのタッチ装置は、２.０cm2未満の接触面積をもつ検知用機構を含み、好ましくは０.２cm未満の厚みの接触部域を有する。好ましい実施形態においては約１.５cm2の表面積及び０.２cm未満の厚みをもつ単一の音響トランスジューサを使用して、バイオメトリック認識パターンを検出した。
【００８１】
図６３は、親指と他の指の間で逐次つかむための直径１cm及び１.２５cmの厚い電極の両方共を示している。図６４は、電極の断面図を示す。図６５は電極の側面図を示す。図６６は、ヒンジ留めされたフリップフロップセンサを示す。このセンサーは、絶縁体及び金属ホイルの２つの部品の厚みと同じ程に薄いものでありうる。これはヒンジであるため、センサーをとりつける装置の表面に直角に跳ね上げられて使用時までは表面と同一平面上にある。
【００８２】
本発明は、１０億分の１以上の精度で、詐欺師を排除するべく、個々の生体のアイデンティティを正確に認識するための装置に関する。本発明においては、１０人中９人の詐欺師が、単一の周波数走査でのテストにより、排除されうる。少なくとも５０ヘルツに一回の割合で、有意な電気／磁気パターンの差異が存在する。５０ヘルツから最高５００,０００ヘルツまでの走査により、１０,０００の有意なパターンが生み出されることになる。異なる周波数全てにおけるテストを介して１０人中異なる９人の詐欺師を排除できるならば、そのとき、テスト対象の１×１０10,000人のうち１人という精度が達成される。世界の全人口は、８×１０9乗にすぎず、四捨五入すると１×１０10となる。従って、世界の人口の１０００倍についての精度が達成される。しかしながら、世界全体について正確であるためには、１０の異なる周波数で１０人中９人の異なる詐欺師を排除することしか必要でない。本発明は、少なくとも２５の異なる周波数について１０人中９人の異なる詐欺師を排除することができる。
【００８３】
本発明は、平坦でない表面をもつ形状へと成形可能である検知機構を含む装置に関する。検知機構は凹状であっても、平坦、凸状又はその組合せであってもよく、さまざまな形状の装置内へ内含させるため成形可能となっている。検知機構は、対象である個人の皮膚と接触することしか求められない。かかるプラスチックの圧電フィルムセンサーは、Valley Forge, Ｐａ内のＡＭＰ Piezo Film Sensor Unit から購入することができる。さらに、剛性音響トランスジューサは、凹状彎曲、又は凸状彎曲していてよく、又面取りされた面又は切子面も使用可能である。
【００８４】
本発明は、可とう性である検知機構に関する。検知機構は、ゴム、プラスチック、金属及び鉱物又はセラミクス又は複合材のいずれで作られていてもよい。電極は対象の個人の皮ふと接触できることしか求められないことから、電極表面は可とう性をもち、時計ハンド、宝石類又は衣類、皮製スーツケース又はプラスチック製クレジットカードの中に組込むことができ、可とう性電極が取付けられた品物の機能性に対し何らかの影響を与えることはない。
【００８５】
例えば、個人の氏名及び写真の入ったプラスチックのアイデンティティカードは、片面に親指電極、もう１方の面に２つ又は３つの指電極を有することができる。電極をつかみ個人の電気及び／又は磁気パターンを読取る読取り装置の中にカードをスライドさせることによって作動する。
【００８６】
図２４−３３は、センサー又は電極に接続され得るテスト対象の個々の生体の認識のための装置の好ましい実施形態についての回路図を示す。指示のないかぎり、全ての１０進数キャパシタンス値はμＦ単位であり、全ての整数キャパシタンスはｐＦ単位である。全ての抵抗値はオーム単位である。
【００８７】
システムは、波形生成段、波形検出段及び付随するデジタル論理を収納している。システムは、測定のため１人に対し最高８箇所の接続を許容する。
【００８８】
波長生成段の周波数範囲は約７５Hz〜１.２ＭHzである。この信号を生成するため、ＶＣＯ電圧制御発振器（Ｕ１３）が使用される。発振器を同調させるのに用いられる電圧は、Ｕ１１，つまり１２ビットの直流／交流変換器によって生成される。この変換器は、適切には直列入力を使用し、従って、電圧出力を設定するのに慣例的には１２本であるのに対しマイクロコントロールからの３本の電線しか必要とされない。ＶＣＯは、約３００ｋHzから１.２ＭHzまで同調し、有効範囲は約１〜４である。ＶＣＯからの出力はおよそ方形波である。
【００８９】
より低い周波数を利用できるようにするため、１２ビットのリプルカウンタＵ１５内にＶＣＯを入れる。リプル計数器は、４というベキ数でＶＣＯ出力周波数を除するように配線されている。例えば、出力周波数は１，４，１６，２５６，１０２４又は４０９６により除される。これらの出力の１つは、クワッドＮＡＮＤゲートＵ５及びＵ６によって選択される。考えられる各除数が、独自のＮＡＮＤゲートの１つの入力に対し割当てられる。各ゲートからのもう１つの入力は、正しい除数のみを有効化するためマイクロコントローラによりセットされる。マイクロコントローラは、制限された数のピンしかもたないため、ＮＡＮＤゲートマスクがマイクロコントローラから直列伝送されうるようにすることによって必要とされる接続の数を７から２へ低減させるため、８ビットの並列出力直列シフトレジスタＵ１４が使用される。
【００９０】
直流／交流及びＶＣＯセクションは、経時的に幾分かの周波数ドリフトを示す可能性があることから、分周器出力の１つは、マイクロコントローラ Ｉ/Ｏピンの１つに接続される。こうして、セラミック共振器にロックされた時間基準を収納するマイクロコントローラが、較正目的で実際のＶＣＯ周波数を決定することが可能となる。この決定の精度は、共振器の許容度により制限され、１％以上である。
【００９１】
ＮＡＮＤゲートの出力は、出力波形のスペクトルを意図されたものに制限するべくＲＣフィルタを用いて整形される。方形波は、各々の状態遷移の時点で非常に高周波数の成分を含有するため、波形は、幾分か丸くなるように修正される。こうして、波形測定段によって測定されつつある周波数は、確実に測定のために意図された周波数となる。
【００９２】
ＲＣフィルタの後、分周された出力は共通点まで合計され、直流バイアスをとり除くためコンデンサの中を通過させられる。一度に１つの出力しか伝送すべきでないということに留意されたい（多数の周波数を出力するようマイクロプロセッサをプログラムすることも可能であるが、これは正常な動作ではない）。信号は、直流バイアスが除去された状態で、ＣＭＯＳアナログマルチプレクサＵ７に供給され、対象の手の上の一点例えば指又は手首まで分配される。この段において信号は、ピーク間で約１ボルトである。なおＵ７はそのアドレスをとり、Ｕ１４が他の箇所に存在するのと同じ理由でもう１つの並列出力直列シフトレジスタＵ９からの入力を有効化する。
【００９３】
波形測定段は、ＬＴ１０５８クワッドＪＦＥＴ入力精密高速演算増幅器（Ｕ３，Ｕ４）に基づき、８台の入力増幅器のセットから始まる。それは、ＬＭ３２４を含むその他の数多くのクワッド演算増幅器とピン互換性をもつ。ＬＭ３２４は２０ｋHz前後でカットオフし、１ＭHzを超える応答が必要とされる。電圧利得は２：１でセットされるが、抵抗器値を変えることによって調整され得る。これは永続的なものであり、そのため、感度はＵ８上のアナログＭＵＸ入力を過負荷することなく適切である。波形生成段の全出力は、もう１つのピンにおける低レベルが検出器へと導かれる一方でＭＵＸピンのうちの１つの上にある。
【００９４】
ＣＭＯＳアナログマルチプレクサ、Ｕ８は、適切な手の連結（例えば指又は手首）から検出器まで導かれるように使用される。このＭＵＸのためのアドレス及び有効化入力も同じくＵ９から来る。ＡＦ又はＲＦ信号を整流し、交流／直流変換器により使用可能な直流レベルを提供するために、本波長ダイオード検出器が使用される。ダイオードは０.３Ｖ前後の順方向電圧降下を有することから、小さな信号検出のため伝導閾値にダイオードを保持するために０.３Ｖのバイアス電圧が使用される。バイアス電圧は、同一のダイオードを基準にして生成される。
【００９５】
交流／直流変換器Ｕ１０は、マイクロプロセッサ互換性がある。すなわち、その出力は高インピーダンスへと切換え可能である。こうして、同じ接続をその他の目的のために使用することが可能となる。８本の出力ピンのうち７本が交流／直流変換器の専用であるが、マイクロコントローラへの交流／直流トランスファの間直列入力チップが刻時されないことから、１つはデータピンとして二役を担う。さらに複雑なことに、１０の交流／直流出力ビットは８本の電線内に詰め込まれ、そのため２本の電線が各々２つのビットを読み取る。これは、マイクロコントローラから２つの読取りサイクルを開始することによって達成される。
【００９６】
マイクロコントローラ Ｕ１６は、Parallax Inc製のＢＡＳＩＣスタンプＩＩである。これは、ラインレシーバとの組込み式直列インタフェースを有し、抵抗器、１６本の入出力ライン、２６バイトのＲＡＭ，２０４８バイトのＥＥＰＲＯＭ及びＲＯＭ内のＢＡＣＩＣインタプリンタとライントランスミッタを「偽造」する。制御装置は、ＢＡＳＩＣ言語でプログラムする。ここで、マイクロコントローラをプログラミングするときにはＵ１６のピン３を接続しなければならないが、プログラミングの直後、使用の前に遮断されなくてはならない、ということに留意されたい。この遮断は図３３に示されている。
【００９７】
インピーダンスを読取るためには、好ましくはウインドウズ９８及び適切なソフトウェアをランするホストコンピュータと通信状態にあるマイクロコントローラによって、次のステップが実施されなくてはならない。マイクロコントローラソフトウェアはすでに書込まれており、ホストコンピュータからの指令を受領し、適宜読取り値を戻すのに役立つ。
１．ＶＣＯを望ましい周波数で振動させる電圧を出力するように直流／交流変換器をセットする。これは、３００ｋHz〜１.２ＭHzの範囲内にある。このステップは、３線直列インタフェースＡ０，Ａ１１及びＡ１２を介して直流／交流変換器に１２ビットの信号を送ることによって実施される。
２．ＶＣＯにより出力された周波数は、一定の時間にわたり適切なマイクロコントローラピン（Ａ１３）上のパルスを計数することによって測定されなくてはならない。直流／交流変換器の出力は、必要に応じて、適正な周波数が確実に生成されるように調整可能である。（このステップは、実時間でか又はより好ましくは周波数較正曲線を生成するべく予備動作シーケンスとして、のいずれかで行なわれ得る。このユニットは、使用セッション中感知できるほどにはドリフトせず、何週間又は何ヵ月にもわたってドリフトする。それには又、使用に付されるに先立ちこの周波数較正も必要とされる。このステップは、完全にユーザー透過性のものでありうる）。
３．入力及び出力ＭＵＸチャンネル（フィンガ又は手首）を選択しなければならない。これは、２線式直列インタフェースＡ０及びＡ１０を介してＵ９に対し８ビットの信号を送信することによって行なわれる。
４．適切な分周器出力（１，４，１６，６４，２５６，１０２４又は４０９６）を選択しなければならない。これは２線式直立インタフェースＡ０及びＡ１４を介してＵ１４に対し８ビット信号（７ビットが使用される）を送ることによって行なわれる。
５．信号検出器内のコンデンサが新たに測定された値との間で均衡に到達することができるようにするため、短かい整定時間（１０msが適切である）が発生すべきである。
６．交流／直流変換器が読取られる。これは、データについてはＡ０〜Ａ７を用いて、制御のためにはＡ８及びＡ９を用いて達成される。チップは、実際には、結果の１０ビット全てを得るために２度読取られる。メーカーの文書を参照のこと。このステップのための入力ピンとしてＡ０をセットするのを忘れないこと。これはその他の時点では、直列データのための出力ピンとして使用される。交流／直流変換器により読取られたデータには、実際のインピーダンスを表わすべくいくつかの較正曲線を介した数値的調整が必要となるだろう。この曲線は、入力増幅器、ＭＵＸ及び信号検出器回路の周波数応答及びＲＣフィルタのため、周波数に感応性をもつものとなる。この目的でシステムが較正曲線を生成できるようにするため、ハンドピースの代りに固定されたインピーダンスをもつ「較正プラグ」が製造された。
７．Ａ１５は、プログラマが望む通りにマイクロコントローラが適切な雑音を作ることができるようにするため、ピエゾブザーに接続されている。代替的には、適切な回路を通して小型スピーカーを駆動するためにＡ１５を使用することができる。マイクロコントローラは、パルス幅変調を用いてこのピン上で一度に２つもの可聴周波数を生成することができる。
【００９８】
信号を処理し、コンピュータのメモリー内に記憶された既知の署名信号とそれを比較するか、又は遠隔の場所にさらに伝送するべくそれを前処理するか又はその両方を行なう１つのコンピュータに対し、配線によってか又は無線伝送によって個人の署名信号を読取り送信するために、数多くの異なるタイプのハンドユニット１２５を使用することができる。個人の認識又は識別確認時点で、コンピュータへのアクセスといったようなアクションが許容される。代替的には、システムは、コンピュータを操作する個人が確認された個人であることを確実にするため直接的に又はインタネットを通して間接的にモデムを通してハンドユニットを操作する人物が送ることのできる恒常な確認信号を必要とし得る。こうして、そのとき、情報の送信又は獲得又は商品又はサービスの購入といったような後続するオペレーションのために、許可された個人の名でコンピュタを盗用することを試みる未確認の第三者にコンピュータが明け渡されることは確実に無くなる。コンピュータは又、サイトにアクセスした人物及び時刻の記録をつけることもできる。
【００９９】
一般に、ハンドユニットのためには、６個の電極が使用される。全ての接続は、コンピュータタワー又はデスクトップの裏側にある標準的な９ピンコネクタを通して行なわれるが、２５ピンのプリンタポートも同様に使用可能である。９ピンコネクタ上で使用されるピンは、各々のハンドユニットについて同じものである。電極、導電性の金属ホイル、ブラスチック又はゴムでありうる。これらは、平坦（約２cm×２cm）であってもよいし、又（異なる個人間の大きなサイズ変動を考慮に入れて）指先用に成形されてもよい。図３４及び３５に示されているように、左右の手のために、単純な平坦なリバーシブルハンドユニットを使用することができる。電極は、次のような領域内に設置される； １）手のひらの付け根（バネの上で移動可能な長い電極ストリップ又は単一の小型電極）； ２）親指の先端； ３）人指し指の先端； ４）中指の先端； ５）薬指の先端； ６）小指の先端。ハンドユニットは、大きい手及び小さな手に適合されなくてはならない。各表面用には透明なプレクシグラスが好ましく、手のひらの付け根のため及び指先のための中空になった部域を有する。より一貫した形で手を入れることができるよう、ハンドエリア全体をわずかに中空にすることができる。ハンドピースは、電極のためプラスチックシートを通してプレスされた黄銅のインサートを用いて製造される。
【０１００】
図３６に示されたキーボード１２６は、（Ｔ），（７），（９）及び（Ｐ）のキーに設置された電極をもち、４センチメートルのストリップをスペースバーの左端部に、又手のひらストリップ電極をキーボードの下部フレーム上に設置することができる。キーボード向けの導電性ゴムキーが好ましい。キーボード１２６は、活動化のためだけに役立ち、使用中全ての電極と連続的に接触していることは不可能であるため、許可されたユーザーの存在を連続して表示するためには有用でない。キーボード上の電極からの配線は、コンピュータへ又は９ピン又は２５ピン接続への通常のキーボード配線と共に走行し得る。
【０１０１】
図３７及び３８に示されたマウス１２８は、マウスを容易につかむことができるように手のひら及び各々の指先用としてマウスの表面に平らに取付けられる導電性ホイルストリップ又は埋込まれた導電性重合体を内含する。ユーザーの連続的確認のために連続的な接触を求める１つの変形形態では、コンピュータがシャットダウンしないように確認のために定期的につかむことが求められる。キーボードとマウスは好ましくは、電極のための導電性接着剤を伴うCompaqアルミメッキテープを使用する。マウス上の電極からの配線は、コンピュータへ又は９ピン又は２５ピン接続への通常のキーボード配線と共に走行し得る。
【０１０２】
弾性材料で作られた図３９に示されたリストバンド１２９を、腕時計をシミュレートするために使用することができる。導電性ホイルの電極が、バンドの内側に取付けられる。リストバンド１２９の送信機は、送信ボタンを押すことによってか又は周期的な自動送信により、電極によって得られた個人のバイオメトリック署名を伝送する。署名の伝送は、受信された該個人の記憶された既知の署名と比較され、次に認識が確認又は拒否される。例えば、１つの部屋へのアクセスを制御する受信及び比較用壁ユニットの近くで時計を用いることができる。該壁ユニットは、時計に対し無線信号を伝送し、時計にバイオメトリック信号を伝送させる。壁ユニットは、この署名を受信し、既知の許可された署名とそれを比較する。整合が起こったならば、壁ユニットは扉を解錠する。リストバンドは、パーソナルエリアネットワークで使用することができる（例えば、T.G. Zimmermanによる「パーソナルエリアネットワーク：近接電磁場体内通信」、Systems Journal,  第３５巻、No. ３１４，１９９６，ＭＩＴ Media Labを参照のこと）。
【０１０３】
図４０〜５８を参照すると、３次元及び４次元マトリクスといったような多次元マトリクスを認識目的で形成することができる。音響バイオメトリック走査は、１つの周波数で３次元パターンをそして多重周波数で４次元パターンを生成できる。本書で記述されている電気／磁気技術は、単一周波数で２次元走査を生成し、単位の身体セグメントをテストするべく多重周波数が使用される場合３次元マトリクスを生成した。電気／磁気技術では、図４０，４２及び４４で示されているような電流経路に沿って多重センサーが存在する場合、単一周波数で手のひらから親指の先端までの電流について８つの異なる読取り値が存在することになる。こうして親指について１つの２次元読取り値が、そして５本の指全てについて１つの３次元プロットが生成される。これを多重周波数に拡大すると、図４６及び４９に示されているように、テスト対象の身体部分の４次元プロットが生み出されることになる。波形及び切換えパターンを変動させることによって、図５６−５８に示されているような５次元及び６次元マトリクスが達成される。
【０１０４】
単一周波数で複数の個人の親指上を走査すると、結果として、個人の容易な識別を可能にする該個人についての独特の署名が得られた。単一の周波数走査については、その最も単純な形で、図５０及び５１に示されているように、Ｙ軸上に振幅、Ｘ軸上に時間を示す２次元プロットが得られた。多重周波数走査については、Ｚ軸に周波数を伴う３次元プロットが得られた。結果を得るために用いられたモードは、単一のトランスジューサが「パルス−エコーモード」として知られているモードで作動している状態で、「レーダー」タイプのモードであった。好ましくは、唯一のトランスジューサのみが用いられ、すばらしい結果が達成されたが、複数のトランスジューサでも使用できたはずである。
【０１０５】
レーダータイプモードでは、音響エネルギーは、テスト対象身体部分の皮膚と接触した状態にある単一のトランスジューサによって伝送された。音響エネルギーは、明確な短かいバーストで放出され、エネルギーが対象生体内を通過するにつれて、その一部分は経時的に、対象生体の軟質及び硬質組織を通って移動するにつれて反射された。経時的にトランスジューサに戻るエネルギーのエコー及び反射は、対象生体のバイオメトリック署名を生み出した。
【０１０６】
そのより複雑で好ましい形態において、３次元走査が単一の周波数で生成された。親指の片側がもう１方の側まで、一人あたり合計２５〜３５回の割合で走査された。各々の単一目盛は２次元であり、Ｚ軸上にプロットされた場所とグループの形に組合わされた場合、図５２及び５３に示されているような親指の３次元超音波局所解剖を生み出した。３次元超音波局所解剖を多重周波数まで拡大すると、図５４に示されているように、Ｗ軸に周波数をとった状態で４次元プロットが結果としてもたらされる。波形を変動させた場合、図５５に示されているように５次元プロットが得られる。
【０１０７】
好ましくは、低ＭHz範囲（２.２５ＭHz；０.７〜１.８mm波長）内の医療用周波数が使用され、独特の署名を得るのに必要な詳細全てを検出することができた。
【０１０８】
誘導電流の検出は、バイオメトリック認識のために使用できるが、この検出を例えば骨の状態を診断することを含めた診断目的などといったその他の目的のために使用することもできる。正常な骨（図５９）においては、当該技術分野において周知であるように、骨は導体であることから、誘導電流は骨の中を流れることになる。「無線周波数放射線量測定法便覧」第４版、１９８６年１０月：ＵＳＡＦ School of Aerospace Medicine, Aerospace Medical Division(ＡＦＳＣ)，Brooks Air Force Base, TX ７８２３５−５３０１ を参照のこと。しかしながら、骨が中に骨折又は破断を有する場合（図６０），電流の流れは、その破断又は骨折により中断又は低減されることになる。図６１に示されているように、上述のような骨の中に電流を誘導するための装置は、破断に起因する骨の中の電流の停止を表示する検流計を有する。図６２においては、該検流計は、正常な骨を通る予想される及び正常な電流の流量を示した。
【０１０９】
この場合、検出機構（検流計）は、生体内で誘導された電流に結びつけられた生体（骨）の特徴を検出する。
【０１１０】
本発明は、第１の場所にいる個人と第２の場所の間の安全な通信のための方法に関する。該方法は、１人の個人の不可視的属性を検知する段階を含んで成る。その後、その個人を認識する段階がある。次に、第２の場所と個人が通信することを許容する段階がくる。
【０１１１】
本書に参考として内含されている「独特の内部的弁別特徴を用いたバイオメトリック認識のための方法及びシステム」という題の米国特許出願第０８／９７４ ７８１号は、身体部分の外部表面を通って不可視的内部組織まで伝送用トランスジューサを介して伝送された音響エネルギーを利用するバイオメトリック認識のための方法及び装置について記述している。この音響エネルギーは、受信用トランスジューサによって検知される独特の音響特徴を含み入れるべく内部組織の不連続性及び非均質性と相互作用することによって改変される。ＥＭＣの場合と同様に、音響特徴は、１人の個人に独特のものであり、同様に識別目的のために用いることができる。伝送及び受信機能は、単一のトランスジューサにより達成され得る。
【０１１２】
本発明は、生体内に音響エネルギーを伝送し、生体と相互作用した後の音響エネルギーに起因して生体内で生成された電気及び／又は磁気エネルギーを受信する段階を含んで成る、個々の生体の電気及び／又は磁気特性を検知するための方法に関する。
【０１１３】
インピーダンス及び位相角共振周波数も認識のために使用することができる。個人は、親指及び人差し指の多重周波数走査点を提供するべく、親指及び人差し指でトランスジューサをつかむことができる。生体の身体セグメントは、その生体を認識するために使用可能な独特のインピーダンス又は位相角共振周波数を有する。
【０１１４】
図６７は、直流電流の音響的生成を例示している。音響生成システムは、身体セグメント内に圧電材料を介してエネルギーを提供し、これが直流電流を生成する。この直流電流は半導体構造内で生成されることになる。図６８は、交流電流及び磁場の音響的生成を示す。音響周波数と整合する固有発振周波数をもつ半導体構造の中で、交流電流が生成されることになる。こうして今度は磁場が生成される。図６９は、音響エネルギーにより誘導された直流電流又は交流電流の検出のための装置を示している。音響生成システムは、ここでは手である身体セグメントを通して音響エネルギーを送る圧電材料に接続されている。こうして、コンデンサといったような電場検出器によって検出される直流電流が生成される。図７０は、音響エネルギーによって誘導された交流電流を検出するための装置を示す。単一の周波数で、磁場検出器での検出により交流電流を生成する構造から、場所がマッピングされる。図７１は、音波を誘導する電場及び／又は磁場エネルギー送信機を描いている。音響分析システムは、手と相互作用する電気／磁気エネルギーの結果としてもたらされる音響トランスジューサにより検出される誘導された音波を受理する。
【０１１５】
図７５，７６，７７，７８及び７９を参照すると、個人を認証するための装置１９９には、バイオメトリック署名を生成するべく個人が触れる電極１５０をもつコンタクトカード１７０を内含する、個人のバイオメトリック署名を認識するための機構１３５が含まれている。認証用装置１９９には、バイオメトリック署名を獲得するべくコンタクトカード１７０を読取るための読取り装置１７４が内含されている。
【０１１６】
コンタクトカード１７０は、提示された個人の現バイオメトリック署名を提供し、読取り装置１７４はそれを既知のバイオメトリック署名と比較してその個人を認識する。カード１７０は、第１の面１４７上に配置された複数の指電極１５１及び第２の面１４８上に配置された親指電極１５３を含む電極１５０を内含する第１の面１４７と第２の面１４８を有する。
【０１１７】
装置１９９は、読取り装置１７４に対して現バイオメトリック署名を転送するべく読取り装置１７４の読取り装置接触板１８３と接触する、カード挿入溝１７５の中にあるコンタクト電極１７３を内含する。溝１７５は、カード１７０がコンタクト電極１７３及び接触板１８３と整列するようにストッパ１６９を内含する。
【０１１８】
カード１７０は、既知のバイオメトリック署名を有する片面上にあるカードメモリ１７２を内含する。読取り装置１７４は、既知のバイオメトリック署名をカードメモリ１７２から読取る溝１７５の中のメモリー読取り機構１８５を内含する。
【０１１９】
読取り装置１７４は、現バイオメトリック信号を生成するため、接触板１８３，コンタクト電極１７３及び指電極１５１及び／又は親指電極１５３へと転送される電気信号を生成するための発生器１７７を内含する。
【０１２０】
読取り装置１７４は、現バイオメトリック署名と既知のバイオメトリック署名を比較するための比較器１６３を内含する。比較用機構１６３は好ましくはコンピュータ１５８であるか又はコンピュータ１５８を内含する。読取り装置１７４は現バイオメトリック署名を記憶するレジスタ１６０及びコンピュータ１５８を内含する。レジスタ１６０は、接触板１８３に接続されている。
【０１２１】
代替的には、読取り装置１７４は、読取り装置１７４から遠く離れた場所にありコンピュータ１５８に対して現バイオメトリック署名を送るモデム１９７を内含することができる。モデム１９７は、接触板１８３と通信状態にある。コンピュータ１５８は、署名認証が読取り装置内で発生しモデム１９７によって通信されるよりコンパクトな配置を提供するべく、読取り装置１７４内に取付けられてもよい。
【０１２２】
カードメモリ１７２は、図８０及び８１に示されているようなバーコード１７１，磁気ストリップ１７９又は図８６及び８７に示されているようなその両方のいずれであってもよい。カードメモリは同様にマイクロチップメモリ１８９であってもよいし、又ホログラム又は光学メモリー又はカード上に取付けるのに適したその他のあらゆるメモリー機構であってよい。このときメモリー読取り装置機構１８５は、図７７及び７８に示されているようなバーコード読取り装置１７９又は磁気ストリップ読取り装置又は、ホログラム読取り装置又はマイクロチップ読取り装置であるメモリー読取り装置機構によって代表されるようなそれらの両方を内含することになる。読取り装置１７４は、それが機能できるようにするべくＰＩＮが入力されるときに通る図７７に示されているようなＰＩＮ入力機構１９５を内含することができる。
【０１２３】
代替的には、図７５ｂ，７９ａ，７９ｂ及び８５に示されているように、マイクロチップ１８９をカード１７０上に配置することもできる。マイクロチップ１８９はカードメモリ１７２及びコンタクト電極１７３に接続されている。マイクロチップ１８９は、コンタクト電極１７３及び接触板１８３を通して発生器１７７を制御する。代替的には、認証機構１９９は、図７８ａ，８８，８９及び９０で示されているように現バイオメトリック署名を読取り装置１７４まで伝送するためにアンテナ１８７及びマイクロチップ１８９を内含することができる。代替的には、認証機構１９９は、図７８ａ，８８，８９及び９０に示されているように読取り装置１７４に対して現バイオメトリック署名を伝送するためのマイクロチップ１８９及びアンテナ１８７を内含することができる。
【０１２４】
本発明の作用において１個の生体のバイオメトリック署名の認識が１つのアクションを許可する。好ましくは一人物である該生体がその人物のバイオメトリック署名と既知の署名の比較によってひとたび認識されたならば、ロックの開放又は購入の借方記入といったような１つのアクションが発生しうる。例えば、該人物のバイオメトリック署名は、購入を許可するべくクレジットカードの代りに使用することが可能である。
【０１２５】
１人物のバイオメトリック署名を獲得するあらゆる装置、例えば図７２に示されているようなハンドユニット１２５をもつセンサー機構１２３といったような装置を使用することができる。以下で記述するように、チェックステーション１４９に来た人物は、バイオメトリック署名を得るため電極１５０と接触した状態で購入者の手を単にハンドユニット１２５上に置き、このバイオメトリック署名は通信ライン１２１上での伝送のため信号プロセッサ１５２によりデジタル信号といったような所望の形態をもつ信号へと変換される。アナログ−デジタル変換機でありうる信号プロセッサ１５２は、取引のためクレジットカードを確認するのに使用されるものと同じ要領で参照ステーション１５６と通信ライン１２１上で通信する好ましくはモデムである隣接する送受信機１５４に対しデジタルバイオメトリクスを提供する。参照ステーション１５６は同様に、デジタル信号を受信しそれをコンピュータ１５８に提供する送受信機１５４を有し、該コンピュータはこの信号をレジスタ１６０内に記憶しその後、許可された個人のバイオメトリック署名の既知のデジタル信号のライブラリを収納する参照メモリー１６２を探索する。
【０１２６】
コンピュータ１６２が、対応する実質的に類似の許可されたバイオメトリック署名の所在を確認した時点で、確認信号が伝送される。コンピュータの確認信号は、モニター又はプリンタといったような表示装置１６４上に現われることができる。参照メモリー１６２内に対応するバイオメトリック署名が全く発見されない場合、コンピュータ１５８は拒否信号をチェックステーション１４９に伝送する。
【０１２７】
所望のアクションが１つの品物の購入である場合には、購入コストをバイオメトリック署名のデジタル信号と共に送ることができる。コンピュータ１５８が対応するバイオメトリック署名の所在を確認した時点で、図７２に示されているように、その人物のバイオメトリック署名と共に、同じく参照メモリー１６２内に維持されている対応するファイル１５９に対し購入価格を借方記入することができる。このプロセスは、購入を借方記入するためにクレジットカードを使用する場合と類似であるが、個人のバイオメトリック署名がクレジットカードに置換わっている。
【０１２８】
代替的には、バイオメトリック署名の整合確認がコンピュータ１５８からチェックステーション１４９まで送り戻された時点で、チェックステーション１４９を運用する従業員がさらにハンドユニット１２５を使用する個人のアイデンティティを確認できるように、その人物の名前、誕生日又は社会保障番号といったような付加的な個人的情報も同様に送ることができる。医療分野での応用では、付加的情報には使用中の処方薬及びアレルギーを含めた病歴も含まれている。
【０１２９】
異なる属性をもつさまざまなタイプのカードが、識別システム内で使用可能である：すなわち
Ｉ．コンタクトカード−  コンタクトカードは、カード読取り装置と物理的に接触しなければならない。カードはメモリーのみ、メモリーとセンサー及び、メモリー及び／又はセンサー、及び／又はマイクロプロセッサを収納することができる。メモリー機構１７２としては次のものが含まれるが、これに制限されるわけではない：
Ａ．データ記憶装置  −  バーコード
−  磁気ストリップ
−  埋込みマイクロチップ（スマートカード）
−  ホログラム
−  電気インク
−  ピンインデックスシステム
−  光学メモリー
Ｂ．センサーカードシステム
１．メモリセンサーカード  − 該カードはメモリー１７２とセンサー（バーコード、磁気ストリップ、マイクロチップなど）を収納する。発生器制御はカード読取り装置内で行なわれる。バイオメトリック分析は、カード読取り装置内か又は遠隔にて行なうことができる。
２．マイクロプロセッサセンサーカード  − カードはマイクロプロセッサならびにメモリー及びセンサーを収納する。発生器制御及び分析はカード（マイクロプロセッサカード）、カード読取り装置の中で行なわれてもよいし、遠隔で行なわれてもよい。
３．センサーカード  − 該カードはセンサー（単複）のみを収納し、ハンドユニットに置き換れる。
【０１３０】
電気／磁気特徴
Ｃ．バーコードについての例  − カード１７０（図７５（表面）及び７６（裏面）には、インピーダンスパターンについての情報を含むバーコード１７１が備わっている。カード１７０は同様に、親指及び３本の指のための電極１５０（好ましくは金メッキされている）をも有する。コンタクト電極１７３（同じく好ましくは金メッキされている）に接続されている。１つの実施形態においては、カードユーザーは、指電極１５１及び親指電極１５３上でカード１７０をつかみ、バーコード１７１から既知のインピーダンスパターンを得る読取り装置（図７７及び７８）を通すようにカード１７０を掃引させる。ユーザーは、指電極１５１及び／又は親指電極１５３までコンタクト電極１７３を通して送られる信号を読取り装置１７４が生成するように、スロット１７５の端部にカード１７０を突き当てる。読取り装置１７４は、ここでもコンタクト電極１７３を介して、指電極１５１及び／又は親電極１５３から生成されたインピーダンスを読取る。読取り装置１７４は、カード１７０上のバーコード１７１から得たパターンと、現インピーダンスを比較する（図７９）。現在の及び既知のバイオメトリックインピーダンスが充分に類似している場合、そのユーザーは承認される。カード１７０は、プリペイドクレジットを記憶しモデムによるもう１つのコンピュータへの接続を必要としないタイプのものであってよい。
【０１３１】
システムは、１人物のバイオメトリック署名を得るためにカード１７０が使用される図７９に示されているようなモデムによる処理を同様に必要とする現行のクレジット又はデビットカードのように作動することができる。ユーザは電極１５０が指及び親指と接触するようにカード１７０をつかみ、読取り装置１７４内の溝１７５を通してカード１７０を掃引させ、この読取り装置内でメモリー読取り機構１８５がカード上のメモリー内に記憶された情報を読取り、それを読取り装置１７４内にあるコンピュータレジスタ１６０に提供する。ユーザーは、ユーザーのバイオメトリック署名を得それをコンピュータ１５８に提供するようカード接触板１７３が読取り装置接触板１８３と接触した状態で、溝１７５の端部でカード１７０をリセットする。前記コンピュータ１５８において前記バイオメトリック署名は、レジスタ１６０内に記憶されたバイオメトリック署名に比較され、認識又は拒否信号が表示装置１６４に送り出される。
【０１３２】
もう１つの実施形態においては、バイオメトリック署名を含む実際の電気／磁気パターンを収納する代りに、バーコード１７１は、電気／磁気パターンに基づく数値順索引、番号、パターン又は暗号を収納する。提示された個人の電気／磁気パターンが生成された時点で、読取り装置はそれを予め定められたアルゴリズムを通して数値順索引、番号、パターン又は暗号へと変換する。このとき、実際の電気磁気パターンではなくむしろ２つの索引などが比較される。
【０１３３】
もう１つの実施形態においては、実際の電気磁気パターン又は索引の処理は、独特のユーザーピン番号が提供された場合にのみ発生することになる。
【０１３４】
もう１つの実施形態においては、独特のユーザーＰＩＮ番号は、数値順索引、番号、パターン又は暗号を決定するために予め定められたアルゴリズムの中で数学的に使用される。
【０１３５】
もう１つの実施形態においては、カードのメモリーは、ユーザー名及びその口座番号の情報のみを収納している。既知のインピーダンスの獲得及び比較の実施は、図２２に示されているような遠隔コンピュータを用いてモデムにより行なわれなくてはならない。この例においては、読取り装置１７４は単に現行のバイオメトリックパターンを生成し、遠隔コンピュータに対し、結果として得られた電気測定値を伝送する。
【０１３６】
Ｄ．音響特徴−  スマートカード１７０の音響バージョン（図７４ａ、７５ａ（表面）及び７６ｂ（裏面））は、音響パターン上に情報を含むマイクロチップ１８９を有する。カード１７０は同様に、マイクロチップ１８９に接続されるトランスジューサを有している。１つの実施形態においては、カードユーザーは、トランスジューサ上でカード１７０をつかみ、コンタクト電極１７３を介してマイクロチップ１８９から既知の音響パターンを獲得する読取り装置（図７４ａ）の中にそれを掃引させる（音響カードを伴う音響バイオメトリックシステムが図７７ａに示されている）。ユーザーは、カード１７０を数秒間溝１７５の端部に置いて、発生器１７７からの電気信号を読取り装置１７４が生成できるようにし、この信号はコンタクト電極１７３を通してトランスジューサまで送られる。読取り装置１７４は、コンタクト電極１７３を介してトランスジューサから生成された検知済み音響パターンを読取り、それをカード１７０上のマイクロチップメモリ１８９から得たパターンと比較する。整合があった場合、ユーザーは承認される。カード１７０は、プリペイドクレジットを記憶しモデムによるもう１つのコンピュータへの接続を必要としないタイプのものであり得る。図７８ａに示されているように、アンテナ１８７ａ、１８７ｂ及びトランシーバを通して通信するシステムと共に、無接触スマートカード１７０を使用することができる。電気／磁気カードのさまざまな実施形態は全て、音響カード又はその他のあらゆるタイプのセンサーカードと共に使用することができる。
【０１３７】
Ｅ．磁気ストリップ−カード１７０（図８０及び８１）は、バイオメトリックパターンについての情報を含む磁気ストリップ１２９を備えている。カード１７０は磁石を通って掃引される。カードの使用は、バーコードカードのものと事実上同一である。電気コンタクト電極は、磁気ストリップの破断を防ぐため磁気ストリップから充分な距離のところに設置されなくてはならない。
【０１３８】
Ｆ．メモリーマイクロチップ（スマート）カード−カード１７０（図８２及び８３）には、小型の（好ましくは金メッキされた）コンタクト電極１７３が埋込まれている。カード１７０がスマートカード読取り装置内に挿入されると（いかなる掃引も不要である； 単に挿入するだけでよい）。コンタクト電極１７３は接触板１８３と接触する。１つの実施形態においては、発生器制御は、カード読取り装置内で行なわれる。コンタクト電極１７３は、上述のように（図８４）、読取り装置に対し情報を転送する。コンタクト電極１７３を通してセンサー（単複）までの電流生成が起こり、その後ひきつづき、前述のように、バイオメトリックパターンが読取られ分析される。
【０１３９】
Ｇ．ＩＤカード−このカードには、その表面にその名が記されているユーザーのバイオメトリック署名についての情報を含むメモリーが備わっている。カードは、センサー／メモリー読取り装置と相互作用し、現バイオメトリック署名が上述のように得られる。カードは、１つのアクションの完了のためユーザーのアイデンティティを認証する。これは基本的に図７９のものと同じ図式である。
【０１４０】
Ｈ．マイクロプロセッサ（スマート）カード−この実施形態においては、スマートカード１７０は、既知のバイオメトリックパターン又は索引について読取り装置に情報を転送する必要はない。その代り、このカードは、走査パラメータについて読取り装置に対して指示を転送することができる（図７９）。読取り装置は、単にセンサーエネルギー発生器及び読取り装置であり、一方走査パラメータの制御はスマートカードにとどまる。読取り装置１７４は発生器１７７内でバイオメトリック走査を生成し、スマートカード上でマイクロプロセッサ１３８への走査についての情報を中継する。スマートカードはこのとき、読取り装置により中継されたパターン又は索引を、その埋込みメモリー内のパターン又は索引と比較する。メモリー内のパターンと現パターンの間に充分な一致がみられた場合、カードは読取り装置に対しユーザーが許可されているという信号を送り、読取り装置はユーザーに対し承認信号を送る。マイクロプロセッサは単純なメモリチップとして機能することもできるし、或いは又、読取り装置、コンピュータ、レジスタ、発生器及び／又は表示装置の単数又は複数の機能を果たすことができる。
【０１４１】
一実施形態においては、スマートカード内に収納された走査パラメータ指示は固定されている。もう１つの実施形態においては、スマートカード内の走査パラメータ指示は、ユーザー又は商社により維持されている走査設定装置内にカードを挿入することによって、ユーザーが変更できる。ユーザーは、１）特定の周波数及び走査パターンをプログラムすること； ２）ユーザーがその詳細を知らない複数の走査プログラムのうちの１つから選択すること（すなわちユーザーはプログラム１〜１００までの１つの走査プログラムを選択することになる）； ３）毎回の使用後にその走査パターンを無作為に変更するべくスマートカードをプログラムすることができる。
【０１４２】
もう１つの実施形態においては、センサー発生器走査制御は、スマートカード上のマイクロプロセッサ内にとどまる。読取り装置は、単にエネルギー源そして場合によっては認証のための表示機構として役立つ。
【０１４３】
Ｉ．バイブリッドカード − ハイブリッドカード１７０（図８６及び８７）は、バーコード、磁気ストリップ、及びマイクロチップといったような、全て同じカード上にある複数のメモリーシステムを収納している。それは前述のように、単なるメモリーカード又は組合せ型メモリー／マイクロプロセッサカード又はセンサー／メモリーカードのいずれかとして機能する。
【０１４４】
ハイブリッドカード１７０のもう１つの実施形態においては、カードは、現行のクレジットカードときわめて類似しており、署名ライン及び見慣れた磁気ストリップを含有する。それは同様に、指及び親指のためのトランスジューサ又は電極といったセンサー及び接触板をも収納している。ユーザーはそれを、センサー（音響又は電気／磁気）読取り装置をもたないような場所で正規のクレジットカードのように使用することができる。センサー（音響又は電気／磁気読取り装置）を正に有するような場所では、手書き署名のレンダリングは不要である。
【０１４５】
ＩＩ．無接触カード − これらのカードは、全くプラスチック製クレジットカードに似ているが、読取り装置との実際の物理的接触無くカード１７０がアンテナ／結合器ユニットと通信できるようにするアンテナ１８７及び埋込みマイクロチップ１８９が存在している（図８８、８９、及び９０）。無接触バイオメトリックセンサーカードは、コンタクトカードとほぼ同じ形で作動する。主たる差異は、読取り装置とカードの間の結合にある。コンタクトカードの場合、カード上に接触板が読取り装置上の接触板と接触する。バイオメトリックパターンの読取りを可能にする直接的電気接続が存在する。
【０１４６】
無接触カード１７０においては、そのアンテナ１８７は、結合器ユニット内のアンテナと通信し、そこからパワーを得る。結合器ユニット内のアンテナによって生成される電磁場は、バイオメトリックパターンを測定するカードマイクロチップ及びセンサーシステム内で誘導電流を生成する。マイクロチップはアンテナ１８７を介して読取り値と結合器／読取り装置１７４へと通信する。これは無線システムである。カード内のシステムは、タグ（無線周波数信号を用いて読取り装置と通信できる電子装置）と呼ばれる。図８８及び８９は、無接触電気／磁気センサーカードがどのような外観をしているかを示す。図９０は、無接触システムについての概略図を示す。
【０１４７】
センサーカードについて上述した実施形態は、時計バンド、手袋、メガネ及びその他の携帯用又は取外し可能センサー機構といったようなその他のセンサー機構と共に使用することができる。
【０１４８】
本発明は、個人のバイオメトリック署名を認識することにより１つのアクションを許可し、そのアクション起こすことを許容し、好ましくはそのアクションを実施するための方法に関する。
【０１４９】
アクションの例としては、以下のものが含まれる：
Ｉ．金融取引
銀行業務及び支払い
ゲーム
ユーティリティ及び計測
大量輸送及び通行料
公衆電話
保健及び社会福祉事業
無線通信
有料テレビ
教育
旅行
情報技術
アクセス制御システム
ＩＩ．情報技術
特許権使用料及び小売りシステム
政府ＩＤ
識別
タイムカードシステム
保健及び社会福祉事業
金融取引
アクセス制御システム；
ＩＩＩ．アクセス制御システム
ロック
乗物
遠隔制御装置
閉鎖環境
安全保護
保健及び社会福祉事業
情報技術
金融取引
通信
ＩＶ．電子タギング
自宅拘束
ロケータ
バイオメトリック認証は、２つのモードすなわち識別モード又は確認モードで行なうことができる。各々のモードを用いた方法及びシステムの例について、以下で論述する。特定用途のための認証が時としていずれのモードを用いてでも達成できるということを理解すべきである。例えば、ＡＴＭにおける口座へのアクセスは、顧客の現バイオメトリックパターンに対する整合を探索する銀行のコンピュータによって識別モードで得ることができる。確認モードでは、顧客は自らの名前をタイプインし、銀行のコンピュータは、データベース全体を探索するのではなくむしろ顧客の現バイオメトリックパターンを唯一のバイオメトリックパターン（ファイル上の顧客の既知のパターン）と比較する。
【０１５０】
認証決定は、（１）図９４に示されているような、同じユニット内に収納されたセンサー（単複）３３３と読取り装置１７４；（２）図９５に示されているような別々に収納されたセンサー（単複）３３３及び読取り装置１７４、及びコンタクト電極１８３、電線、光ファイバケーブル、モデム１９７などを含むもののそれらに制限されるわけではない直接通信機構；及び（３）別々に収納され、赤外線、無線波、無接触などを介して無線で通信するセンサー（単複）３３３及び読取り装置１７４を内含する（ただしこれらに制限されるわけではない）さまざまなセンサー３３３収納用配置を用いて行なうことができる。各センサー収納配置の例については、以下で論述されている。同じ目的のための認証を、異なるタイプのセンサー収納配置を用いて達成できるということを理解すべきである。例えば、金銭を引き出すためのＡＴＭにある１つの口座へのアクセスは、読取り装置１７４及びセンサー（単複）３３３の両方を収納するＡＴＭ内に組込まれた認証装置によって制御され得る。顧客は、ＡＴＭ 読取り装置１７４とコンタクト電極を通して通信する分離したセンサー銀行カードをＡＴＭ内に挿入することができる。代替的には、センサー銀行カードは、無線周波数伝送を介して無線でＡＴＭ 読取り装置１４７と通信する無コンタクトスマートカードであり得る。
【０１５１】
認証決定は、（１）図９６に示されているように、同じユニットの中に収納された読取り装置１７４及び決定機構２９３；（２）図９７に示されているように別々に収納され、電線、光ファイバ、ケーブル、モデム１９７などといった手段を通して直接通信する読取り装置１７４及び決定機構２９３；（３）別々に収納され、赤外線（ＩＲ）、無線波、マイクロ波などといった手段を通して無線で通信する読取り装置１７４及び決定機構２９３、を含む（ただしこれらに制限されるわけではない）さまざまな読取り装置１７４収納用配置によって行なうことができる。各読取り装置１７４収納用配置の例について、以下で論述する。同じ目的のための認証を、異なるタイプの読取り装置１７４収納用配置を用いて達成することができる、ということを理解すべきである。例えば、金銭を引き出すためのＡＴＭにある１つの口座へのアクセスは、両方共ＡＴＭ内に収納された読取り装置１７４及び決定機構２９３によって認証され得る。ＡＴＭ内の読取り装置１７４は、モデム１９７により、銀行の別々の所にある中央コンピュータ１５８と通信できる。ＡＴＭ内の読取り装置１７４は、銀行のコンピュータとマイクロ波伝送により通信できる。
【０１５２】
既知のバイオメトリックパターンのためのバイオメトリックメモリ記憶装置は、さまざまなやり方で収納可能である。これらは、次の４つのカテゴリに分類できる： すなわち（１）図９８に示されているようにセンサー３３３装置と共に収納されたメモリー１６２； （２）図９９に示されているように、読取り装置１７４と共に収納されたメモリー１６２； （３）図１００に示されているように、決定機構２９３と共に収納されているメモリー１６２；（４）図１０１に示されているように別々に収納されたメモリー。各々の一般的カテゴリについては、以下の例においてさらに詳細に論述されている。同じ目的のためのバイオメトリック認証を、複数のメモリー収納カテゴリ内のメモリー記憶装置を用いて達成することができる、ということを理解すべきである。例えば、金銭を引き出すための口座へのアクセスは、口座番号及び既知のバイオメトリックパターンを含む磁気ストリップメモリー及びバイオメトリックセンサー（単複）３３３を伴う単純なプラスチックカードを挿入することによって許可され得る。第２に、ＡＴＭ 読取り装置１７４は、許可された口座ユーザーの全てのバイオメトリックパターンについてメモリー記憶装置を収納し、決定を行なうことができる。第３に、ＡＴＭ 読取り装置１７４は、既知のバイオメトリックパターンを記憶し比較を行なう銀行の中央コンピュータ１５８に対し現パターンを送ることができる。最後に、読取り装置１７４は、現パターンを、それ自体別の既知のバイオメトリックパターンメモリー記憶装置と通信する銀行の中央コンピュータ１５８に送ることができる。図１０２に示されているような同じハウジング内のセンサー３３３、読取り装置１７４及び決定機構２９３、図１０３に示されているような同じハウジング内のセンサー３３３、読取り装置１７４及びメモリー、図１０４内に示されているような同じハウジング内の読取り装置１７４、決定機構２９３及びメモリー、図１０５に示されているような同じハウジング内の読取り装置１７４、決定機構２９３及びメモリー、又は、図１０６に示されているような同じハウジング内のセンサー３３３、決定機構２９３及びメモリーが存在し得る。
【０１５３】
バイオメトリック認証には、さまざまな電力システムを用いて電力を供給することができる。これらは、次の３つのカテゴリに分類できる； （１）アウトレットからといったような米国電力網からの電力； （２）（充電可能なバッテリを含む）バッテリからの電力； 及び（３）機械的エネルギーから変換された電力。パワーシステムを組合せて使用することができる。金銭を引き出すための口座へのアクセスは、用役企業配電網からの直接的給電及びＡＴＭ内部のバッテリにより電力供給されているＡＴＭ 読取り装置１７４によって許可され得る。読取り装置１７４は、ハンドルを回すことにより機械的に生成される電力により電力供給され得る。
【０１５４】
バイオメトリック識別又は確認は、さまざまなセンサー設備配置を用いて実施可能である。これらの配置は、次の４つの一般的カテゴリに分類できる： （１）静置式商店用装置； （２）携帯式商店用装置； （３）静置式顧客用装置； （４）携帯式顧客用装置。複数のカテゴリの設備配置を使用することができる。金銭を引き出すための口座へのアクセスは、ＡＴＭ機に組込まれたバイオメトリックセンサーによって許可され得る。センサーは、自宅呼出しを行なう個人銀行家が持ち運ぶ携帯式読取り装置の中にあってもよいし、又は、口座名義人のコンピュータ内に組込まれた読取り装置内又は携帯式銀行カード内にあってもよい。
【０１５５】
センサーは、さまざまなエネルギー場を用いてバイオメトリック識別又は確認を実施することができる。これらの場は、次の４つの一般的カテゴリに分類できる： （１）音場； （２）電場； （３）磁場及び（４）電磁場。複数のカテゴリ内の場を使用することができる。口座からの金銭の引出しは、音場、電場、磁場又は電磁場を用いて、口座名義人の手のバイオメトリックインピーダンスを決定することによって許可され得る。
【０１５６】
センサーは、タッチ及びタッチレスという２つの異なるユーザーモードでバイオメトリック情報を得ることができる。同じ生物物理学的形質の識別又は確認は時として、いずれのユーザーモードを用いても達成可能である。口座からの金銭の引出しは、タッチ電極又はタッチレス電場手掃引装置を用いて、口座名義人のバイオメトリックインピーダンスを決定することによって許可されうる。
【０１５７】
バイオメトリック識別又は確認は、さまざまな独特の特徴をもつセンサーを用いて実施できる。これらの特徴は、次の６つの一般的カテゴリに分類され得る； （１）サイズ； （２）厚み； （３）精度； （４）成形可能性； （５）可とう性； 及び（６）４以上の次元を伴うマトリクス。複数のカテゴリ内の独特の特徴を使用することができる。直径２mmの薄い金属ホイル電極を用いたプラスチックカード用の多重周波数読取り装置が、精度、マトリクス、可とう性、厚み、及びサイズについて独特のものである。同じ独特の特徴を使用する異なるセンサー機構を使用することができる。金銭を引き出すためのＡＴＭでの銀行口座へのアクセスは、バイオメトリック電極の備わった可とう性スマートカードで達成できる。バイオメトリック電極の備わったバイオメトリック腕時計バンドを用いて、金銭をひき出すことも同様に可能である。
【０１５８】
バイオメトリックな同定または確認は演算的に収納されたセンサーを用いても、非演算的に収容されたセンサーを用いても実行できる。演算的なセンサーの例はドアハンドルの親指ボタン上の音響変換器である。ドアを開けるために親指ボタンを押せばユーザのバイオメトリックな骨紋を読み取るバイオメトリックシステムを作動し、確認されたらドアを開く。非演算的センサーの例はドアのそば壁につけられたハンドコンタクトプレートである。ユーザはドアを開錠する認証のために自分の手をハンドピースセンサーに置く。
【０１５９】
バイオメトリックな同定あるいは確認は様々な行為を許可するのに用いることが出来る。これらの行為は四つの一般的な種類にグループ化できる。即ち（１）金融取引、（２）情報技術、（３）アクセス管理システム、（４）電子タグ付けである。個々の行為の許可は一つ以上の種類を含んでもよい。金を引出すＡＴＭでの口座へのアクセスは金融取引である。それは情報技術とアクセス制御も含む。というのは口座情報は管理されたアクセスにより情報記憶装置に記憶されるからである。
【０１６０】
行為の許可は決定装置２９３と通信する行為装置３３５により達成される。行為装置３３５は（１）図１０７に示すように決定装置２９３と一緒に収納されても、（２）別に収容されてもよい。バイオメトリックな装置を行為装置と一緒に、あるいは別に収容してもよい。ドアを開ける許可は全てドアハンドル／ロック装置に配置されたハンドル電極、読取装置１７４、メモリー１６２、決定装置２９３、行為装置３３５（ドアの開錠）により達成できる。同様に電極、読取装置１７４、メモリー１６２、決定装置２９３はドアのそばの壁に取り付けたハンドユニットと一緒に設置でき、ドアハンドル／ロック装置の行為装置３３５（ドア開錠）と通信する。このようにセンサー３３３、読取装置１７４、メモリー１６２、決定装置２９３あるいは行為装置３３５といったバイオメトリックな認証を構成する一つあるいはそれ以上の装置を同一ハウジングあるいは装置内に取り付けることが出来る。
（例）
Ｉ.  金融取引
Ａ．  預金と支払
ＡＴＭ窓口は厚さ１ｍｍｘ直径２ｍｍの六つの丸い電極を備えたハンドユニットを装備できる。バイオメトリックな認可は小切手、貯金、金融市場、ＣＤ、クレジットカード、デビットカード、ストアード・バリュー・カードその他の種類の口座に対して預け入れ、引き出し、振替する銀行顧客に必要となる。ハンドユニット電極は顧客のバイオメトリックパターンを読み取る。現在のパターンデータが図１０９、１００、１１２、１１３に示すようにＡＴＭまたは窓口コンピュータ１５８に、あるいはモデム１９７または無線手段により別の銀行のコンピュータ１５８に通信され、図１１１に示すようにファイル上の既知のバイオメトリックパターンと比較される。これは同定モードでも確認モードでも行える。バイオメトリックパターンと合致すれば顧客に対し預金行為を続行することを認可する。
【０１６１】
センサー３３３をもつ銀行カード１７０はハンドユニットの代わりに使用出来る。バイオメトリックパターンは図１１４に示すように親指の端部にある骨から得られる音響パターンでもよい。面積１．５ｃｍ２のピエゾエレクトリックプラスチック変換器がフレキシブルカードの中にモールドされている。銀行顧客は親指で変換器を触りながらカードを接触式読取装置１７４に入れる。読取装置１７４はカードメモリー１７２（確認モード）からの既知パターンを取り込み、それを現在のバイオメトリックパターンと比較する。カードは顧客が持ち歩けるようにクレジットカードの大きさをしている。
【０１６２】
例えばオハイオの顧客がバージンアイランドで預金したいとする。彼はバージンアイランドの銀行と当座預金口座を持っているが、これはバイオメトリックな認可を必要とする。銀行顧客は直接コンピュータ接続によりバージンアイランドの銀行のコンピュータと接続し、図１１５に示すように彼のコンピュータ１５８のキーボードのキー１２６にモールドされたタッチ電極を経由して彼の現在のバイオメトリックパターンを送信する。キーボード電極読取装置１７４は１００億分の１の精度を出すために１２の異なる周波数を使用する。銀行のコンピュータ１５８は顧客の既知のバイオメトリックパターン１６２を現在のパターンと比較し（確認）、顧客に対し彼の当座預金口座から電子支払をすることを認可する。あるいは単純に彼の現在のバイオメトリックパターンを銀行のコンピュータ１５８に送り、合致するかどうかコンピュータがデータベースを探索し、彼が自分の当座預金口座にアクセスすることを許す。
【０１６３】
図１１６に示すようにある人がクレジットユニオンキオスクから現金を出したいと思っている。キオスクはナンバーパッドと非接触バイオメトリックセンサー３３３を備えている。センサー３３３はＣ型をしており、Ｃアーム間に電場を持っている。この人はキーパッドで自分の誕生日を入力し、読取装置１７４のメモリーに対してその誕生日を有するパターンのみにその同定探索を制限させる。次にその人は手をセンサー３３３の間で走査する。手が電場中を通ることにより生ずる電場に対する中断はキオスクのファイル上の既知のパターン１６２に合致する現在のバイオメトリックパターンを生み出す。現在と既知のバイオメトリックパターンが合致すればその人は自分の口座へのアクセスを許される。別の実施例においては装置は二つの口座と、口座間の株式および／または金の振替等の金融取引をする装置とを含む。
【０１６４】
図９１と７２は購入代金請求装置１３３で、購入者のバイオメトリック署名を認識する装置１３５と認識装置１３５に接続された、購入者の口座に購入価格を請求する装置１３７とを備える。認識装置１３５は購入者から現在のバイオメトリック署名を取り込む装置１３９と購入者の既知のバイオメトリック署名を提出された購入者のバイオメトリック署名と比較する装置１６３を含む。比較装置１６３は取り込み装置１３９と通信する。取り込み装置１３９は好ましくは購入者の手を受信して購入者のバイオメトリック署名を取り込むように作られかつ比較装置１６３と通信するハンドユニット１２５を含み、この比較装置は購入者の既知のバイオメトリック署名が記憶されているメモリーを含む。
【０１６５】
購入者の口座は銀行口座でもよい。購入代金請求装置１３３は比較装置１３６と通信しかつ購入者に出金されるべき現金額を購入者がそこで確認する制御ユニット１６６と、取り込み装置１３９に隣接して配置されかつ比較装置１６３と通信する出金装置１４１を含んでよい。口座は投資口座でもよくまた金融を伴うどのような口座でもよい。ここで説明した応用はクレジットカード、デビットカード、ＡＴＭ、小切手、あるいは金融取引および何らかの個人の認識がのぞまれるどんなシステムにも使用出来る。
【０１６６】
バイオメトリック署名がデジタル信号としてコンピュータ１５８に送られた時に従業員はチェックステーション１４９のモデムに接続された制御ユニット１６６を通じてその人の名前を入力することにより送ることも出来る。コンピュータ１５８が名前を受取ると参照メモリー１６２の中のバイオメトリック署名のデジタル信号の全てを探索する代わりに参照メモリー１６２を名前により探索し、名前があった場合、名前とともに送られたバイオメトリック署名が参照メモリー１６２の中に名前とともに記憶された既知のバイオメトリック署名と比較され、バイオメトリック署名を発行した人の身元を確認できる。
【０１６７】
図７３に言及すれば、チェックステーション１４９の従業員は認可を受けたい人に小さなセンサーユニット１７０を供給することが出来る。センサーユニット１７０は少なくとも二つの、好ましくはその上の数個の電極１５０あるいは変換器と、センサーユニットメモリー１７２とを有する。人がセンサーユニット１７０をつかみ、自分の指を電極１５０あるいは変換器に置いたら、信号がセンサーユニットメモリー１７２に記憶される。次に従業員はカード１７０を取り返し、センサーユニットメモリー１７２に記憶されたバイオメトリック署名をダウンロードする読取装置１７４に差し込む。次にバイオメトリック署名の確認に関するプロセスは上記のように進行する。代替案として携帯型センサーメモリーユニットが非接触センサーシステムを使用してもよい。
【０１６８】
参照ステーションのコンピュータ１５８に連絡するために通信線１２１を使用する代わりにチェックステーション１４９のコンピュータ１５８とチェックステーション１４９のコンピュータ１５８と連絡する参照メモリー１６２とがあってもよい。こうすれば通信線１２１の必要性はなくなる。その手順は遠隔地間の送受信が不要である以外は上記の手順と類似している。コンピュータ１５８は認可を要請する人のバイオメトリック署名を求めてチェックステーション１４９の参照メモリー１６２を単に探索するだけであり、参照メモリー１６２中にそのバイオメトリック署名を見つけたときにその人に認可を与えるか、あるいはチェックステーション１４９の参照メモリー１６２中にバイオメトリック署名が見つからなかったときには当業者には周知のようにＣＤまたはＤＶＤにより、あるいは参照メモリー１６２に認可されたバイオメトリック署名の最新リストをダウンロードする通信ラインにより更新される。
【０１６９】
Ｂ．  ゲーム
ラスベガスで賭けをしたいオハイオのギャンブラーは図１２１に示すように賭けをするためにバイオメトリックな認可を要するラスベガスのカジノにインターネット口座を持っている。ギャンブラーはインターネットを通じてカジノのコンピュータ１５８に接続し、自分のバイオメトリックパターンを、モールドされた厚さ１ｍｍのタッチ式の音響人差し指変換器をもつ自分のコンピュータ１５８のマウスを介してカジノのコンピュータ１５８に送る。カジノのコンピュータ１５８はギャンブラーの現在のバイオメトリックパターンを既知パターン１６２と比較し（同定モードででも、確認モーででもよい）、賭けをすることを認可する。
【０１７０】
図１１８に示すように四つのタッチ電極（直径２ｍｍで厚さ０．５ｍｍ）をもつモールドされたカジノ／ホテルのフレキシブルカードが顧客に発行される。カードはまたルームキーとして機能する。カジノ／ホテルのカード読取装置１７４は各周波数において正弦波形と鋸歯波形をもち、４次元バイオメトリックマトリックスを生み出す五つの周波数を用いる。客がカジノ／ホテル団地のどこへ行っても、カードは細目の支払に使用でき、それらを自分の部屋の勘定につけることが出来る。ドル限界についてのクレジットラインもギャンブル目的のカードには記憶されている。ギャンブラーは賭けをするのに１０００ドルのチップを手に入れたいと思っている。彼は電極をつかみながら自動チップ販売機に図１１７と１１８に示すように自分の電極カードを置く。チップ販売機の読取装置１７４は彼の現在のバイオメトリックパターンを取り込み、それを図１１７、１１９、１１８にそれぞれ示すように（カジノのコンピュータ１５８か、読取装置１７４か、カードに記憶された）彼の既知パターンと比較する。パターンが合致すれば彼は１０００ドルチップの受領を許可される。ギャンブラーが部屋に戻るときに彼はカード上の電極をつかみ、ロック装置の溝にカードを入れる。図１１７、１１８、１１９に示すようにロック装置は彼のバイオメトリックパターンの現在と既知を比較し、合致を知ると彼のドアを開錠する。
【０１７１】
ギャンブラーはカジノのレストランで食事するが彼の別の上着に自分の電極カードを忘れてきた。ウェイターは図１２０に示すように埋め込み式のバッテリーとマイクロプロセッサと直径２ｍｍで厚さ０．５ｍｍの電極を持つ携帯型タッチ電極カードを持っている。ウェイターは携帯型電極カードをギャンブラーのテーブルに持ってくる。ギャンブラーは電極をつかむ。カードは彼の現在のバイオメトリックパターンを記憶する。ウェイターはカードを決定装置２９３に戻し、この装置が（同定モードあるいは確認モードで）ギャンブラーの現在のバイオメトリックパターンを彼の既知パターンと比較する。パターンが合致し、食事はギャンブラーの勘定につけられる。部屋に戻るとき、図１２２に示すように彼はドアハンドル（ここにも電極がはめられている）をつかみ、バイオメトリックパターンが合致して部屋に入る。
【０１７２】
図１２３に示すようにビデオアーケードはアーケードに入る客全部に（マイクロプロセッサを封じ込めた）バイオメトリックタッチ電極腕輪を発行する。彼らのバイオメトリック腕輪パターンはアーケードのキャッシュレジスターのコンピュータ１５８に記憶され、これは全てのビデオゲームと通信する。客がゲームをするとき、彼はゲーム機の前面にある小さなＲＦ送受信機の近くに彼の腕輪を保持し、ボタンを押す。ＲＦ送受信機はエネルギーを腕輪のマイクロプロセッサに送って誘導電流を発生させ、それが今度は腕輪に対しバイオメトリックパターンを取り込みかつ送受信機にそのパターンを中継するようにさせる。このモードは非接触スマートカードに類似する。パターンはキャッシュレジスターのコンピュータ１５８に通信され、それが顧客を同定しゲームを客の勘定につける。このようにしてゲームの支払にはトークンやコインは必要としない。客が帰るとき彼らの腕輪はキャッシュレジスターで読み取られ、彼らの勘定は表作成される。代わりにディスプレーがダイヤモンドエミッターディスプレーであってもよい。
【０１７３】
Ｃ．  ユーティリティーと計量
集合アパートは外部にある電話会社がサービスする大きな電話線ボックスを持っている。認可された修理作業者のバイオメトリックパターンは電話会社に記憶されている。（自分の電話サービスを内密に作動するかも知れない）認可されない人々に対しては電話ボックスへのアクセスは拒否される。認可された作業者が新しいアパートの住人に対してサービスを接続するためにボックスへアクセスしたいとき、彼は図１２４と図１２４ａに示すようにボックスについている触指ユニットの上に自分の中指を置く。指ユニットのモールドされた（少し凹面の）音響変換器は彼の中指の骨紋バイオメトリックパターンを読み取り、モデム１９７により電話会社に中継する。電話会社のコンピュータ１５８は認可を確認し（同定モードあるいは確認モードで）、モデム１９７により開放装置に電話ボックスを開錠させる。
【０１７４】
自家所有者はユーティリティールームに電気メータのある家を建てる。図１２５に示すように電気メータはタッチ電極カード読取装置１７４／決定装置２９３を備えている。月に一度、自家所有者はカード電極（直径２ｍｍの金のニップルつき）をつかみ、それを読取装置１７４（五つの周波数で二つの波形）の中に入れる。自家所有者のパターンは別に家の集中コンピュータ１５８に記憶され、それと読取装置１７４／決定装置２９３がマイクロウェーブ（２，４５０ＭＨＺ）信号を介して通信する。読取装置１７４／決定装置２９３はバイオメトリックパターンの現在と既知とを比較する。バイオメトリックパターンの合致により自家所有者を認可したら電気メータモデム１９７は消費電気量を電気会社のコンピュータ１５８にデータを送る。モデム１９７はまた自家所有者の銀行デビット口座に情報を送り、電気料金が電気会社に入金される。メータはゼロにリセットされる。
【０１７５】
別の自家所有者がユーティリティールームに電気メータを持つ家を建てる。図１２６に示すように電気メータはセンサー３３３、読取装置１７４、決定装置２９３、メモリーを全て一緒に収納する非接触磁場カード手走査バイオメトリック装置を備えている。電気メータは前面に制御パネルを備え、それが磁場カード走査センサー３３３を収納するはね上げアーム（複数）を備えている。月に一度自家所有者はセンサー３３３のアーム（複数）を制御パネルに直角に、互いに平行にはね上げて開く。アームはこの位置で作動する。自家所有者はアーム間の磁場の中を自分の手を走査し磁場手走査バイオメトリック装置は彼らの現在のパターンを決定し、認可のためにそれを彼らの既知パターンと比較する。バイオメトリックパターンの合致により自家所有者を認可したら電気メータモデム１９７は消費電気量を電気会社のコンピュータ１５８にデータを送る。モデム１９７はまた自家所有者の銀行デビット口座に情報を送り、電気料金が電気会社に入金される。メータはゼロにリセットされる。
【０１７６】
Ｄ．大量輸送機関と料金
図１３７に示すようにビジネスマンは毎日通勤に地下鉄に乗る。ビジネスマンは地下鉄に口座を開き、毎月それにつける。地下鉄を利用するためにビジネスマンは手のひら表面を覆う１８個の電極をもつタッチハンドユニットに自分の手を置く。そのユニットは彼らのバイオメトリックパターンを１２の周波数を使用して読み取る。ファイルの既知のバイオメトリックオパターンと（同定モードあるいは確認モードで）比較するためにパターンデータは地下鉄のコンピュータ１５８に通信されるか、モデム１９７により別の地下鉄のコンピュータ１５８に送られる。バイオメトリックパターンが合致すればビジネスマンが地下鉄に進むことを認可する。
【０１７７】
通勤者は通勤に有料高速道路を利用しなければならない。図１２８に示すように料金所にはＩＲ受信機３３５が取り付けられている。通勤者は運転手側の上のフロントガラスの端に設置されたセンサー３３３／読取装置１７４／決定装置２９３をもっている。センサー３３３ユニットは車の電気系（バッテリー）により電力供給されている。センサーユニットはフロンとガラスの外側に小さなＩＲ送信機を持っている。ＩＲ送信機と通信し、フロントガラスの内側にある、赤、緑、黄色の光をもつ音響親指タッチセンサー３３３をセンサー３３３は収納している。赤い光はセンサーが待機中であることを意味する。緑の光はセンサー３３３が認可された親指骨紋を確認し、認証と勘定の情報信号を送信していることを意味する。黄色の光は送信があと５秒しか残されていないことを意味する。まばたく黄色の光は骨紋確認が所定の信頼限界に近いこと、また制限時間を超えるパターンのさまよいの問題を除去するためにユーザが既知バイオメトリックパターンを再記億すべきことを意味する。通勤者は料金所に口座をもち、それは毎月自動クレジットカード請求により支払われる。料金所についたとき通勤者は自分の親指をフロントガラスの内側にある親指センサー３３３に押し付ける。圧力がセンサー３３３を作動し、それは現在のバイオメトリックパターンを取り込み、それをユニットのマイクロプロセッサに記憶された既知のバイオメトリックパターンと比較する。パターンが合致する。緑の光が光り、ＩＲ送信機が認証と勘定の情報信号を送信し、それが料金通路に取り付けられた受信機により受信される。料金は消費者の口座につけられ、ゲートが上がり、通勤者は仕事に行く。
【０１７８】
ビジネスマンは毎日通勤にバスに乗る。図１２９に示すようにその人は自分のバス料金をストアード・バリュー・カードで支払うが、それはカードの端の波形のへこみ部に直径１ｍｍのタッチ電極がはめ込まれた非接触スマートカードの形をしている。バスに入ったらその人はカードの端をつかみ、五本指の屈曲部が電極の上で折りたたまれ、カードをバススキャナーの上で振る。スキャナーはカードのマイクロプロセッサ２９３の電源を無線で入れ、これがバイオメトリックパターン１６２の現在と既知を比較する。それはスキャナーに勘定情報３３５と同様に認可コードを送信する。バススキャナーはバスのバッテリーにより電源が入れられる。
【０１７９】
Ｅ．  有料電話
旅行者が電話カードを用いて家に電話したいと思っている。図１３０に示すように、タッチ電話カードは変換器と、既知のバイオメトリックパターンと勘定情報をもつメモリーとをはめ込まれている。旅行者は接触板、読取装置１７４、決定装置２９３が備えられた電話上のユニットに変換器カードを差し込む。ユニットは旅行者の現在のバイオメトリックパターンを取り込み、カードからメモリー１７２を読み取り二つを比較する。確認されると旅行者は家に電話し、勘定がその電話に対してつけられる。
【０１８０】
旅行者は電話カードを使用しないで家に電話しようと思っている。図１３１、１３１ａ、１３１ｂに示すように旅行者はハンドピース電話の曲がった表面にモールドされたバイオメトリックタッチ電極をつかみ、自分の家の電話番号をダイヤルし、＃＃＃とたたく。ハンドピース電話のセンサー３３３は有線で読取装置１７４と有料電話の中にある決定装置２９３に接続されており、これは旅行者の現在のバイオメトリックパターンを取り込む。電話はモデム１９７により旅行者のエリアコードのコンピュータ１５８と通信し、これは各電話番号に対して認可された既知のバイオメトリックパターンを記憶している。電話はバイオメトリックパターンの既知と提出されたものとを比較し、旅行者の電話を認可し、その電話料金がその電話番号につけられる。
【０１８１】
旅行者が電話カードを使用しないで家に電話したいと思っている。旅行者はオフィスの電話番号をダイヤルし、＃＃＃とたたく。図１３２と１３２ａに示すように電話ボックスの側面には小さな非接触マイクロウェーブ場指走査ユニットが備えられており、これは指の特有の組織構造の異なる誘電率によるマイクロウェーブ場の中断に基づいてバイオメトリックパターンを取り込む。ユニットはセンサー３３３（互いに平行で電話側面に直角な送受信機アーム）、読取装置１７４、決定装置２９３、メモリー１６２を収納している。メモリーはモデム１９７により８時間ごとに更新される。旅行者は指走査ユニットのそばのボタンを押し（送受信機を４秒間作動しながら）、ユニットの送受信機の中の平行アームの間で人差し指を走査する。ユニットは旅行者の現在のバイオメトリックパターンを取り込み、それを旅行者のオフィスの電話番号に登録された既知のバイオメトリックパターンと比較する。パターンが合致すると電話は認可され、その電話料金がその電話番号につけられる。
【０１８２】
Ｆ．  健康管理と社会サービス
医療保険会社は病院および医者に対して電子支払を行う。会社の特定の人だけが電子支払を承認および開始することが認可されている。図１３３に示すように認可された支払者が自分の手を保険会社の財務事務所にあるハンドピース電極に手を置く。ファイルの既知のバイオメトリックパターン１６２と比較するためにバイオメトリックパターンデータが保険会社のコンピュータ１５８と通信される。これは同定モードで行っても、確認モードで行ってもよい。バイオメトリックパターンが合致したら支払者が電子支払い行為３３５を続行することを認可する。
【０１８３】
患者は医療預金口座（ＭＳＡ）を持っている。図１８８に示すように患者はまたＭＳＡ上の情報と患者のバイオメトリックパターンを記憶する変換器を持っている。患者が救急室に入る。勘定を払うために患者はＭＳＡカードを差し込み、変換器をつかむ。読取装置は患者が認可されていることを確認し、勘定を支払うべく患者のＭＳＡから救急室に転送を開始する。
【０１８４】
患者は医療預金口座（ＭＳＡ）を持っている。図１３４に示すように患者はまたＭＳＡ上の情報と患者のバイオメトリックパターンを記憶する変換器を持っている。患者が救急室に入る。勘定を払うために患者はＭＳＡカードを差し込み、変換器をつかむ。読取装置１７４は患者が認可されていることを確認し、勘定を支払うべく患者のＭＳＡから救急室に転送を開始する。図１３５に示すように患者はまたＭＳＡ上の情報と患者のバイオメトリックパターンをいくつかの接触および非接触機構に対して記憶するスマートカードを持っている。患者が救急室に入る。救急室は電場電源の上に手のひらを走査したときの指先の電流を測定するタイプの非接触センサー３３３を使用している。勘定を払うために患者はＭＳＡカードを差し込み、センサー３３３装置の上で手を走査する。読取装置１７４／決定装置２９３は患者が認可されていることを確認し、勘定を支払うべく患者のＭＳＡから救急室に転送を開始する。病院の読取装置１７４は図１８８に示すように壁のコンセントに差し込まれる。
【０１８５】
Ｇ．無線通信
あるレストランがその客用の勘定を保持している。ひいき客がディナーを待つ間電話したいと思っている。図１３６に示すようにウェイターがハンドピース電極がはめ込まれた携帯電話をテーブルに持ってくる。ひいき客は電話の電極をつかむが、これはひいき客を同定あるいは確認しながら（メモリー、読取装置１７４、決定装置を収納する）レストランのコンピュータ１５８と通信する。ひいき客は電話し、電話料金が彼らのレストランの勘定につけられる。
【０１８６】
弁護士が非認可使用を防止するバイオメトリックセンサー３３３を備え、再充電可能なバッテリーにより電力供給される携帯型ビデオフォンを使用している。図１３８に示すようにバイオメトリックセンサー３３３はビデオフォンの側面にあるへこんだ領域からはね上がる。それは丸くて平坦で各側面に金メッキされた電極（直径２ｍｍで厚さ０．５ｍｍ）をもっている。ビデオフォンの使用認可は弁護士がセンサー３３３をはね上げ、引き続いて電極を親指と人差し指の間、親指と中指の間等々でつかむことにより取得される。
【０１８７】
弁護士が非認可使用を防止する音響バイオメトリックセンサーを備え、再充電可能なバッテリーにより電力供給される携帯型ビデオフォンを使用している。図１８９に示すように変換器はビデオフォンの側面にモールドされた、圧力作動容器上のピエゾエレクトリックなポリマーで出来ている。ビデオフォンの使用認可は弁護士が自分の人差し指で変換器センサーを押すことにより取得される。変換器は彼の人差し指の骨紋を読み取り、それをファイルの骨紋と比較する。
【０１８８】
一般的にバイオメトリックシステムは携帯電話やハンドピース電話を非限定的に含むどのようなタイプの据え置きあるいは携帯通信装置でも使用できる。
【０１８９】
Ｈ．  有料テレビ
１０代の少年の親が壁のコンセントに差し込まれる、テレビに対する締め出しシステムを設置している。図１３８と１３８ａに示すように締め出しシステムはハンドピース電極と認可されたユーザのみにアダルトチャンネルを見ることを許す装置を収納している。親だけが認可されたユーザである。１０代の者がアダルトチャンネルにアクセスすると彼らは正しいバイオメトリックパターンをもっていないのでアクセス出来ない。図１３８ｂに示すように同じことがラジオに適用できる。
【０１９０】
軍隊兵舎が有料テレビを備えた娯楽室をもっている。図１３９に示すように有料テレビは電極読取装置１７４／決定装置２９３を備えている。兵士が有料映画を見たいとき軍事ＩＤ電極カードが装置に差し込まれる。彼がカードの電極をつかむと装置は兵士の現在のバイオメトリックパターンをカード上のパターンと比較し、また軍事基地のコンピュータ１５８にあるパターンと比較する。パターンが合致すれば兵士は映画を見られ、有料映画の費用は兵士の給料から控除される。
【０１９１】
図１４０に示すように有料テレビはセンサー３３３、読取装置１７４、決定装置２９３を収容する接触カード装置を備えることもできる。兵士が有料テレビを見たいとき軍隊ＩＤ電極カードが装置に差し込まれる。次に彼は非接触電場センサー３３３の上で手を保持するが、このセンサーは電場源の上で手のひらを保持したときに全ての指に同時に誘導される電流を測定するタイプのものである。装置は兵士の現在のバイオメトリックパターンをカード上のパターンと比較し、また軍事基地のコンピュータ１５８にあるパターンと比較する。パターンが合致すれば兵士は映画を見られ、有料映画の費用は兵士の給料から控除される。
【０１９２】
図１９０に示すように有料テレビは変換器カード読取装置／決定装置を備えることもできる。兵士が有料テレビを見たいとき軍隊ＩＤ電極カードが装置に差し込まれる。彼がカードの変換器をつかんだとき装置は兵士の現在のバイオメトリックパターンをカード上のパターンと比較し、また軍事基地のコンピュータ１５８にあるパターンと比較する。パターンが合致すれば兵士は映画を見られ、有料映画の費用は兵士の給料から控除される。
【０１９３】
Ｉ．  教育
フロリダ州立大学のような教育施設がカードシステムを使用している。カードは学生のカラー写真、サイン、大学での地位といった項目をメモリーにもっている。学生は大学の身分証明カードを使用するが、これは寮、教室、建物、図書館、大学事務所への物理的アクセス用であり、図書館における本の貸し出しのためであり、個人口座を含む構内での預金、ＡＴＭ引き出し、部屋代、食事代、授業料、電子財布、コピー機と自動販売機用のプリペイド代金等々の支払、地域商人ロイヤルティー、個人的大学データへのアクセス、構内有料電話からの市内および遠距離電話を含む遠隔通信、バスの乗車券、音声メッセージのためである。これらのあるいは他の機能は学生にリンクされたバイオメトリック署名を用いてより安全かつ私的に実行することができる。これはどのメモリーつきバイオメトリックセンサーを用いても行える。他の装置には学校の種々の場所におけるハンドピース、バイオメトリックドアセンサー、学生のバイオメトリックセンサーＰＣマウスまたはキーボードを含む。
【０１９４】
Ｊ．  旅行
ビジネス旅行者はしばしばフライハイ航空の飛行機に乗る。図１４１に示すようにその航空会社は搭乗手続き窓口に常連旅行者用のハンドユニットをPｌａｎｅしている。旅行者は自分の手をハンドユニットに置き、それがバイオメトリックパターンを読み取る。ファイルの既知のバイオメトリックパターンと比較するためにパターンは航空会社のハンドユニットのコンピュータ１５８あるいはモデム１９７により航空会社の別のコンピュータ１５８に通信される。これは同定モーででも、確認モードででも行える。図１４２に示すようにバイオメトリックパターンが合致したら旅行者の搭乗手続きを電子的にかつ直ちに続行するよう認可される。長い列はもはや不要である。
【０１９５】
航空会社はバイオメトリックかつ勘定情報を記憶するメモリースティックを旅行者に対し発行する。図１４２に示すように航空会社は常連旅行者のために搭乗手続き窓口において非接触Ｌ字型ハンドユニットを設置している。ハンドユニットは二つの表面をもっており、一つは床に平行で電場検出器を収納する水平表面であり、もう一つは直角を成し、旅行者から離れて面し、電磁送信機を収容する低い垂直面である。旅行者は水平表面の上で手を走査する。ユニットの中の電子眼が電磁送信機を作動し、電場検出器がバイオメトリックパターンをデータの連続するスライスとして読み取る。図１４４に示すようにメモリースティックの中にある既知のバイオメトリックパターンと比較するために（確認モード）パターンデータは航空会社のハンドユニットのコンピュータ１５８あるいはモデム１９７により航空会社の別のコンピュータ１５８に通信される。バイオメトリックパターンが合致したら旅行者の搭乗手続きを電子的にかつ直ちに続行するよう認可される。長い列はもはや不要である。
【０１９６】
ビジネス旅行者は出国し、税関に行かねばならない。図１４５に示すように旅行者は自分の個人情報とバイオメトリック署名を含む電子パスポートをもっている。旅行者は税関の読取装置１７４／決定装置２９３の中に（接触）、あるいは近くに（非接触）電極カードを置き、電極をつかむ。読取装置１７４はカードから既知のバイオメトリックパターンと個人情報を取り込み（確認モード）、決定装置２９３がそれを旅行者の現在のバイオメトリックパターンと比較する。パターンが合致し、旅行者は数分で通関を終える。
【０１９７】
ビジネス旅行者は出国し、税関に行かねばならない。旅行者はスマートカードに記憶された自分の個人情報とバイオメトリック署名を含む電子パスポートをもっている。図１４６に示すように旅行者はスマートカードの波形の縁部をもち、それを税関出口にある非接触、タッチなしのバイオメトリック装置の上に保持する。非接触、タッチなし装置はアンテナ１８７を経由してスマートカードの下面にあるマイクロチップ１８９と通信するためのラジオ送信機を含む水平面をもっている。旅行者から離れて面する低い垂直表面はマイクロウェーブ送信機を収納し、それは作動されたときに旅行者の手にマイクロウェーブを発生する。旅行者の手の上にある第２の表面はマイクロウェーブからの誘導電流を検出する磁気コイルを含み、それがバイオメトリックパターンを生じる。装置はカードから既知のバイオメトリックパターンと個人情報を取り込み、それを旅行者の現在のバイオメトリックパターンと比較する。パターンが合致し、旅行者は税関手続きを数分で終える。
【０１９８】
Ｋ．  証券と株式
証券会社はその客によるオンライン取引を許している。図１４７、１４７ａ、１４７ｂ、１４７ｃに示すように移動する客はラップトップＰＣと無線技術を用いて取引をすることができる。バイオメトリックな認可は小さな線形音響変換器（１ｍｍ ｘ １２ｍｍ）により与えられ、これは平坦位置からＰＣ表面に対し直角にはね上がる。客は第１関節から指先まで自分の人差し指の手のひら側の表面を音響センサー３３３に沿って走査する。骨紋サインが証券会社のファイルの骨紋サインと合致したら客は取引を完結することを認可される。
【０１９９】
証券会社はその客によるオンライン取引を許している。図１４８、１４８ａ、１４８ｂ、１４８ｃに示すように移動する客はラップトップＰＣと無線技術を用いて取引をすることができる。ＰＣはその側面と同一平面にある小さなバネのついた指先サイズのフラップをもっている。客が人差し指でフラップを押し入れたら、電磁送信機が作動され、それが電磁エネルギーを指先に指に平行に向ける。フラップ中の電場検出器がバイオメトリックパターンを計測する。電気的サインが証券会社のファイルの電気的サインと合致したら客は取引を完結することを認可される。
ＩＩ．  情報技術
情報社会がうまく発展するかどうかは見えない相手との間の信用にかかっている。これらの相手である顧客、商人、従業員、銀行、データベース、政府等々は他端において人が主張した身元が正真正銘であることを知る必要がある。身元が認証されれば如何なる数のデータ蓄積システムおよびデータベース内の情報に対しても正当なアクセスが容易になる。
【０２００】
現在使用中の三つのシステムがこれらの要求を満たそうとしている。公的なキー暗号法、デジタル証明書、スマートカードがそうである。公的キー暗号法はキーと呼ばれる二つの数字とデジタルデータをスクランブルしかつ復活する複雑な数学的演算を用いて情報をスクランブルする方法である。「公的」キーは広く入手可能であり、「私的」キーはキーの認可された使用者のみ入手可能である。公的キーを提出する人が私的キーに合致する認証使用者であることを確認する信頼できる方法は残念ながらない。
【０２０１】
デジタル証明書はこの問題を解決するために開発された。証明書は証明書を発行した証明当局の名前や認可コード並びにその人の名前と住所といった他の情報とともに人の公的キーを含むデータファイルである。デジタル証明書の問題点はハッキングあるいは海賊行為により私的キーへのアクセス権を入手する者は誰でも認可された人本人と見なされ、証明書の詐欺的使用に携わることができるということである。デジタル証明書は特定の個人自身に絶対的にリンクされていないので、写真なしのパスポートのようなものである。
【０２０２】
この問題を解決するために公的キー暗号法とデジタル証明書を合体したスマートカードの応用が開発された。私的キーはＰＣのハードドライブの上ではなくてスマートカードの上に記憶される。これは私的キーを海賊行為やハッキングから守る。スマートカードの問題は私的キーの認証が特定の人にではなく個人カードにリンクされるということである。もし盗まれればカードは不正なアクセスを得るために使用できる。
【０２０３】
一人の人を私的キーにバイオメトリックにリンクすることはこれらのシステム上の一つの改善である。バイオメトリック署名あるいはその指標がカードあるいはデジタル証明書に記憶される。正しいバイオメトリック署名の提示は私的キーへのアクセスに必要である。たとえカードあるいは証明書が盗まれてもドロボーはそれを使うのに正しいバイオメトリック署名を提出できない。
【０２０４】
Ａ．  ロイヤルティーと小売システム
小売チェーンのひいき客は買い物がなされたときに常にポイントが与えられる。図１４９に示すようにポイントは小売商品から選ばれた景品と交換される。ポイントはバイオメトリック電極をもつマイクロチップ１８９カードに記憶される。その価値あるポイントのついたカードは正当な所有者以外の誰も使用することができない。販売個所（ＰＯＳ）にある有料電話あるいはキャッシュレジスターにはカード読取装置１７４が取り付けられている。図１５０、１４９に示すように顧客は電極カードを読取装置１７４の中に（接触）あるいは近くに（非接触）置き、電極をつかむ。ファイルの既知のバイオメトリックパターンと比較するためにバイオメトリック署名は小売のキャッシュレジスターのコンピュータ１５８に、あるいはモデム１９７により別のコンピュータに通信される。これは同定モードででも、確認モードででも行うことができる。バイオメトリックパターンが合致したら顧客は価値あるポイントを交換することが認可される。
【０２０５】
別の店では図１５１に示すようにバイオメトリックパターンが顧客の手から反射された電磁波を介して磁気的性質を測定する非接触機構を用いて決定される。赤外線あるいはマイクロのような電磁波は皮膚の下までつきぬけ、内部のバイオメトリックパターンを得るに十分な周波数をもっている。顧客は自分の勘定情報が同定モードにより突き止められるのでカードを持ち歩く必要がない。顧客は単にキャッシュレジスター２９３に取り付けられた送信機３３３／受信機１７４の上に手を置くだけである。勘定情報は確認のためにスクリーン３３５に表れる。
【０２０６】
別の店では図１９１に示すように顧客の手の中の骨の音響的性質を測定する音響装置を用いて決定される。顧客は単にキャッシュレジスターのそばの音響ハンドピースに自分の手を置くだけである。彼らは音響手形により同定され、彼らの勘定情報が確認のためにスクリーンに表れる。
【０２０７】
Ｂ．  政府のＩＤ
正確な、最新の携帯情報システムは政府サービスの時を得た、詐欺に強い供給に対する鍵であることが確認されてきた。スマートカードが運転免許に対して提案されている（アルゼンチンとエルサルバドルはすでにそれらを使用している）。スマート免許は「持続する」情報（名前、住所、免許番号、市民権、血液型等）と「通過する」情報（運転記録、未払いの罰金）を記憶できる。交通巡査は彼らの車に据え置き読取装置１７４を、あるいはチケットブックを現在持ち歩いているように交通違反の車まで持っていける携帯読取装置１７４を備える。図１５２に示すようにスマート免許は電極等のセンサー３３３をはめ込むことができる。運転者は読取装置１７４の中に（接触）、あるいは近くに（非接触）電極免許を置き、電極をつかむ。読取装置１７４はカードからバイオメトリックパターンを取得し（確認モード）、運転者が主張する身元を認証する。交通違反は主交通コンピュータ１５８につながった無線モデム１９７によりスマート免許上で直接更新される。あるいは携帯読取装置１７４があとで交通コンピュータ１５８にダウンロードするために全ての交通違反を記憶する。あるいは図１９２に示すように運転者のバイオメトリックな骨紋を決定するためにスマート免許が電極ではなく変換器あるいは他のセンサーを含んでもよい。
【０２０８】
ビジネス旅行者は出国し、税関に行かねばならない。図１５３に示すように旅行者は自分の個人情報とバイオメトリック署名を含む電子パスポートをもっている。旅行者は電極カードを税関にある読取装置１７４の中に（接触）あるいは近くに（非接触）電極カードを置き、電極をつかむ。読取装置１７４はカードから既知のバイオメトリックパターンと個人情報を取り込み、それを旅行者の現在のバイオメトリックパターンと比較する。パターンが合致し、旅行者は数分で税関手続きを終える。
【０２０９】
中央情報局（ＣＩＡ）にあるデータベースへのアクセスは制限されている。図１５４に示すようにアクセスはバイオメトリック認証を使用して認可し、審査することができる。ハンドユニットはコンピュータ１５８端末室への戸口に設置される。ハンドユニットは申込者の手の生物学的半導体組織中に直流を生じる音場を用いる。これらの組織は特有であり、手に対してバイオメトリックパターンを生じる。ハンドユニットは二つの平行な表面から成り、下側の表面は音場を生じる材料から成り、上側の表面は電場検出器を収納している。部屋へのアクセスを求める人は自分の手を下側の板に置く。彼らのＤＣパターンが上側表面により検出され、ファイルの彼らのバイオメトリックパターンと比較される。
【０２１０】
（ＣＩＡ）の最高機密のコンピュータ１５８データベースはより確実なバイオメトリック認証を用いて制限できまた審査できる。図１５５に示すようにハンドユニットはコンピュータ１５８端末室への戸口に設置される。ハンドユニットは申込者の手の生物学的組織の中に交流を生じる多周波数の音場走査を使用する。これらの組織は特有であり、各周波数において手に対してバイオメトリックパターンを生じ、１０億分の１より高い精度をもたらす。ハンドユニットは二つの平行な表面から成り、下側の表面は音場を生じる材料から成り、上側の表面は電場検出器を収納している。部屋へのアクセスを求める人は自分の手を下側の板に置く。彼らのＡＣパターンが上側表面により検出され、ファイルの彼らのバイオメトリックパターンと比較される。
【０２１１】
Ｃ．  身分証明書
身分証明書およびカードの最大の問題は詐欺とコピーである。図１５６に示すようにバイオメトリックパターンとセンサー３３３スマート身分証明カードの中の（特有の番号、保護領域、暗号認証を完備した）マイクロプロセッサを使用すれば科学的に最も複雑なものを除き全ての悪用を防止できる。顧客、商人、従業員、銀行、データベース、政府等々はそのカードを用いて人が主張する身元が正真正銘であるということをある程度の確信を持って知ることができる。
【０２１２】
Ｄ．  タイムカードシステム
最初の勤務日に新しい従業員は電極腕輪を発行される。図１５７に示すように腕輪は接触板１７３と埋め込まれたマイクロチップを含んでいる。マイクロチップ１８９は従業員のバイオメトリック手首サイン、デジタル証明書、公的および私的キー、物理的施設およびネットワーク施設へのアクセスレベルに関するデータを含んでいる。従業員が朝仕事についたとき、彼らはドアのそばの壁につけられた読取装置１７４に腕輪を接触させて置く。読取装置１７４の中にある接触板１８３は腕輪に取り付けられた接触板１７３と通信し、バイオメトリック署名を読み取り、従業員に入ることを認可する。ドアが開錠する。従業員の到着時間がタイムカードシステムに対して決定される。従業員が退社するときに事象の同一シーケンスが起こる。同様に従業員が限定されたアクセスで施設内の部屋あるいはデータベースに入ろうとするときはいつも同一のシステムが使用される。限定されたアクセス領域への従業員の成功した進入は、従業員の試みた認可されていない領域への侵入と同様に記録される。
【０２１３】
Ｅ．  健康管理
病院は電子医療記録を使用している。記録は病院職員用のカルテサイズの携帯ＰＣノートパッドを使ってアクセス可能である。ノートパッドは種々の病院部門のコンピュータと無線で通信する。看護婦がジョーンズ夫人の情報をカルテにしたいとき、図１５８、１５８ａ、１５８ｂに示すように看護婦はノートパッドを作動する。ノートパッドの縁についている電極を介して同定モードあるいは確認モードで認証バイオメトリックを提出することにより作動は達成される。彼女の認証に基づいてノートパッドは彼女が管理している患者のカルテだけに読取と書き込みをすることを彼女に認可する。ジョーンズ夫人は彼女の患者の一人であり、看護婦は彼女の管理をカルテにすることを認可されている。
【０２１４】
別の病院は電子医療記録と医者用の個人領域ネットワーク（ＰＡＮ）を使用している。記録は病院職員用のカルテサイズの携帯ＰＣノートパッドを使ってアクセス可能である。図１５９に示すように医者は携帯電話、ポケットベル（登録商標）、個人デジタルアシスタント、デジタル時計機能をまとめるＰＡＮ腕装置を発行される。腕装置はデータを表示し、腕輪の内側にある電極を介して単純な確認モードで医者のバイオメトリック署名による作動のあとだけ腕装置はデータを表示し、通信する。ポケットベル（登録商標）、携帯電話および患者カルテデータベースへのアクセスはバイオメトリック腕輪により認可される。電子医療記録にアクセスするために医者はコンピュータ１５８端末の近くで腕輪を保持する。腕輪ＰＡＮとコンピュータ１５８は無線で通信し、腕輪は医者のバイオメトリックパターンを認証し、コンピュータ１５８は医者をデータベースにログインする。ドロボーが医者の時計を盗み患者の同じ管理データベースへのアクセスを試みたら、彼らは正しいバイオメトリック署名を供給できないし、巧くいかない。
【０２１５】
あるいはＰＡＮ腕輪は腕輪面のどちらかの側面にあるフレキシブルピエゾエレクトリックポリマーの二つの変換器を備えている。従って変換器は腕の橈骨および尺骨に隣接して配置される。特有のバイオメトリックパターンがこれらの骨からの骨紋により生ずる。音響腕輪は上記のように機能する。
【０２１６】
患者の医療記録に加えてバイオメトリック署名が患者、第三者、健康管理作業者、健康管理組織により、個々の要求と利益の適格性の確認、要求の処理、事前の承認、危機管理、品質の改善と誤差の減少、施設からの発行と履行、施設内の患者の追跡といった運営データを管理する健康管理情報にアクセスおよび書き込みするために使用できる。電子医療記録にバイオメトリック署名を使用すれば健康管理サービスの供給と監視と支払に関する認可された関係者間の情報の効率的かつ機密裏の共有を認可することにより患者のプライバシーと健康を保護できる。
Ｆ．  社会サービス
バイオメトリック署名は社会サービス情報にアクセスおよび書き込みすることにも使用できる。ある女性は児童扶養給付、フードスタンプ、メディケードに適合する。図１６０に示すように彼女はマイクロチップ１８９つきの電子カードを与えられる。彼女が内科医院でケアを求めるとき、彼女のメディケード適格性状況、適用タイプおよびサービス限界についてのデータを含むカードを彼女は提出する。カード電極を介して得られたバイオメトリック署名を提出することにより彼女が真の認可されたカードおよびサービスの使用者であることを彼女は実証する。
【０２１７】
その女性が食糧を買いに八百屋に行くとき彼女は食料の支払にカードを使用する。彼女はカード電極を介してバイオメトリック署名を提出することにより彼女がカードの認可された使用者であることを彼女は実証する。店の読取装置１７４はモデム１９７によりフードスタンプのコンピュータ１５８と通信し、その月の女性のフードスタンプの勘定が課金される。あるいはこれはクレジットカードとしても、ストアード・バリュー・カードとしても行える。
【０２１８】
別の案として女性の親指のバイオメトリック骨紋を決定するために図１９３に示すようにセンサーカードが電極ではなくて音響変換器として機能するピエゾエレクトリックポリマーを含む。
【０２１９】
社会サービスにバイオメトリック署名を使用すれば適格性の確認を行え、高精度な利益の実現、購入の必須品目への制限、詐欺防止、効率改善、真に必要な受益者へのサービス配給の改善、データ追跡と探索の実現、毎月の郵送の必要性の除去を可能にする。
Ｇ．  金融取引
電子商法は認可された取引のみを実現する安全で簡単なシステムを必要とする。ビジネス、金融機関、顧客等はモデム１９７の他端の実在が正当であることを知る必要がある。例えばＵＳＡオンライン（ＵＯＬ）のようなオンラインサービスプロバイダは確実な電子商法機関として機能できる。ＵＯＬは使用者を同定あるいは確認するために暗号キーとバイオメトリック署名を使用できる。顧客は彼らのキーボード１２８、マウス１２６、ラップトップフレーム、腕輪、手袋、カード１７０、インターネット電話、バーチャルスクリーン眼鏡、あるいは他の装置についているセンサーを介して彼らのバイオメトリック署名を提出する。商人をサービスするコンピュータ１５８は毎日、また有効なバイオメトリック署名による動作中断のあとに認可される。
【０２２０】
例えば自分の私的な電子記録に十分管理されたアクセスを望む顧客は図１６１、１６１ａ、１６１ｂに示すようにバイオメトリック手袋を用いる。彼は自分の電子記録にアクセスする間ずっと手袋をつけ、バイオメトリック署名がランダムにまたアクセスの間ずっと繰り返し評価される。手袋は彼の手のひらと各指の３分の２を覆っており、指先はフリーである。手袋の手のひら表面は多周波数磁場発生装置を含む。手袋の裏面は手と指の裏面に接触した音場検出センサー３３３を含む。多周波数磁場は各周波数において特有の音響パターンを生じ、それがバイオメトリック同定装置の役割をする。手袋は装置の中の読取装置１７４ユニットと通信し、それを使って彼は自分の電子記録にアクセスする。
【０２２１】
勘定情報を繰り返しタイプすることを避けるために消費者は簡単な電極カードに自分の勘定情報を記憶できる。顧客はインターネット装置の、あるいはそれに接続された読取装置１７４に自分の電極カードを差し込むだけである。カードを開錠するためにＰＩＮコードを入れる代わりに顧客のバイオメトリック署名がカードを開錠し、取引を認可するコードの役割をする。
Ｈ．  ソフトウェアの許諾
ソフトウェアのコピーと著作権侵害はソフトウェア開発者にとって大きな問題である。書面の許諾契約にもかかわらずソフトウェアの購入者はしばしばコピーを友人や仲間に与えることができる。ソフトウェアをそのコンピュータだけのものとする方式はソフトウェアを正当に新しいコンピュータに移す能力を購入者から奪う。その結果ソフトウェア商は彼らのプログラムの不正コピーから得られるはずの大きな収入を失う。図１０８に示すようにバイオメトリック署名はこの問題を除去でき、ソフトウェア商がユーザだけのためのソフトウェアを販売することを可能にする。ソフトウェアは認可されたバイオメトリック署名がセンサー３３３マウス、キーボード、カード、ハンドピース、ジョイスティック、または他の同様の装置を介して入力されたときだけ動くように書かれる。コンピュータ１５８がつけられシステムとプログラムが起動されるとき、ソフトウェアを開始するには認可されたバイオメトリック署名が必要である。またソフトウェアはコンピュータ１５８を動かしたままにすることによりユーザだけのものという要件を台無しにすることを防止するために例えば４時間ごとに認可されたバイオメトリック署名の再入力を要するようにできる。認可されたユーザが新しいコンピュータ１５８を買ったときソフトウェアはバイオメトリック署名を再ロードすることにより新しいコンピュータにロードできる。例えばウィンドーズ２００５は適切に機能するにはバイオメトリック認証を必要とする。人差し指への電磁送信を採用し、それがまた音響センサー３３３パッドを介して検出される音響電気効果を生ずる、マウスに内蔵されたセンサー３３３により認証は取得される。図１６２ａ、１６２ｂ、１６２ｃに示すように右手にもったマウスの上で左ボタンカバーが４５°の角度ではね上がり、センサー３３３アセンブリーが現れる。蓋は電磁エネルギーを送信するアンテナを収容している。マウスの内側のセンサー３３３アセンブリーの下の手のひら表面は人差し指が楽にはまるようにわずかに凹にモールドされたピエゾエレクトリックポリマーを含む。センサー３３３アセンブリーは圧力作動される。操作するためにユーザはボタンカバーをはね上げ、指を中にいれ、下面を触る。人差し指でアセンブリーをクリックすることによりバイオメトリックスキャナーが作動し、彼らのバイオメトリックパターンが読み取られ、ウィンドーズ２００５のオペレーティングシステム内のファイルのパターンと比較される。
【０２２２】
あるいは図１９４に示すようにマウスは電気／磁気バイオメトリック署名を取り込むための簡単な電極あるいは骨紋バイオメトリックを取り込む、五指の下に置かれた変換器を含む。英国イプスイッチのブリティッシュテレコム研究所により提案されたような「スマートクイル」型ペンにつけられた電極または変換器をもつバイオメトリックシステムがそのようなペンの使用と操作を管理するのに用いることができる。
ＩＩＩ．  アクセス管理システム
アクセス管理システムは三つの主要事項、すなわち物理的領域と物理的物体とバーチャル領域へのアクセスが関係する。物理的領域には家、オフィス、アパート、病院、工場、軍事基地、店舗、刑務所、部屋、玄関等々のような不動産と設備を含む。物理的物体には船舶、飛行機、陸上乗物、武器、キャビネット、家具、電気製品、道具、コンピュータ１５８ハードウェア、かばん、個人の無形資産を表す書類やファイル等々の有形、無形の個人資産を含む。バーチャル領域にはあらゆる種類の無形の個人資産、コンピュータ１５８ソフトウェア、データベースと情報と通信システムをもつ電子データシステムを含む。
【０２２３】
習慣的に領域および物体へのアクセスはロック２１１を用いて管理される。ロック２１１は伝統的にキー、タイマー、組合せ錠、パスワード、数値を含むどのような数の装置によっても、あるいは電子的に操作される。
【０２２４】
バイオメトリックロック２１１は特定の人にリンクされている。バイオメトリックロック２１１はキーあるいはコードのような伝統的なロック２１１操作装置ではなく正しいバイオメトリックパターンにより操作される。バイオメトリックロック２１１は別々でも混合式でも任意でもよい。別々のバイオメトリックロック２１１は（キーやコードのような）伝統的ロック２１１操作装置に完全に取って代わるバイオメトリックパターンを用いる。別々のバイオメトリックロック２１１ではバイオメトリックパターンが唯一のロック２１１を操作する装置である。別々のバイオメトリックロック２１１の例は図１６３、１６３ａ、１６３ｂ、１６３ｃ、１６３ｄに示すように認可された人が自分の手をドアハンドル電極の上に置き、自分のバイオメトリックインピーダンスパターンを提出したあとのみドアを開錠するバイオメトリック電極を含むドアハンドルであり、後者は車のドアハンドルである。同様に音響変換器もつハンドルを図１６３ｅ、１６３ｆ、１６３ｇ、１６３ｈに示す。
【０２２５】
図１６４に示すように混合式バイオメトリックロック２１１はバイオメトリックパターンと伝統的ロック２１１操作装置を必要とする。混合式バイオメトリックロック２１１の例はバイオメトリック電極とナンバーキーパッドを含むドアハンドルである。正しいナンバーコードがキー入力され、認可された人が自分の手をドアハンドル電極に置き、自分のバイオメトリックパターンを提出したあとのみロック２１１は開く。
【０２２６】
複合バイオメトリックロック２１１はロック２１１を操作するのに二つ以上のバイオメトリックパターンを必要とする。複合バイオメトリックロック２１１の例は図１６５に示すようにバイオメトリック電極と音響骨紋スキャナーを含むドアハンドルである。認可された人が自分の手をドアハンドルセンサー３３３の上に、自分の親指を親指フラップの上に置き、同時に自分の電子指と音響骨紋バイオメトリックパターンを提出したあとのみロック２１１は開く。
【０２２７】
選択バイオメトリックロック２１１は少なくとも二つあるいはそれ以上のロック操作装置（そのうちの一つ以上がバイオメトリックである）の巧い使用を必要とする。選択混合式バイオメトリックロック２１１の例は図１６６に示すようにバイオメトリック電極と鍵穴を含むドアハンドルである。認可された人が金属キーでロック２１１を開けたあと、あるいは自分の手をドアハンドル電極の上に置き、自分のバイオメトリックパターンを提出したあとにロック２１１は開く。選択複合バイオメトリックロック２１１の例は図１６７に示すようにバイオメトリック電極と骨紋スキャナーを含むドアハンドルである。認可された人が自分の手をドアハンドル電極の上に置き、自分の電気バイオメトリックパターンを提出したあとか、自分の親指を骨紋スキャナーの上に置き、自分のバイオメトリック骨紋パターンを提出したあとにロック２１１は開く。
【０２２８】
最後に混合式複合バイオメトリックロック２１１が考えられる。このロック２１１は図１６８に示すように少なくとも一つの伝統的なロック操作装置を含む。それは二つ以上のバイオメトリックロック２１１操作装置も含む。混合式多バイオメトリックロック２１１の例はバイオメトリック電極と骨紋スキャナーと鍵穴を含む。認可された人が自分の手をドアハンドルセンサー３３３の上に置き、同時に自分の電気的バイオメトリックパターンと骨紋バイオメトリックパターンを提出したあとのみ鍵穴はアクセス可能である。あるいは混合式複合バイオメトリックロックは選択的でもよい。例えば認可された人が自分の手を変換器の上に置き、少なくとも一つの有効なバイオメトリックパターンを提出したあと、鍵穴カムはアクセス可能である。
Ａ．  閉じられた環境
単純には閉じられた環境は誰にでも広く利用できるわけではない領域あるいは物体である。好ましくは図９２に示すように行為が領域にアクセスしており、許可装置が領域へのアクセスを許可する装置を含む。許可装置は好ましくはロック２１１と、認識装置１３５とロック２１１に接続された開放装置２１５とを含む。認識装置１３５は個人が認識されたときに開放装置２１５により受信され、開放装置にロック２１１を開放させる認識信号を生じる。
【０２２９】
例えば図９２に言及すれば、例えば部屋に入るドアまたは窓、塀で囲まれた原っぱまたは金庫に入る門によりアクセスが制限されている領域に何らかのロック２１１形式のものがあり、そのロック２１１が何であれ、施錠されているときはドアあるいは窓あるいは門が開くのを防止している。個人のバイオメトリック署名を認識する装置と、ここで述べたどれかひとつと、認識装置１３５とロック２１１に接続された開放装置２１５とを導入することにより領域へのアクセスが管理される。バイオメトリック署名は認識装置１３５により個人を認識することに用いられ、認識装置は認識信号が開放装置２１５に送られるようにする。開放装置２１５はロック２１１を動かす何らかのモータか、単にロック２１１を開放させる磁場を生じるコイルに流れる電流でもよい。基本的にはロック２１１に接続された当業者には周知のどのようなタイプの開放装置２１５であってもよい。そのような組合せが単純に認識装置１３５に接続され、開放装置２１５がいつ動作すべきかを決定する制御装置の役割をする。
【０２３０】
例えば軍契約会社が特定の研究室へのアクセスを制限したいと思っている。図１６９に示すように電子ロック２１１が研究室へのドアに設置される。認可された技術員が入室するにはドアのそばの壁に設置されたハンドユニットに自分の手を置く。ハンドユニットは二つの平行面をもっており、一つは壁についており、もう一つは壁から５インチ離れている。壁についた面は音場センサー３３３を含み、壁から５インチ離れた面は  多周波数磁場送信機を含む。技術員は自分の手を音場センサー３３３の上に手を置き、センサー３３３／読取装置１７４を作動するためにそっと押す。磁場送信機は異なる周波数で特有の音響パターンを生ずる音響電気効果を利用し、それによりバイオメトリックパターンを生じる。センサー３３３／読取装置１７４はそれをモデム１９７により研究室のコンピュータ１５８に中継する。研究室のコンピュータ１５８は認可を（同定モードあるいは確認モードで）確認し、モデムにより開放装置にドアを開錠させる。研究室のコンピュータは技術員が研究室に入室した日時と身元も記録する。
【０２３１】
軍契約会社の施設のオフィス領域は全ての従業員に開放されている。どの従業員もアクセスを制限されてはいないが、会社は誰がオフィスに入ったかを知りたい。従業員がオフィスに入りたいとき、図１７０、１７０ａに示すように彼らはドアハンドルを握りバイオメトリック電極に触る。ドアハンドルはドアについている曲がった垂直ハンドルで、その上に配置された親指フラップを持っている。それは普通は指で曲がった部分を握り、親指で親指フラップを押すことにより操作される。電極ドアハンドルは親指用には親指フラップの中に、指先用には曲がった部分に電極（４極、直径１ｍｍでハンドル表面にモールドされたニップルつき）を備える。電流が親指で生じ、指先電極で読取られる。バイオメトリック署名は認識され、ドアロックは開錠して従業員を入れ、会社のデータベースがオフィスへの従業員の入室の日時と身元を記録する。図９３に示すように代わりのより好ましい実施例においては領域はデータベースであり、許可装置が認識装置１３５に接続された、データベースのデータへのアクセスを許可する装置２１７を含む。認識装置１３５は個人が認識されたときに開放装置２１５により受信され、開放装置にロック２１１を開放させる認識信号を生じる。アクセスを許可する装置は好ましくはコンピュータ１５８、メモリー１７２、メモリーに記憶されたアクセスプログラムを含む。
【０２３２】
同様に、図９３に示すように領域はその中に記憶されたデータを有するデータベースでもよい。データベースはメモリー１７２とメモリー１７２に記憶されたプログラムを有するコンピュータ１５８に接続され、そこではプログラムが作動されたときにプログラムがコンピュータ１５８にデータベース中のデータにアクセス出来るようにさせる。プログラムは個人のバイオメトリック署名により個人を認識する認識装置１３５により作動され、認識装置１３５はコンピュータ１５８に提出され、かつプログラムをもつコンピュータ１５８により受信され、処理される認識信号を生じる。認識信号を受信したらプログラムは作動されコンピュータ１５８にデータベースにアクセス出来るようにさせる。この場合バイオメトリック署名はコンピュータ１５８に入力されるべきパスワードの代わりである。データベースへのアクセスに対するパスワードを使用する周知の技術あるいはコンピュータ１５８の他の態様はパスワードがコンピュータ１５８に提出されるときに使用する信号が認識装置１３５からの認識信号になるということを除いて全く同じである。
【０２３３】
軍契約会社施設のコンピュータ１５８データベースは「知る必要がある者に限定する」やり方のみでアクセスされる。各従業員はその仕事に基づいてコンピュータ１５８システムの種々の部分へのアクセスが与えられる。従業員がログオンしたとき、彼らのバイオメトリック署名が認証される。従業員が制限されたデータベースにアクセスを試みるとき彼らのバイオメトリック署名は再び要求される。図１７１、１７１ａ、１７１ｂに示すように制限されたデータベースへのアクセスは電場／音響ハンドピースを介した第２のバイオメトリック署名が必要である。ハンドピースはモニターの側面に取り付けるシェル状装置である。モニターに最も近い内側表面はピエゾエレクトリックセラミックシートかポリマーシート等の音場受信機を有する。モニターから最も遠く離れたシェルの外側は電場を生じるコンデンサセットを含む。制限されたデータベースにアクセスするために従業員はシェルの中に自分の手を滑り込ませ、手のひらをモニターの側面に対して（ピエゾエレクトリック表面に対し）置く。コンデンサーとピエゾエレクトリック表面との間の障壁は人の手とコンデンサーの接触を防止する。従業員は音響センサー３３３をそっと押して電場を作動する。電場は音響電気効果により手の中で特有の音場パターンに変換され、それがバイオメトリック署名の役割をする。あるいはセンサーが唯一の音響ハンドピースで、それが従業員の手の音響紋を提供する。
Ｂ．  安全
自家所有者は家のドアに設置されたバイオメトリックドアハンドルをもっている。自家所有者は家に入りたいとき彼らはドアハンドルを握り、バイオメトリックセンサー３３３に触る。正しいバイオメトリック署名は同定され、あるいは確認されドアは開錠され自家所有者は入れる。
【０２３４】
自家所有者はまた山に電気のない小屋を持っている。小屋は機械的に生じる電気により電源が入る同様の電極ドアハンドルシステムにより守られている。一つの実施例において、自家所有者はハンドルクランクを回して当業者に周知の携帯ラジオや電話に電力供給するコンデンサーを充電する。別の実施例においては図１７２に示すようにハンドルはベイリス発電機におけるように大きなバネを巻き、バイオメトリックドアロック２１１に電力供給する電気を生じる。
【０２３５】
自家所有者はまた侵入者の移動を制限するネバネバした粘着物中に侵入者を入れる防御武器をもっている。米国特許出願第０９/１８３，９２３号をその参考文献と合わせて参照のこと。自家所有者は攻撃しようとするものが自家所有者に対して自家所有者の武器を使用することを望まない。図１７３に示すように粘着武器ハンドルは親指、中指、薬指、小指用の（４極、直径１ｍｍでハンドル表面にモールドされたニップルつき）電極あるいは親指変換器を備える。武器を作動するには自家所有者の認可されたバイオメトリック署名の同定と確認が必要である。
【０２３６】
大きな軍事施設は守衛とチェックポイントを用いて領域への乗物アクセスを制限している。施設内を移動する認可をもつものは図１７４に示すように接触電極をもつタッチ電極腕輪を与えられる。乗物がチェックポイントに近づくと、乗車者は腕輪を差し出し、守衛がそれを携帯接触機構（読取装置１７４／決定装置２９３／メモリー）に接触して置く。認可されたバイオメトリック署名は腕の電極から取り込まれ、接触電極を介して読取装置１７４に通信され、乗物は進むことを許される。
Ｃ．  健康管理および社会サービス
病院の薬局にある管理された資産貯蔵キャビネットへのアクセスは薬剤師の小グループに制限されている。図１７５に示すようにキャビネットはハンドピースを含む。認可された薬剤師が管理された薬を追加したり、取り出したりする必要があるとき、彼らは自分の手をハンドピースに置き、電極に触る。彼らのバイオメトリック署名が認可された使用者の既知サインの小さなリストから認識され、キャビネットが開錠する。キャビネットのマイクロプロセッサが薬剤師のキャビネットへの入室の日時と身元を記録する。
別の病院においては図１７６に示すように病院の薬局にある管理された資産貯蔵キャビネットへのアクセスはバイオメトリックＰＡＮカードにより管理される。キャビネットロック２１１はバイオメトリックＰＡＮカードと無線で通信する。認可された薬剤師が管理された薬を追加したり、取り出したりする必要があるとき、彼らはＰＡＮカードの縁の電極の上をつかみ、それをキャビネットにかざす。ＰＡＮカードは彼らのバイオメトリック署名を送信機２２９を用いてキャビネットロック２１１の受信機２２３に送信する。彼らの現在のバイオメトリック署名が認可された使用者の既知サインの小さなリストから認識され、キャビネットが開錠する。キャビネットのマイクロプロセッサが薬剤師のキャビネットへの入室の日時と身元を記録する。
【０２３７】
電子記録が大きな老人ホームにおいて用いられる。図１７７、１７７ａ、１７７ｂに示すように医者は「シースルー」モードでバーチャルスクリーン眼鏡を備えた額に取り付けられたヘッドセットを用いて記録にアクセスする。これにより医者は患者を診察し、患者に話しかけ、同時に患者の記録を見ることを可能にする。患者の記録のデータベースへのアクセスは額バイオメトリック署名形式のバイオメトリック署名の認識により許可される。これは額に接するヘッドセットの内側表面に配置された電極あるいは音響変換器により達成される。バーチャルスクリーン眼鏡は集中記録コンピュータ１５８と通信するためにＰＡＮシステムを利用する。集中記録コンピュータ１５８はまた医者の既知のバイオメトリックパターンを記憶する。
Ｄ．  情報技術
遠隔通信会社はコンピュータ化されたスイッチングシステムを維持している。物理的コンポーネントは周期的に追加され、システムハードウェアにおいて保守される。ハードウェアへのアクセスはバイオメトリック手法で認可された個人に制限される。これは図１７８、１７８ａに示すように電磁的に誘導される電流で達成される。認可された個人はカードの縁の波形領域に電極をもつ非接触スマートカードを発行される。個人はスマートカードの波形の縁をつかみ、ハードウェアの外側のアンテナ／結合器ユニットの上で保持する。アンテナ／結合器ユニットは電磁エネルギーをスマートカード内のアンテナに無線で送信する。手もアンテナの役割をし、波形縁部にある電極により読み取られる誘導電流を生じ、バイオメトリック署名を生じる。
【０２３８】
自家所有者は平坦画面の携帯テレビと携帯ラジオをもっており、その両方が蓄積された人の機械的エネルギーから発生された電気により電源が入れられる。機械的エネルギーはクランクにより動力供給される小さな運動装置から得ることができる。図１７９に示すように音響骨紋によるバイオメトリックロック２１１装置が認可されたユーザのみに使用を制限する。
Ｅ．  金融取引
ＡＴＭ機は周期的に預金記録を取り出して空にし、現金で詰め直さねばならない。機械へのアクセスは機械をサービスする銀行従業員に制限される。合法的に制限されたアクセスはＡＴＭ機につけられたバイオメトリックロック２１１によりさらに保証される。図１８０に示すように各ＡＴＭ作業者は変換器を持ち歩く。ＡＴＭを開錠するには作業者はＡＴＭの読取装置１７４に変換器カードを差し込み自分の親指を変換器カードパッドに押し付ける。ＡＴＭ読取装置１７４はモデム１９７により銀行のコンピュータ１５８と通信し、これが認可された作業者の小さなリストから作業者を認識し機械を開錠する。日時、ＡＴＭの場所、ＡＴＭ作業者の身元が記録される。
【０２３９】
銀行はＡＴＭ作業者が彼らの本当の身元を隠し、現に既決重罪犯であることを知る。ＡＴＭ作業者の認可は認可された作業者のリストから直ちに除外される。ＡＴＭ作業者は変換器カードを銀行に返還するように命令される。ＡＴＭ作業者が中身を盗むためにＡＴＭを開けようとする。ＡＴＭは作業者を認識し、ＡＴＭを施錠のままにし、警察と銀行に作業者の居場所を通報する。あるいは図１９５に示すように各ＡＴＭ業者者は電極カードを持ち歩き、それがＡＴＭとの関係において変換器カードと同様に機能する。
Ｆ．  乗物
乗物、船舶、航空機のドアハンドルとハンドルが（直径１ｍｍで４極の）電極を備えている。図１８１、１８２、１８２ａ、１８２ｂに示すように認可されたユーザのバイオメトリックパターンがドアハンドルを介して入ってくるまでドアは開錠しない。同様に認可されたバイオメトリック署名のハンドルを介する入力は乗物モータの始動を許す。車を開錠し、エンジンを始動するのに自動車運転者はもはや車のキーを持ち歩く必要はない。ドロボーに対して車は開錠しないし、電気システムは機能しないし、正当な所有者に対してのみそうする。
【０２４０】
乗物に対する金属キーはその先端あるいは頭部に音響パッドを含む。キーがイグニッションに差し込まれたら図１８３、１８３ａ、１８３ｂに示すように運転者の親指の骨紋を取り込むためにキーの金属片がダッシュボード読取装置１７４から電流を伝える。運転者は認識され、イグニッションが開錠される。運転者のプロファイルに基づいて最大速度やＧＰＳによるアダルトエスタブリッシュメントへのアクセスのような運転特性が制御される。
Ｇ．  遠隔操作装置
数多くの装置が遠隔制御により操作される。乗物のイグニッションスターター、乗物開錠装置、テレビ、ラジオ、ガレージのドア等々である。図１８７に示すように遠隔制御ユニットは電極または変換器のようなセンサー３３３を備えている。認可されたバイオメトリック署名の確認には遠隔制御装置を操作する必要がある。
ＩＶ．  電子タグ付けシステム
Ａ．  自宅監禁
既決重罪犯は自宅監禁を宣告されている。図１９７に示すように重罪犯人はバイオメトリック電極を備えた足輪をつけている。足輪は重罪犯の電話に接続されたアンテナ／結合器装置と無線で通信し、これはモデム１９７により法律執行のコンピュータ１５８と通信する。バイオメトリックな足輪は重罪犯のバイオメトリックパターンをアンテナ結合器とモデム１９７を介して当局に周期的に通信し、それにより重罪犯が自宅監禁されたままであることを確認する。
【０２４１】
本発明は個人のバイオメトリック署名が認識されたときにゲームをする方法に属する。
【０２４２】
本発明は個人のバイオメトリック署名が認識されたときにユーテリティーボックスにアクセスする方法に属する。
【０２４３】
本発明は個人のバイオメトリック署名が認識されたときに計器にアクセスする方法に属する。
【０２４４】
本発明は個人のバイオメトリック署名が認識されたときに料金を支払う方法に属する。
【０２４５】
本発明は個人のバイオメトリック署名が認識されたときに乗物あるいは乗物道路にアクセスする方法に属する。
【０２４６】
本発明は個人が認識されたときに通信する個人により電話あるいはビデオフォンのような遠隔通信装置を使用する方法に属する。
【０２４７】
本発明はテレビを見る方法に属する。この方法は個人のバイオメトリック署名を認識するステップを含む。次に個人が認識されたときにテレビおよび／またはテレビのチャンネルを作動するステップがある。
【０２４８】
好ましくは作動ステップは個人が認識されたときにテレビおよび／またはチャンネルの作動料金の個人の勘定を請求するステップを含み、チャンネル送りを制御する装置によるテレビに対するチャンネル送りと、個人のバイオメトリック署名が認識されたときに個人がテレビの所定のチャンネルを作動するのを許すことを含む。
【０２４９】
本発明は個人が認識されたときに図書館あるいは他の供給源から本、ビデオあるいは他の材料を貸し出し手続きをする方法に属する。
【０２５０】
本発明は飛行機に乗る方法に属し、個人のバイオメトリック署名が認識されたときに個人が搭乗用ゲートを通過することが許可される。
【０２５１】
本発明は税関を通る方法に属し、既知のバイオメトリック署名が装置により感知され、提出されたサインと比較され、かつ既知のバイオメトリック署名の比較から個人が認識されたら個人が税関を通ることを許される。好ましくは個人が認識されたあとに提出されたバイオメトリック署名を既知のそれと入れ替えることによりパスポートが更新される。
【０２５２】
本発明は個人の免許および記録に対して交通召喚あるいは違反(traffic citation or offense)を適用する方法に属し、個人のバイオメトリック署名が個人の既知のバイオメトリック署名から認識されたら個人の免許および記録に関する交通召喚あるいは違反を記録する。
【０２５３】
本発明はコンピュータ端末を有する部屋にアクセスする方法に属し、個人が認識されたら例えばコンピュータ端末つきの部屋に通じるドアを開錠する。
【０２５４】
本発明は例えば個人のバイオメトリック署名を認識する音響特性を感知し、かつ行為の時間を記録することにより個人がいつ行為を実行するかを監視する方法に属する。
【０２５５】
本発明は個人のバイオメトリック署名が認識されたときに個人の口座にアクセスする方法に属し、それは会計における個人の医療記録へのノートパッドによるアクセスおよび個人領域ネットワークへのアクセスを含み、後者を通じて個人のバイオメトリック署名が提供され、また携帯電話、ポケットベル（登録商標）およびデジタルアシスタント機能をまとめるＰＡＮ腕装置により個人のバイオメトリック署名が認識されたら後者を通じて個人の口座がアクセスされ、個人のバイオメトリック署名が認識されたら後者が個人のバイオメトリック署名を提供する。
【０２５６】
本発明はＵＳフードスタンプやメディケードのような政府の慈善事業あるいは基金を運営する方法に属し、個人のバイオメトリック署名を認識することにより、かつ関係情報を有するカード中のマイクロチップを含む装置において個人のバイオメトリック署名が認識されたら個人の勘定の基金の給付の値を調整する。
【０２５７】
本発明は領域にアクセスする方法に属する。この方法は個人のバイオメトリック署名を取り込むために個人がロック装置に触るステップを含む。次に個人のバイオメトリック署名を認識するステップがある。次に領域にアクセスするためにロック装置を開放するステップがある。
【０２５８】
好ましくはロック装置はドアのハンドルを含み、触るステップが個人のバイオメトリック署名を取り込むために個人がドアのハンドルを触るステップを含む。次にドアをハンドルで開けるステップを含む開放ステップがある。認識ステップのあとに好ましくは個人の身元および／またはバイオメトリック署名が認識されたら個人が触った日時をメモリー１６２に記録するステップがある。
【０２５９】
好ましくは記録ステップは個人のバイオメトリック署名を取り込むためにハンドルに取り付けられた認識装置のタッチ機構を触るステップか、個人のバイオメトリック署名を取り込むために認識装置の非接触機構のハンドルの周りの区域の中に個人の部分を置くステップかを含む。触るステップは好ましくは個人のバイオメトリック署名を取り込むために認識装置のためのタッチ機構の電極か変換器を触るステップを含み、あるいは個人のバイオメトリック署名を取り込むために部分を置くステップが領域の電場および／または磁場の中に、あるいは領域の音波の中に個人の部分を置くステップを含む。好ましくは触るステップはカード１７０がカード読取装置１７４の中にあるときに個人のバイオメトリック署名をドアに隣接する、あるいは取り付けられた、あるいは一体となったカード読取装置１７４に提出する、個人が触るための電極あるいは変換器をもつカード１７０を触るステップを含む。
【０２６０】
本発明は領域にアクセスする方法に属する。この方法は個人のバイオメトリック署名を取り込むために領域に対するロック装置を個人が触るステップを含む。次に特有の特性を有するセンサー機構で個人のバイオメトリック署名を認識するステップがある。次に領域にアクセスするためにロック装置を開放するステップがある。
【０２６１】
本発明は領域にアクセスする方法に属する。この方法は個人のバイオメトリック署名を取り込むために領域に対するロック装置を個人が障るステップを含む。次に音響特性を感知するセンサー機構で個人のバイオメトリック署名を認識するステップがある。次に領域にアクセスするためにロック装置を開放するステップがある。
【０２６２】
本発明は領域にアクセスする方法に属する。この方法は個人のバイオメトリック署名を取り込むために領域に対するロック装置を個人により障るステップを含む。次に電気的および／または磁気的特性を感知するセンサー機構で個人のバイオメトリック署名を認識するステップがある。次に領域にアクセスするためにロック装置を開放するステップがある。
【０２６３】
好ましくは、開放ステップの前に、個人のバイオメトリック署名が認識されたらドアを開錠するステップがある。開放ステップの前に、好ましくは、個人のバイオメトリック署名が認識されたらドアを開錠するステップがある。好ましくは、開放ステップの前に、個人のバイオメトリック署名が認識されたらドアを開錠するステップがある。
【０２６４】
本発明は領域にアクセスする方法に属する。この方法は個人のバイオメトリック署名を取り込むために領域への入室装置のセンサーを有するハンドルに個人が触るステップを含む。次に個人のバイオメトリック署名を認識するステップがある。
【０２６５】
本発明は領域にアクセスする方法に属する。この方法はバイオメトリック署名を取り込むために領域への入室装置の特有の特性をもつセンサー機構を有するハンドルに個人が触るステップを含む。次に個人のバイオメトリック署名を認識するステップがある。次に領域へアクセスするためにロック装置を開放するステップがある。
【０２６６】
本発明は領域にアクセスする方法に属する。この方法はバイオメトリック署名を取り込むために領域への入室装置の音響特性を感知するセンサー機構を有するハンドルに個人が触るステップを含む。次に個人のバイオメトリック署名を認識するステップがある。次に領域へアクセスするためにロック装置を開放するステップがある。
【０２６７】
本発明は領域にアクセスする方法に属する。この方法はバイオメトリック署名を取り込むために領域への入室装置の電気的および／または磁気的特性を感知するセンサー機構を有するハンドルに個人が触るステップを含む。次に個人のバイオメトリック署名を認識するステップがある。次に領域へアクセスするためにロック装置を開放するステップがある。
【０２６８】
本発明はデータにアクセスする方法に属する。この方法は個人のバイオメトリック署名を認識するステップを含む。次に個人のバイオメトリック署名が認識されたときにメモリー１６２あるいはデータ記憶装置の個人により認可された区分にのみアクセスするステップがある。
【０２６９】
本発明はデータにアクセスする方法に属する。この方法は特有の特性をもつセンサー機構で個人のバイオメトリック署名を認識するステップを含む。次に個人のバイオメトリック署名が認識されたときにメモリー１６２あるいはデータ記憶装置の個人により認可された区分にのみアクセスするステップがある。
【０２７０】
この方法は音響特性を感知するセンサー機構で個人のバイオメトリック署名を認識するステップを含む。次に個人のバイオメトリック署名が認識されたときにメモリー１６２あるいはデータ記憶装置の個人により認可された区分にのみアクセスするステップがある。
【０２７１】
本発明はデータにアクセスする方法に属する。この方法は電気的および／または磁気的特性を感知するセンサー機構で個人のバイオメトリック署名を認識するステップを含む。次に個人のバイオメトリック署名が認識されたときにメモリー１６２あるいはデータ記憶装置の個人により認可された区分にのみアクセスするステップがある。
【０２７２】
本発明はネットワークにアクセスする方法に属する。この方法は個人のバイオメトリック署名を認識するステップを含む。次に個人のバイオメトリック署名が認識されたらネットワークアクセス装置によりネットワークの認可された区分にのみアクセスするステップがある。好ましくはネットワークは「インターネット」、「エクストラネット」および「イントラネット」を含む。
【０２７３】
本発明はネットワークにアクセスする方法に属する。この方法は特有の特性を有するセンサー機構により個人のバイオメトリック署名を認識するステップを含む。次に個人のバイオメトリック署名が認識されたらネットワークアクセス装置によりネットワークの認可された区分にのみアクセスするステップがある。
【０２７４】
本発明はネットワークにアクセスする方法に属する。この方法は音響特性を感知するセンサー機構により個人のバイオメトリック署名を認識するステップを含む。次に個人のバイオメトリック署名が認識されたらネットワークアクセス装置によりネットワークの認可された区分にのみアクセスするステップがある。
【０２７５】
本発明はネットワークにアクセスする方法に属する。この方法は電気的および／または磁気的特性を感知するセンサー機構により個人のバイオメトリック署名を認識するステップを含む。次に個人のバイオメトリック署名が認識されたらネットワークアクセス装置によりネットワークの認可された区分にのみアクセスするステップがある。
【０２７６】
本発明はソフトウェアにアクセスする方法に属する。この方法は個人のバイオメトリック署名を認識するステップを含む。次に個人のバイオメトリック署名が認識されたらソフトウェアにアクセスするステップがある。
【０２７７】
本発明はソフトウェアにアクセスする方法に属する。この方法は特有の特性を有するセンサー機構により個人のバイオメトリック署名を認識するステップを含む。次に個人のバイオメトリック署名が認識されたらソフトウェアにアクセスするステップがある。
【０２７８】
本発明はソフトウェアにアクセスする方法に属する。この方法は音響特性を感知するセンサー機構により個人のバイオメトリック署名を認識するステップを含む。次に個人のバイオメトリック署名が認識されたらソフトウェアにアクセスするステップがある。
【０２７９】
本発明はソフトウェアにアクセスする方法に属する。この方法は電気的および／または磁気的特性を感知するセンサー機構により個人のバイオメトリック署名を認識するステップを含む。次に個人のバイオメトリック署名が認識されたらソフトウェアにアクセスするステップがある。
【０２８０】
本発明はコンピュータ１５８にアクセスする方法に属する。この方法は個人のバイオメトリック署名を認識するステップを含む。次に個人のバイオメトリック署名が認識されたらコンピュータ１５８にアクセスするステップがある。
【０２８１】
本発明はコンピュータ１５８にアクセスする方法に属する。この方法は特有の特性を有するセンサー機構により個人のバイオメトリック署名を認識するステップを含む。次に個人のバイオメトリック署名が認識されたらコンピュータ１５８にアクセスするステップがある。
【０２８２】
本発明はコンピュータ１５８にアクセスする方法に属する。この方法は音響特性を感知するセンサー機構により個人のバイオメトリック署名を認識するステップを含む。次に個人のバイオメトリック署名が認識されたらコンピュータ１５８にアクセスするステップがある。
【０２８３】
本発明はコンピュータ１５８にアクセスする方法に属する。この方法は電気的および／または磁気的特性を感知するセンサー機構により個人のバイオメトリック署名を認識するステップを含む。次に個人のバイオメトリック署名が認識されたらコンピュータ１５８にアクセスするステップがある。
【０２８４】
本発明は保護の方法に属する。この方法は個人のバイオメトリック署名を認識するステップを含む。次に個人のバイオメトリック署名が認識されたら武器を作動するステップがあり、前記認識装置が武器と一体化している。
【０２８５】
好ましくは作動ステップが個人のバイオメトリック署名を取り込むために武器の作動装置に接続されたセンサー３３３を触り、そうして個人のバイオメトリック署名が認識されるときだけ作動装置を動作できるステップを含む。
【０２８６】
本発明は保護の方法に属する。この方法は特有の特性を有するセンサー機構で個人のバイオメトリック署名を認識するステップを含む。次に個人のバイオメトリック署名が認識されたら武器を作動するステップがあり、前記認識装置が武器と一体化している。
【０２８７】
本発明は保護の方法に属する。この方法は音響特性を感知するセンサー機構で個人のバイオメトリック署名を認識するステップを含む。次に個人のバイオメトリック署名が認識されたら武器を作動するステップがあり、前記認識装置が武器と一体化している。
【０２８８】
本発明は保護の方法に属する。この方法は電気的および／あるいは磁気的特性を感知するセンサー機構で個人のバイオメトリック署名を認識するステップを含む。次に個人のバイオメトリック署名が認識されたら武器を作動するステップがあり、前記認識装置が武器と一体化している。
【０２８９】
本発明は薬にアクセスする方法に属する。この方法は個人のバイオメトリック署名を認識するステップを含む。次に個人のバイオメトリック署名が認識されたら薬を保持する領域のロックを開錠し、そうして個人が領域へのドアを開けられるステップがある。
【０２９０】
好ましくは開錠ステップが個人のバイオメトリック署名が認識されたら薬を保持する薬局のキャビネット、ボックスあるいは部屋のドアのロックを開錠し、そうして個人がキャビネット、ボックスあるいは部屋のドアを開放できるステップを含む。開錠ステップのあとに好ましくはロックが開錠されるたびに日時、個人の身元をメモリー１６２に記録するステップがある。
【０２９１】
好ましくは開錠ステップがＰＡＮカードから個人のバイオメトリック署名を送信し、ロックに接続された認識装置に接続された受信機により、送信されたバイオメトリック署名を受信し、認識装置が個人のバイオメトリック署名を認識したらロックを開錠するステップを含む。
【０２９２】
本発明は薬にアクセスする方法に属する。この方法は特有の特性を有するセンサー機構で個人のバイオメトリック署名を認識するステップを含む。次に個人のバイオメトリック署名が認識されたら薬を保持する領域のロックを開錠し、そうして個人が領域へのドアを開放できるステップがある。
【０２９３】
本発明は薬にアクセスする方法に属する。この方法は音響特性を感知するセンサー機構で個人のバイオメトリック署名を認識するステップを含む。次に個人のバイオメトリック署名が認識されたら薬を保持する領域のロックを開錠し、そうして個人が領域へのドアを開放できるステップがある。
【０２９４】
本発明は薬にアクセスする方法に属する。この方法は電気的および／磁気的特性を感知するセンサー機構で個人のバイオメトリック署名を認識するステップを含む。次に個人のバイオメトリック署名が認識されたら薬を保持する領域のロックを開錠し、そうして個人が領域へのドアを開放できるステップがある。
【０２９５】
本発明は個人を認識する方法に属する。この方法は額に取り付けられたヘッドセットのセンサー３３３で個人のバイオメトリック署名について感知するステップを含む。次に個人のバイオメトリック署名から個人を認識するステップがある。
【０２９６】
好ましくは感知ステップのあとに個人のバイオメトリック署名をヘッドセットに取り付けた送信機で送信するステップがある。次に送信された個人のバイオメトリック署名を認識装置において受信するステップがある。次に個人のバイオメトリック署名を認識装置で認識するステップを含む認識ステップがある。次に認識ステップのあとにメモリー１６２の中の電子記録をメモリー１６２に接続された送信機で送信するステップある。次に送信された電子記録をヘッドセットの受信機で受信するステップがある。次にヘッドセットに取り付けたシースルーモードを有するバーチャルスクリーンつきの眼鏡で実際の現実と電子記録とを同時に観察するステップがある。
【０２９７】
観察ステップの前に好ましくは外部作業環境を調べるステップがあり、観察ステップがヘッドセットに取り付けたシースルーモードを有するバーチャルスクリーンつきの眼鏡で外部作業環境と電子記録とを同時に観察するステップを含む。好ましくは電子記録が医療記録を含み、外部作業環境が患者を含む。電子記録は好ましくは工学概念図を含み、外部作業環境が装置を含む。好ましくは電子記録は地図を含む。
【０２９８】
本発明は電子記録にアクセスする方法に属する。この方法は額に取り付けられたヘッドセットのセンサー３３３で個人のバイオメトリック署名について感知するステップを含む。次に特有の特性を有するセンサー機構をもつ認識装置で個人のバイオメトリック署名を認識するステップがある。
【０２９９】
本発明は電子記録にアクセスする方法に属する。この方法は額に取り付けられたヘッドセットのセンサー３３３で個人のバイオメトリック署名について感知するステップを含む。次に音響特性を感知するセンサー機構をもつ認識装置で個人のバイオメトリック署名を認識するステップがある。
【０３００】
本発明は電子記録にアクセスする方法に属する。この方法は額に取り付けられたヘッドセットのセンサー３３３で個人のバイオメトリック署名について感知するステップを含む。次に電気的および／磁気的特性を感知するセンサー機構をもつ認識装置で個人のバイオメトリック署名を認識するステップがある。
【０３０１】
本発明は電子記録にアクセスする方法に属する。この方法は額に取り付けられたヘッドセットのセンサー３３３で個人のバイオメトリック署名について感知するステップを含む。次にヘッドセットに取り付けた送信機で個人のバイオメトリック署名について送信するステップがある。次に送信された個人のバイオメトリック署名を認識装置において受信するステップがある。次に額のセンサーと通信する認識装置で個人のバイオメトリック署名を認識するステップがある。次に個人による電子記録へのアクセスを許すステップがある。
【０３０２】
本発明は電子記録にアクセスする方法に属する。この方法は額に取り付けられたヘッドセットの特有の特性を有するセンサー３３３で個人のバイオメトリック署名について感知するステップを含む。次にヘッドセットに取り付けた送信機で個人のバイオメトリック署名について送信するステップがある。次に送信された個人のバイオメトリック署名を認識装置において受信するステップがある。次に特有の特性を有する額のセンサーと通信する認識装置で個人のバイオメトリック署名を認識するステップがある。次に個人による電子記録へのアクセスを許すステップがある。
【０３０３】
本発明は電子記録にアクセスする方法に属する。この方法は額に取り付けられたヘッドセットの音響特性を感知するセンサー３３３で個人のバイオメトリック署名について感知するステップを含む。次にヘッドセットに取り付けた送信機で個人のバイオメトリック署名について送信するステップがある。次に送信された個人のバイオメトリック署名を認識装置において受信するステップがある。次に音響特性を感知する額のセンサーと通信する認識装置で個人のバイオメトリック署名を認識するステップがある。次に個人による電子記録へのアクセスを許すステップがある。
【０３０４】
本発明は電子記録にアクセスする方法に属する。この方法は額に取り付けられたヘッドセットの電気的および／または磁気的特性を感知するセンサー３３３で個人のバイオメトリック署名について感知するステップを含む。次にヘッドセットに取り付けた送信機で個人のバイオメトリック署名について送信するステップがある。次に送信された個人のバイオメトリック署名を認識装置において受信するステップがある。次に電気的および／または磁気的特性を感知する額のセンサーと通信する認識装置で個人のバイオメトリック署名を認識するステップがある。次に個人による電子記録へのアクセスを許すステップがある。
【０３０５】
本発明は装置にアクセスする方法に属する。この方法は個人のバイオメトリック署名を認識するステップを含む。次に個人のバイオメトリック署名が認識されたら装置が配置された領域に対する、あるいは装置自身に対するロックを開錠し、そうして個人がその領域に入ることができるステップがある。
【０３０６】
好ましくは装置は遠隔通信スイッチングシステムを含み、開錠ステップは個人のバイオメトリック署名が確認されたらキャビネットの中に配置された遠隔通信スイッチングシステムでキャビネットのドアのロックを開錠し、そうして個人がキャビネットのドアを開放できるステップを含む。
【０３０７】
本発明は装置にアクセスする方法に属する。この方法は電気的および／または磁気的特性を感知するセンサー機構で個人のバイオメトリック署名を認識するステップを含む。次に個人のバイオメトリック署名が認識されたら装置が配置された領域に対する、あるいは装置自身に対するロックを開錠し、そうして個人がその領域に入ることができるステップがある。
【０３０８】
本発明は装置にアクセスする方法に属する。この方法は特有の特性を有するセンサー機構で個人のバイオメトリック署名を認識するステップを含む。次に個人のバイオメトリック署名が認識されたら装置が配置された領域に対する、あるいは装置自身に対するロックを開錠し、そうして個人がその領域に入ることができるステップがある。
【０３０９】
本発明は装置にアクセスする方法に属する。この方法は音響特性を感知するセンサー機構で個人のバイオメトリック署名を認識するステップを含む。次に個人のバイオメトリック署名が認識されたら装置が配置された領域に対する、あるいは装置自身に対するロックを開錠し、そうして個人がその領域に入ることができるステップがある。
【０３１０】
本発明は現金にアクセスする方法に属する。この方法は特有の特性を有するセンサー機構で個人のバイオメトリック署名を認識するステップを含む。次に個人のバイオメトリック署名が認識されたら現金を保持かつ出金するＡＴＭ機のロック装置を開錠し、そうして個人がＡＴＭ機にアクセスできるステップがある。
【０３１１】
本発明は現金にアクセスする方法に属する。この方法は音響特性を感知するセンサー機構で個人のバイオメトリック署名を認識するステップを含む。次に個人のバイオメトリック署名が認識されたら現金を保持かつ出金するＡＴＭ機のロック装置を開錠し、そうして個人がＡＴＭ機にアクセスできるステップがある。
【０３１２】
本発明は現金にアクセスする方法に属する。この方法は電気的および／または磁気的特性を感知するセンサー機構で個人のバイオメトリック署名を認識するステップを含む。次に個人のバイオメトリック署名が認識されたら現金を保持かつ出金するＡＴＭ機のロック装置を開錠し、そうして個人がＡＴＭ機にアクセスできるステップがある。好ましくは開錠ステップのあとにＡＴＭ機が開錠されるたびに日時と個人の身元を記録するステップがある。
【０３１３】
本発明は乗物、船舶あるいは飛行機を操作する方法に属する。この方法は個人のバイオメトリック署名を認識するステップを含む。次に個人のバイオメトリック署名が認識されたら乗物の操作を許可するステップがある。
【０３１４】
好ましくは認識ステップの前に個人のバイオメトリック署名を取り込むためにセンサー３３３を有する乗物のドアのドアハンドルを触るステップがある。許可ステップは個人のバイオメトリック署名が認識されたら乗物のドアロックを開錠するステップを含む。認識ステップの前に個人のバイオメトリック署名を取り込むためにセンサー３３３を有する乗物のハンドルを触り、センサー３３３から取り込まれた個人のバイオメトリック署名が認識されたら乗物のエンジンあるいはモータを始動するステップがある。好ましくは認識ステップの前に個人のバイオメトリック署名を取り込むために個人が乗物を運転するための座席から届く範囲内にあるセンサーを個人が触り、センサーから取り込まれた個人のバイオメトリック署名が確認されたら乗物のエンジンあるいはモータを始動するステップがある。
【０３１５】
本発明は乗物、船舶あるいは飛行機に入る方法に属する。この方法は個人のバイオメトリック署名を取り込むためにセンサーを有する乗物のドアのドアハンドルを触るステップを含む。次に特有の特性を有するセンサー機構で個人のバイオメトリック署名を認識するステップがある。次に個人のバイオメトリック署名が認識されたら乗物のドアロックを開錠するステップがある。
【０３１６】
本発明は乗物、船舶あるいは飛行機に入る方法に属する。この方法は個人のバイオメトリック署名を取り込むためにセンサーを有する乗物のドアのドアハンドルを触るステップを含む。次に音響特性を感知するセンサー機構で個人のバイオメトリック署名を認識するステップがある。次に個人のバイオメトリック署名が認識されたら乗物のドアロックを開錠するステップがある。
【０３１７】
本発明は乗物、船舶あるいは飛行機に入る方法に属する。この方法は個人のバイオメトリック署名を取り込むためにセンサーを有する乗物のドアのドアハンドルを触るステップを含む。次に電気的および／または磁気的特性を感知するするセンサー機構で個人のバイオメトリック署名を認識するステップがある。次に個人のバイオメトリック署名が認識されたら乗物のドアロックを開錠するステップがある。
【０３１８】
本発明は乗物を操作する方法に属する。この方法は乗物の鍵穴にキーを差し込むステップを含む。次に個人のバイオメトリック署名を認識するステップがある。次に個人のバイオメトリック署名が認識され、かつキーが鍵穴に差し込まれたらモータあるいはエンジンをかみ合わせるステップがある。
【０３１９】
好ましくは認識ステップはキーが鍵穴に差し込まれたらキーと一体となったセンサーに触り、かつ個人がセンサーに触る間にキーに一体となったセンサーから個人のバイオメトリック署名を取り込むために乗物から電流を受けるステップを含む。
【０３２０】
本発明は乗物を操作する方法に属する。この方法は乗物の鍵穴にキーを差し込むステップを含む。次に特有の特性を有するセンサー機構で個人のバイオメトリック署名を認識するステップがある。次に個人のバイオメトリック署名が認識され、かつキーが鍵穴に差し込まれたらモータあるいはエンジンをかみ合わせるステップがある。
【０３２１】
本発明は乗物を操作する方法に属する。この方法は乗物の鍵穴にキーを差し込むステップを含む。次に音響特性を感知するセンサー機構で個人のバイオメトリック署名を認識するステップがある。次に個人のバイオメトリック署名が認識され、かつキーが鍵穴に差し込まれたらモータあるいはエンジンをかみ合わせるステップがある。
【０３２２】
本発明は乗物を操作する方法に属する。この方法は乗物の鍵穴にキーを差し込むステップを含む。次に電気的および／または磁気的特性を感知するセンサー機構で個人のバイオメトリック署名を認識するステップがある。次に個人のバイオメトリック署名が認識され、かつキーが鍵穴に差し込まれたらモータあるいはエンジンをかみ合わせるステップがある。
【０３２３】
本発明は領域にアクセスする方法に属する。この方法は領域に対するロックの鍵穴にキーを差し込むステップを含む。次にキーと通信するセンサー機構で個人のバイオメトリック署名を認識するステップがある。次に個人のバイオメトリック署名が認識され、かつキーが鍵穴に差し込まれたらロックを開放するステップがある。
【０３２４】
本発明は領域にアクセスする方法に属する。この方法は領域に対するロックの鍵穴にキーを差し込むステップを含む。次にキーと通信し、特有の特性を有するセンサー機構で個人のバイオメトリック署名を認識するステップがある。次に個人のバイオメトリック署名が認識され、かつキーが鍵穴に差し込まれたらロックを開放するステップがある。
【０３２５】
本発明は領域にアクセスする方法に属する。この方法は領域に対するロックの鍵穴にキーを差し込むステップを含む。次にキーと通信し、音響特性を感知するセンサー機構で個人のバイオメトリック署名を認識するステップがある。次に個人のバイオメトリック署名が認識され、かつキーが鍵穴に差し込まれたらロックを開放するステップがある。
【０３２６】
本発明は領域にアクセスする方法に属する。この方法は領域に対するロックの鍵穴にキーを差し込むステップを含む。次にキーと通信し、電気的および／または磁気的特性を感知するセンサー機構で個人のバイオメトリック署名を認識するステップがある。次に個人のバイオメトリック署名が認識され、かつキーが鍵穴に差し込まれたらロックを開放するステップがある。
【０３２７】
本発明は制御信号を作動する方法に属する。この方法は個人のバイオメトリック署名を認識するステップを含む。次に個人のバイオメトリック署名が認識されたら遠隔制御装置の制御信号を送信する送信機で制御信号を生じるステップがある。
【０３２８】
好ましくは認識ステップの前に個人のバイオメトリック署名を取り込むために制御装置のセンサーを触るステップがある。触るステップは好ましくは個人のバイオメトリック署名を取り込むために制御装置の上についたセンサーを触るステップがある。好ましくは認識ステップの前に個人のバイオメトリック署名を取り込むために個人の部分を区域内に置くステップがある。
【０３２９】
本発明は制御信号を作動する方法に属する。この方法は特有の特性を有するセンサー機構で個人のバイオメトリック署名を認識するステップを含む。次に個人のバイオメトリック署名が認識されたら遠隔制御装置の制御信号を送信する送信機で制御信号を生じるステップがある。
【０３３０】
本発明は制御信号を作動する方法に属する。この方法は音響特性を感知するセンサー機構で個人のバイオメトリック署名を認識するステップを含む。次に個人のバイオメトリック署名が認識されたら遠隔制御装置の制御信号を送信する送信機で制御信号を生じるステップがある。
【０３３１】
本発明は制御信号を作動する方法に属する。この方法は電気的および／あるいは磁気的特性を感知するセンサー機構で個人のバイオメトリック署名を認識するステップを含む。次に個人のバイオメトリック署名が認識されたら遠隔制御装置の制御信号を送信する送信機で制御信号を生じるステップがある。
【０３３２】
本発明は監視する方法に属する。この方法は個人が着用する着用装置の接触機構の送信機から個人のバイオメトリック署名を送信するステップを含み、前記接触機構は個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３３３】
好ましくは送信ステップが個人の足首の周りの足輪の接触機構の送信機から、あるいは個人の手首の周りの腕輪の接触機構の送信機から個人のバイオメトリック署名を送信するステップを含み、前記接触機構が個人のバイオメトリック署名を取り込む。認識ステプのあとに好ましくは個人のバイオメトリック署名が所定時間に受信されなかったら警報をトリガーするステップがある。
【０３３４】
本発明は監視する方法に属する。この方法は個人が着用する着用装置の特有の特性を有するセンサー機構を持つ接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３３５】
本発明は監視する方法に属する。この方法は個人が着用する着用装置の音響特性を感知するセンサー機構を持つ接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３３６】
本発明は監視する方法に属する。この方法は個人が着用する着用装置の電気的および／または磁気的特性を感知するセンサー機構を持つ接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３３７】
本発明は監視する方法に属する。この方法は個人が着用する着用装置の接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３３８】
好ましくは送信ステップが個人の足首の周りの足輪の接触機構の送信機から、あるいは個人の手首の周りの腕輪の接触機構の送信機から個人のバイオメトリック署名を送信するステップを含み、前記接触機構が個人のバイオメトリック署名を取り込む。認識ステプのあとに個人のバイオメトリック署名が所定時間に受信されなかったら警報をトリガーするステップがある。
【０３３９】
本発明は監視する方法に属する。この方法は個人が着用する着用装置の音響特性を感知するセンサー機構を持つ接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３４０】
本発明は監視する方法に属する。この方法は個人が着用する着用装置の音響特性を感知するセンサー機構を持つ接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３４１】
本発明は監視する方法に属する。この方法は個人が着用する着用装置の電気的および／または磁気的特性を感知するセンサー機構を持つ接触機構の送信機から個人のバイオメトリック署名を送信するステップを含み、前記接触機構が個人のバイオメトリック署名を取り込むためのものである。次に送信機から離れた場所でバイオメトリック署名を受信機で受信するステップがある。次に受信機で受信された個人のバイオメトリック署名を認識するステップがある。
【０３４２】
本発明は監視する方法に属する。この方法は非接触機構の送信機から個人のバイオメトリック署名を送信するステップを含み、前記非接触機構が個人のバイオメトリック署名を個人から遠く離れて取り込むためのものである。次に送信機から離れた場所でバイオメトリック署名を受信機で受信するステップがある。次に受信機で受信された個人のバイオメトリック署名を認識するステップがある。
【０３４３】
本発明は監視する方法に属する。この方法は独特の特性を有するセンサー機構を有する非接触機構の送信機から個人のバイオメトリック署名を送信するステップを含み、前記非接触機構が個人のバイオメトリック署名を個人から遠く離れて取り込むためのものである。次に送信機から離れた場所でバイオメトリック署名を受信機で受信するステップがある。次に受信機で受信された個人のバイオメトリック署名を認識するステップがある。
【０３４４】
本発明は監視する方法に属する。この方法は音響特性を感知するセンサー機構を有する非接触機構の送信機から個人のバイオメトリック署名を送信するステップを含み、前記非接触機構が個人のバイオメトリック署名を個人から遠く離れて取り込むためのものである。次に送信機から離れた場所でバイオメトリック署名を受信機で受信するステップがある。次に受信機で受信された個人のバイオメトリック署名を認識するステップがある。
【０３４５】
本発明は監視する方法に属する。この方法は電気的および／あるいは磁気的特性を感知するセンサー機構を有する非接触機構の送信機から個人のバイオメトリック署名を送信するステップを含み、前記非接触機構が個人のバイオメトリック署名を個人から遠く離れて取り込むためのものである。次に送信機から離れた場所でバイオメトリック署名を受信機で受信するステップがある。次に受信機で受信された個人のバイオメトリック署名を認識するステップがある。
【０３４６】
本発明は監視する方法に属する。この方法は個人が着用したバイオメトリック装置で個人のバイオメトリック署名を取り込むステップを含む。次にバイオメトリック装置の特有のＩＤとバイオメトリック装置を着用した個人のバイオメトリック装置から取り込まれたバイオメトリック信号を、バイオメトリック装置の送受信機で送信するステップがある。次に特有のＩＤとバイオメトリック信号を認識装置において認識装置の送受信機で受信するステップがある。次に個人のバイオメトリック署名を認識装置で認識するステップがある。次に個人がどこに居るかを決定するステップがある。
【０３４７】
好ましくはバイオメトリック装置は個人のバイオメトリック署名を取り込むために個人が触る接触機構を含む。バイオメトリック装置は好ましくは個人のバイオメトリック署名を取り込むために個人の部分が置かれる区域を有する非接触機構を含む。
【０３４８】
本発明は監視する方法に属する。この方法は個人が着用した特有の特性を有するセンサー機構をもつバイオメトリック装置で個人のバイオメトリック署名を取り込むステップを含む。次にバイオメトリック装置の特有のＩＤとバイオメトリック装置を着用した個人のバイオメトリック装置から取り込まれたバイオメトリック信号を、バイオメトリック装置の送受信機で送信するステップがある。次に特有のＩＤとバイオメトリック信号を認識装置において認識装置の送受信機で受信するステップがある。次に個人のバイオメトリック署名を認識装置で認識するステップがある。次に個人がどこに居るかを決定するステップがある。
【０３４９】
本発明は監視する方法に属する。この方法は音響特性を感知するセンサー機構を個人がつけて着用したバイオメトリック装置で個人のバイオメトリック署名を取り込むステップを含む。次にバイオメトリック装置の特有のＩＤとバイオメトリック装置を着用した個人のバイオメトリック装置から取り込まれたバイオメトリック信号を、バイオメトリック装置の送受信機で送信するステップがある。次に特有のＩＤとバイオメトリック信号を認識装置において認識装置の送受信機で受信するステップがある。次に個人のバイオメトリック署名を認識装置で認識するステップがある。次に個人がどこに居るかを決定するステップがある。
【０３５０】
本発明は監視する方法に属する。この方法は電気的および／または磁気的特性を感知するセンサー機構を個人がつけて着用したバイオメトリック装置で個人のバイオメトリック署名を取り込むステップを含む。次にバイオメトリック装置の特有のＩＤとバイオメトリック装置を着用した個人のバイオメトリック装置から取り込まれたバイオメトリック信号をバイオメトリック装置の送受信機で送信するステップがある。次に特有のＩＤとバイオメトリック信号を認識装置において認識装置の送受信機で受信するステップがある。次に個人のバイオメトリック署名を認識装置で認識するステップがある。次に個人がどこに居るかを決定するステップがある。
【０３５１】
本発明は追跡方法に属する。この方法は個人のバイオメトリック署名を取り込むステップを含む。次に情報と個人のバイオメトリック署名とを個人の送受信機で個人を認識する認識装置の認識送受信機に送るステップがある。次に情報と個人のバイオメトリック署名とを認識装置の送受信機で受信するステップがある。次に個人のバイオメトリック署名を認識するステップがある。次にＧＰＳから個人の位置を確認するステップがある。
【０３５２】
好ましくは送るステップは個人のバイオメトリック署名を個人の送受信機に取り込むための制御装置ＰＡＮタッチセンサーカード１７０を差し込むステップを含む。
【０３５３】
本発明は追跡方法に属する。この方法は特有の特性を有するセンサー機構で個人のバイオメトリック署名を取り込むステップを含む。次に情報と個人のバイオメトリック署名とを個人の送受信機で個人を認識する認識装置の認識送受信機に送るステップがある。次に情報と個人のバイオメトリック署名とを認識装置の送受信機で受信するステップがある。次に個人のバイオメトリック署名を認識するステップがある。次にＧＰＳから個人の位置を確認するステップがある。
【０３５４】
本発明は追跡方法に属する。この方法は音響特性を感知するセンサー機構で個人のバイオメトリック署名を取り込むステップを含む。次に情報と個人のバイオメトリック署名とを個人の送受信機で個人を認識する認識装置の認識送受信機に送るステップがある。次に情報と個人のバイオメトリック署名とを認識装置の送受信機で受信するステップがある。次に個人のバイオメトリック署名を認識するステップがある。次にＧＰＳから個人の位置を確認するステップがある。
【０３５５】
本発明は追跡方法に属する。この方法は個人のバイオメトリック署名を取り込むステップを含む。次に情報と個人のバイオメトリック署名とを個人の送受信機で個人を認識する認識装置の認識送受信機に送るステップがある。次に情報と個人のバイオメトリック署名とを認識装置の送受信機で受信するステップがある。次に電気的および／磁気的特性を感知するセンサー機構で個人のバイオメトリック署名を認識するステップがある。次にＧＰＳから個人の位置を確認するステップがある。
【０３５６】
本発明は追跡方法に属する。この方法は個人のバイオメトリック署名を認識するステップを含む。次に個人のバイオメトリック署名が認識されたら個人の位置をＧＰＳから確認するステップがある。
【０３５７】
本発明は追跡方法に属する。この方法は特有の特性を有するセンサー機構で個人のバイオメトリック署名を認識するステップを含む。次に個人のバイオメトリック署名が認識されたら個人の位置をＧＰＳから確認するステップがある。
【０３５８】
本発明は追跡方法に属する。この方法は音響特性を感知するセンサー機構で個人のバイオメトリック署名を認識するステップを含む。次に個人のバイオメトリック署名が認識されたら個人の位置をＧＰＳから確認するステップがある。
【０３５９】
本発明は追跡方法に属する。この方法は電気的特性および／または磁気的特性を感知するセンサー機構で個人のバイオメトリック署名を認識するステップを含む。次に個人のバイオメトリック署名が認識されたら個人の位置をＧＰＳから確認するステップがある。
【０３６０】
本発明は現金にアクセスする方法に属する。この方法は個人のバイオメトリック署名を認識するステップを含む。次に制御ユニットにおいて個人に供給されるべき現金の量を確認するステップがある。次に個人のバイオメトリック署名が認識されたら個人に現金を供給するステップがある。
【０３６１】
好ましくは確認ステップはＡＴＭ機において個人に供給されるべき現金の量を確認するステップを含み、供給ステップは個人のバイオメトリック署名が認識されたらＡＴＭ機から個人に現金を供給するステップを含む。供給ステップの前に好ましくは制御ユニットにより個人に供給されるべき現金の量を個人の口座に課金するステップがあり、供給ステップは個人のバイオメトリック署名が認識されたら制御ユニットから個人に現金を供給するステップを含む。
【０３６２】
本発明は現金にアクセスする方法に属する。この方法は特有の特性を有するセンサー機構で個人のバイオメトリック署名を認識するステップを含む。次に制御ユニットにおいて個人に供給されるべき現金の量を確認するステップがある。次に個人のバイオメトリック署名が認識されたら個人に現金を供給するステップがある。
【０３６３】
本発明は現金にアクセスする方法に属する。この方法は音響特性を感知するセンサー機構で個人のバイオメトリック署名を認識するステップを含む。次に制御ユニットにおいて個人に供給されるべき現金の量を確認するステップがある。次に個人のバイオメトリック署名が認識されたら個人に現金を供給するステップがある。
【０３６４】
本発明は現金にアクセスする方法に属する。この方法は音響特性を感知するセンサー機構で個人のバイオメトリック署名を認識するステップを含む。次に制御ユニットにおいて個人に供給されるべき現金の量を確認するステップがある。次に個人のバイオメトリック署名が認識されたら個人に現金を供給するステップがある。
【０３６５】
本発明は現金にアクセスする方法に属する。この方法は電気的および／または磁気的特性を感知するセンサー機構で個人のバイオメトリック署名を認識するステップを含む。次に制御ユニットにおいて個人に供給されるべき現金の量を確認するステップがある。次に個人のバイオメトリック署名が認識されたら個人に現金を供給するステップがある。
【０３６６】
本発明は個人を認証する方法に属する。この方法は個人のバイオメトリック署名を発生するために個人がセンサー機構に触るステップを含む。次にセンサー機構を読取装置１７４と通信状態に置くステップがある。次にセンサー機構を読取装置１７４で読み取り、かつバイオメトリック署名から個人を認識するステップがある。
【０３６７】
本発明は個人を認証する方法に属する。この方法は個人のバイオメトリック署名を発生するために個人が特有の特性をもつセンサー機構に触るステップを含む。次にセンサー機構を読取装置１７４と通信状態に置くステップがある。次にセンサー機構を読取装置１７４で読み取り、かつバイオメトリック署名から個人を認識するステップがある。
【０３６８】
本発明は個人を認証する方法に属する。この方法は個人のバイオメトリック署名を発生するために個人が音響特性を感知するセンサー機構に触るステップを含む。次にセンサー機構を読取装置１７４と通信状態に置くステップがある。次にセンサー機構を読取装置１７４で読み取り、かつバイオメトリック署名から個人を認識するステップがある。
【０３６９】
本発明は個人を認証する方法に属する。この方法は個人のバイオメトリック署名を発生するために個人が電気的および／または磁気的特性を感知するセンサー機構に触るステップを含む。次にセンサー機構を読取装置１７４と通信状態に置くステップがある。次にセンサー機構を読取装置１７４で読み取り、かつバイオメトリック署名から個人を認識するステップがある。
【０３７０】
本発明は個人を認証する方法に属する。この方法は個人のバイオメトリック署名を発生するために個人がセンサー機構に触るステップを含む。次に読取装置１７４により、個人のバイオメトリック署名を取り込むためにセンサー機構を読み取り、また既知のバイオメトリック署名を有するメモリー１６２を読み取るステップがある。次にバイオメトリック署名から個人を認識するステップがある。
【０３７１】
本発明は個人を認証する方法に属する。この方法は個人のバイオメトリック署名を発生するために個人が特有の特性をもつセンサー機構に触るステップを含む。次に読取装置１７４により、個人のバイオメトリック署名を取り込むためにセンサー機構を読み取り、また既知のバイオメトリック署名を有するメモリー１６２を読み取るステップがある。次にバイオメトリック署名から個人を認識するステップがある。
【０３７２】
本発明は個人を認証する方法に属する。この方法は個人のバイオメトリック署名を発生するために個人が音響特性を感知するセンサー機構に触るステップを含む。次に読取装置１７４により、個人のバイオメトリック署名を取り込むためにセンサー機構を読み取り、また既知のバイオメトリック署名を有するメモリー１６２を読み取るステップがある。次にバイオメトリック署名から個人を認識するステップがある。
【０３７３】
本発明は個人を認証する方法に属する。この方法は個人のバイオメトリック署名を発生するために個人が電気的および／磁気的特性を感知するセンサー機構に触るステップを含む。次に読取装置１７４により、個人のバイオメトリック署名を取り込むためにセンサー機構を読み取り、また既知のバイオメトリック署名を有するメモリー１６２を読み取るステップがある。次にバイオメトリック署名から個人を認識するステップがある。
【０３７４】
本発明は行為を認可する方法に属する。この方法は個人の顔ではない特徴のための非接触センサーで個人のバイオメトリック署名を認識するステップを含む。次に行為が生じることを許可するステップがある。
【０３７５】
本発明は行為を認可する方法に属する。この方法は個人の顔ではない特徴のための特有の特性を有する非接触センサーで個人のバイオメトリック署名を認識するステップを含む。次に行為が生じることを許可するステップがある。
【０３７６】
本発明は行為を認可する方法に属する。この方法は個人の顔ではない特徴のための音響特性を感知する非接触センサーで個人のバイオメトリック署名を認識するステップを含む。次に行為が生じることを許可するステップがある。
【０３７７】
本発明は行為を認可する方法に属する。この方法は個人の顔ではない特徴のための電気的および／または磁気的特性を感知する非接触センサーで個人のバイオメトリック署名を認識するステップを含む。次に行為が生じることを許可するステップがある。
【０３７８】
本発明は行為を認可する方法に属する。この方法は個人のバイオメトリック署名を取り込むはね上げセンサーをはね上げるステップを含む。次に個人がセンサーを触るステップがある。次にセンサーで取り込まれた個人のバイオメトリック署名を認識するステップがある。次に行為が生じることを許可するステップがある。
【０３７９】
本発明は行為を認可する方法に属する。この方法は個人のバイオメトリック署名を取り込む特有の特性を有するはね上げセンサーをはね上げるステップを含む。次に個人がセンサーを触るステップがある。次にセンサーで取り込まれた個人のバイオメトリック署名を認識するステップがある。次に行為が生じることを許可するステップがある。
【０３８０】
本発明は行為を認可する方法に属する。この方法は個人のバイオメトリック署名を取り込む音響特性を感知するはね上げセンサーをはね上げるステップを含む。次に個人がセンサーを触るステップがある。次にセンサーで取り込まれた個人のバイオメトリック署名を認識するステップがある。次に行為が生じることを許可するステップがある。
【０３８１】
本発明は行為を認可する方法に属する。この方法は個人のバイオメトリック署名を取り込む電気的および／または磁気的特性を感知するはね上げセンサーをはね上げるステップを含む。次に個人がセンサーを触るステップがある。次にセンサーで取り込まれた個人のバイオメトリック署名を認識するステップがある。次に行為が生じることを許可するステップがある。
【０３８２】
本発明は行為を認可する方法に属する。この方法は個人のバイオメトリック署名を取り込む引っ込んだセンサーを個人が触るステップを含む。次にセンサーで取り込まれた個人のバイオメトリック署名を認識するステップがある。次に行為が生じることを許可するステップがある。
【０３８３】
本発明は行為を認可する方法に属する。この方法は個人のバイオメトリック署名を取り込む特有の特性を有する引っ込んだセンサーを個人が触るステップを含む。次にセンサーで取り込まれた個人のバイオメトリック署名を認識するステップがある。次に行為が生じることを許可するステップがある。
【０３８４】
本発明は行為を認可する方法に属する。この方法は個人のバイオメトリック署名を取り込む音響特性を感知する引っ込んだセンサーを個人が触るステップを含む。次にセンサーで取り込まれた個人のバイオメトリック署名を認識するステップがある。次に行為が生じることを許可するステップがある。
【０３８５】
本発明は行為を認可する方法に属する。この方法は個人のバイオメトリック署名を取り込む電気的および／または磁気的特性を感知する引っ込んだセンサーを個人が触るステップを含む。次にセンサーで取り込まれた個人のバイオメトリック署名を認識するステップがある。次に行為が生じることを許可するステップがある。
【０３８６】
本発明は行為を認可する方法に属する。この方法は個人のバイオメトリック署名を取り込むセンサーを有するバイオメトリックＰＡＮシステムで個人のバイオメトリック署名を認識するステップを含む。次に行為が生じることを許可するステップがある。
【０３８７】
本発明は行為を認可する方法に属する。この方法は個人のバイオメトリック署名を取り込む特有の特性をもつセンサーを有するバイオメトリックＰＡＮシステムで個人のバイオメトリック署名を認識するステップを含む。次に行為が生じることを許可するステップがある。
【０３８８】
本発明は行為を認可する方法に属する。この方法は個人のバイオメトリック署名を取り込む音響特性を感知するセンサーを有するバイオメトリックＰＡＮシステムで個人のバイオメトリック署名を認識するステップを含む。次に行為が生じることを許可するステップがある。
【０３８９】
本発明は行為を認可する方法に属する。この方法は個人のバイオメトリック署名を取り込む電気的および／磁気的特性を感知するセンサーを有するバイオメトリックＰＡＮシステムで個人のバイオメトリック署名を認識するステップを含む。次に行為が生じることを許可するステップがある。
【０３９０】
本発明は行為を認可する方法に属する。この方法は個人が発するエネルギーから個人の特性を検出するステップを含む。次にエネルギーから個人のバイオメトリック署名を認識するステップがある。次に行為が生じることを許可するステップがある。
【０３９１】
本発明は図２００に示すように行為を認可する装置に属する。この装置は個人が発するエネルギーから個人のバイオメトリック署名を認識する装置を備える。装置は認識装置が個人のバイオメトリック署名を認識したら行為を許可する装置を備える。許可装置は認識装置に接続される。
【０３９２】
生きた新陳代謝組織は音響的、磁気的、電気的、電磁気的形式を含む多くの異なる形でエネルギーを扱っている。生きた組織は検出可能なエネルギーを生じる。個々の組織が生じるエネルギーパターンはその組織に対して特有である。
【０３９３】
組織のエネルギーパターンは能動的にも受動的にも検出できる。図１１に示すように組織のエネルギーパターンは組織のエネルギーパターンが与えられたエネルギーとどのように相互作用をするかを見ることにより検出される。既知のエネルギーを加え、既知のエネルギーが組織によりどのように変えられるかを調べることにより組織特有のパターンが検出される。図２００と２０７に示すように受動的システムにおいては外部のエネルギー場を加えることなく組織の特有のエネルギーパターンが検出される。電気的および／または磁気的性質が能動的に検出されるか、受動的に検出されるかに関わらず同一の性質がやはり検出されている。
【０３９４】
受動的検出システムの例では、静的な、圧力作動の曲がった検出帯が用いられ、個人がそれに対して額を押し付ける。検出帯は擬似ベクトル情報をもつＥ場プローブを備える。スイス、チューリッヒ、ＣＨ-８０９２、Ｓｗｉｓｓ Ｆｅｄｒａｌ Ｉｎｓｔｉｔｕｔｅ ｏｆ Ｔｅｃｈｎｏｎｏｇｙ (ＥＴＨ)のＫ．Ｐｏｋｏｖｉｃ、Ｔ． Ｓｃｈｍｉｄ、Ｊ．Ｆｒｏｈｌｉｃｈ、 Ｎ． Ｃｈａｖａｎｎｅｓ、 Ｎ． Ｋｕｓｔｅｒによる"Ｅ-Ｆｉｅｌｄ Ｐｒｏｂｅ Ｗｉｔｈ Ｐｓｅｕｄｏ−Ｖｅｃｔｏｒ Ｉｎｆｏｒｍａｔｉｏｎ"を参照のこと。このプローブのタイプは複雑な環境における電場の強度分布の精密測定を可能にし、どのような測定個所においても電場の振幅についての情報も、偏光についての情報も与える。検出帯に数個のプローブを入れることにより数個の個所で測定を行える。
【０３９５】
個人が自分の額を検出帯に押し付けたら、彼らは自分の名前を声に出す。人が自分の名前を発音したときに生じる脳波は運動野、感覚野、音声中枢、感情中枢のような脳の多数の領域に生ずる電気的パターンに基づいた特有のものである。これは検出帯において電場の振幅と偏光の特有なパターンを生じる。
【０３９６】
脳の電気的活動は通常は三つの種類、１）アルファ波、ベータ波のような自然電位、２）喚起された、あるいは事象が関連した電位、３）微小電極で記録される単神経電位、に分けられる（Ｅｌｅｃｔｒｉｃ Ｆｉｅｌｄ ｏｆ ｔｈｅ Ｂｒａｉｎ：Ｔｈｅ Ｎｅｕｒｏｐｈｙｓｉｃｓ ｏｆ ＥＥＦ． Ｐ．Ｌ． Ｎｕｎｅｚ ａｎｄ Ｒ．Ｄ． Ｋａｔｚｎｅｌｓｏｎ，Ｏｘｆｏｒｄ Ｕｎｉｖ． Ｐｒｅｓｓ， １９８１．）。脳の主要構造は脳幹、中脳（視床）、小脳、大脳（大脳皮質を含む）である。皮質は我々の知覚経験の多くにとってきわめて重要である。それは頭皮で測定される電位の大部分を生じると信じられている。
【０３９７】
伝統的には頭皮（皮質）電位は振幅、周波数、空間特性により記述される（Ｅｌｅｃｔｒｉｃ Ｆｉｅｌｄ ｏｆ ｔｈｅ Ｂｒａｉｎ：Ｔｈｅ Ｎｅｕｒｏｐｈｙｓｉｃｓ ｏｆ ＥＥＦ． Ｐ．Ｌ． Ｎｕｎｅｚ ａｎｄ Ｒ．Ｄ． Ｋａｔｚｎｅｌｓｏｎ，Ｏｘｆｏｒｄ Ｕｎｉｖ． Ｐｒｅｓｓ， １９８１．）。どのような特定の個人からの頭皮電位の特有の特性も皮質中の電流源における性質、場所、パターンに依存する。個人からの特有の特性はまた個人の脳、皮膚、頭皮の電気的、構造幾何学的性質にも依存する。
【０３９８】
上記の実施例においては皮質により生じる自然電位および事象関連電位が測定され、脳（二つの半球）、頭蓋骨および頭皮の幾何学的構造を介して送信される。背景の自然電位は個人に対して日により、その気持ち、健康状態に依存して変化するが、本当に自分の名前を言う人により生じる自然電位は重要なＥＥＧマークである。同じ人が異なる言葉を発音したら、二つの名前を言うのに要する筋肉シーケンスが異なるので事象電位は異なる。このようにして個人が一つの名前を言ったときは一つの事象電位をもち、第２の名前を言ったときは異なる事象電位をもつ。従って自然電位と事象関連電位を組合せたものは本当に自分の名前を言う個人に対して特有である。
【０３９９】
さて二人の人が同じ名前をもっていたらどうなるか。どの二人も記憶と運動神経接続の同一のセットを持っていないので彼らの自然電位と事象関連電位の組合せはやはり異なる。また皮質で生じる電場は彼らの異なる脳、頭蓋骨および頭皮を介して送信されるので、たとえ彼らの自然電位と事象関連電位が同一であっても頭皮（額）において検出される電場は異なりかつ特有である。
【０４００】
頭皮測定値は電場の強さと頭皮とセンサー間の距離とに依存して変わる。頭皮においては約０．１〜２００μＶの範囲であり、皮質自身においては約５００μＶである。二極記録、基準平均記録、連結耳基準、分光分析といった種々のプローブとデータ処理技術も用いることができる。ラプラス演算、周波数−波数スペクトル、時間および／または空間領域における直交および／またはベッセル関数、フーリエ変換、マトリックス演算による多チャンネル処理といった種々のプローブおよびデータ処理技術を用いることができる。
【０４０１】
上記の実施例は能動的な電気／磁気および／または音響額センサーシステムと、あるいは音声認識システムと組合せることもできる。それはまた既に能動的システムに関して説明したような携帯型の額装着システムに組み入れることもできる。ハンドユニットあるいは「ハンドパッド・バイオメトリック・インピーダンス・システム」（ＨＢＩＳ）といわれる別の実施例に関しては以下の説明が与えられる。
ＨＢＩＳの要素
１．  Ｄｏｌｃｈ Ｃｏｍｐｕｔｅｒ，Ｉｎｃ．の携帯コンピュータ、ＦｉｅｌｄＰＡＣ
２．  Ｎａｔｉｏｎａｌ ＩｎｓｔｒｕｍｅｎｔｓのＤａｔａ Ａｃｑｕｉｓｉｔｉｏｎ Ｂｏａｒｄ（ＤＡＱボードモデルＰＣＩ−ＭＩＮ−１６Ｅ−１）
３．  ハンドパッドエレクトロニクスボックス
ａ.  被覆ケーブルを介してＤＡＱに接続
ｂ.  手を置くためのボックス上面に組み込まれた６電極
ｃ.  延長コードを介して電極に直接つながるピンをもつ外部コネクタ
ｄ.  広範囲の周波数にわたり変動負荷に対して定電流化をする能動回路
４．  ソフトウェア
ａ．   ＬａｂＶＩＥＷグラフィックコードを実行するＬａｂＶＩＥＷルーチンエンジン
ｂ．  ユーザ仕様に従って手のインピーダンス測定を自動的に行うようにユーザと対話し、ハンドパッドボックスを（ＤＡＱボードを介して）制御するＢｉｏｍｅｔｒｉｃ Ｒｅｃｏｇｎｉｔｉｏｎソースコード（３および５指バージョン）
ｃ．  ＤＡＱボードと実行可能なＬａｂＶＩＥＷの間を干渉するＮＩ−ＤＡＱ
ｄ．  ＤＡＱボード設定を制御し、それを装置番号に関連付ける設定ソフトウェア
変動負荷における定電流化能動回路
図１９９に言及すれば、能動回路は演算増幅器（ＯＡ）の使用を意味する。ＯＡがネガティブフィードバック配置で使用されるとき定電流は達成される。電流路はアナログ出力（ＡＯ）から入力抵抗Ｒ１を通り、フィードバックインピーダンスＲ２または手のいくつかの指を通り、ＯＡの出力端子に行く（信号接地（ＳＧ）を経由しＯＡへの±１５Ｖ電力接続を経由しＤＡＱボードに戻る）。ＯＡの（+）または（−）の端子にはそれらが高インピーダンスのためほとんど電流は流れない。
【０４０２】
ネガティブフィードバックは入力端子が同じ電圧を有することを意味する。（+）端子は地面（ＳＧ）に固定されているので（−）端子いつもはゼロでなければならない。従って回路の電流は一意にＡＯの電圧（ＶＡＯ）割るＲ１で決定される（オームの法則）。Ｉ= ＶＡＯ／Ｒ１。この電流は分離されないのでそのインピーダンスに関係なく手に流れなければならない。従って手のひらの電圧（＝ＯＡの出力電圧、かつ＝手にかかる電圧）は決定される（オームの法則）。即ちＶｐａｌｍ＝Ｉ*Ｚｈａｎｄ。Ｚｈａｎｄに対する式にはソフトウェアにより設定されるＶＡＯ、アナログ入力のチャンネル６において測定されるＶｐａｌｍおよび一定かつ既知のＲ１のみが必要である。
エレクトロニクスの他の要素
コンピュータとハンドパッドボックス間のよい接続があることを確かめるためにＡＩチャンネル１において+５Ｖの電力が感知される。ヒューズがやられていないことを確認するためにＡＩチャンネル０において+５Ｖの電力が感知される。ヒューズされた+５Ｖの電力はＤＣ・ＤＣコンバータを経由してＯＡに電力を供給し、また全てのリレースイッチを駆動するために使用される。回路が組まれる接続ボードはもともと０．８ａｍｐの５ｍｍ ｘ ２０ｍｍヒューズ用であった。私は０．５ａｍｐと１．０ａｍｐヒューズを使用した。ＤＡＱボードに対する損傷が起きるかも知れないので１ａｍｐ以上のものは使用してはいけない。
【０４０３】
デジタル出力（ＤＯ、+５Ｖ＝高、０Ｖ＝低）ラインはリレースイッチをオンオフするトランジスタ（Ｑ）を制御する。トランジスタはそれ自身スイッチであるがＡＣ正弦波のようなバイポーラ信号には適していない。リレースイッチは一度に一つの指に電流を送るために使用される。
【０４０４】
さらなるスイッチが回路を定電圧モードで回路を作動するために使用される。定電圧モードは定電流モードに比べて信頼性がないのでこの特徴はＢｉｏｍｅｔｒｉｃ Ｒｅｃｏｇｎｉｔｉｏｎにおいては生かされない。しかしながらこの特徴はこの試験プログラムではまだ有効である。一つのデジタルラインがＲ１と手のインピーダンスの位置を反転する一対のリレースイッチを制御する。Ｒ１はフィードバック抵抗かつ電流感知抵抗になる。手にかかる電圧はＡＯが一定（ピーク電圧が）なら一定である。
【０４０５】
データが盛んに取り込めないときは別のスイッチがＲ２をフィードバック抵抗として設定する。もしフィードバック抵抗がなかったらＱＡの出力は飽和する。即ち（−）入力端子での電圧を制御し、それを０Ｖにしようとして最大電圧（±１５ボルト）になる。ＯＡが飽和したあと一端有限のフィードバック抵抗が回復したら、それが安定した動作モードを回復するには（リレーのスイッチング時間より長い）時間がかかる。この場合ＤＡＱボードに対する入力を保護するためにＯＡ出力における二重Ｚｅｎｅｒ（Ｚ）ダイオードが電圧を±ボルトの間にクランプする。
【０４０６】
駆動ＡＯ電圧はＡＩチャンネル７において抽出される。ＡＯ電圧は信頼でき、二重チェックの必要はないがＡＩチャンネル７は異なるモードで、すなわち信号接地（ＳＧ）ではなく（−）端子における仮想接地について抽出される。従ってＡＯとＡＩ７間に大きな差があれば仮想接地がなく、ＯＡが安定モードで動作していないことを意味する。そこでデータ測定は無視される。
【０４０７】
浮遊容量は厄介である。それは特に高周波数において電流が分れ、他の回路にバイパスする点を生じる。Ｚｈａｎｄ と並列の容量インピーダンスはより小さな有効フィードバックインピーダンスを許す。従って固定抵抗でさえ周波数が増加すると抵抗を失うように見える。
【０４０８】
別の問題は位相合わせである。ＡＯは（−）端子に対して正弦波電圧を加えるような正弦波を起こす。ＯＡ出力は（−）端子における応答を消去し、それによりそれを一定の０Ｖにするような負の正弦波（あるいは１８０°位相のずれた波）を起こして応答する。フィードバックに容量があると１８０°の位相合わせは狂い、小さな正弦波のリップルが仮想接地に現れる。それは高周波数で大きくなり、もはや安定したフィードバックモードで動作しない。
【０４０９】
この並列容量の原因の一部はＡＩチャンネル６とＡＩチャンネル１４につながる一対の線である。エレクトロニクスボックスの中にある線の周りにシールドを施すと手から地面までの容量をそらすことによりこの問題を緩和する。これはフィードバック回路における数十μＡ（これはＲ１により制限される）に比べて３０ｍＡまで供給できるＯＡからもっと電流を要求することとなる。同様に外部コネクタ（また接続が必要なら外部のハンドパッド）につながる一対の線は浮遊容量を招く。これらもまたシールドされた。それでもまだ周波数に対する固定抵抗インピーダンスからのズレが存在する。手の真の容量が浮遊容量以下である限り浮遊容量は影響しない。
【０４１０】
ユーザは指の組と測定周波数を選択する。能動回路を駆動するアナログ出力（ＡＯ）に送られる正弦波をプログラムは合成する。ＡＩチャンネルでの抽出は１サイクルおよび４サイクル当たり１２点が収集されるように行われる。ＡＩ波形は測定周波数における振幅を決定するためにフーリエ解析される。
【０４１１】
このプログラムの最も困難な部分はＡＯ正弦波に対していくらの振幅を用いるべきかを如何に決定するかであった。用いられる最大振幅は１０ＶでありこれはまたＡＩ入力において抽出できる最大電圧でもある。ＡＯ振幅は同定と確認に必要な精密な再現性を妨げるノイズをなくすためにＡＩ振幅を最大化するように選択されねばならない。
【０４１２】
ＡＯ振幅の選択は定電流が何を意味するかを考慮しなければならない。もともとはそれは全ての周波数、指、インピーダンスに対して同じ電流を意味した。これは最高のインピーダンス（ＡＩ限界を超えない程度に）を測定するためにはＡＯ信号がわずかでなければならいが、そうするとＡＩ信号が他の全ての測定に対して小さすぎることを意味した。従って手のインピーダンスが周波数の減少につれて減少したと仮定すればＡＯ振幅は周波数の関数であった。
【０４１３】
定電流とは手の単一周波数測定に対して手の各指において電流が一定であることを単に意味するとみなされる。手のインピーダンスは唯一の測定とみなされ、個々の指のインピーダンスは唯一の測定要素である。従って同じ周波数で測定する二人の人に対して手の電流は異なる可能性がある。それは同じ周波数で異なる時に測定する同じ人に対して差は少ないけれども異なる可能性がある。
【０４１４】
ＡＯ振幅を選択する方法はＡＩ信号の最大化に基づく。指はそのままわずか１μＡで測定される。最高インピーダンスを持つ指はＡＩ振幅が９．５Ｖ（正確にではないが最大に近い）であるようにＡＯを決定するのに用いられる。ＡＯは固定され、電流は一定であり、測定はより慎重に進む。各指に対して割り当てられた待ち時間において可能な限り多くの回数、４回の測定が行われる。これらの測定の平均が指のインピーダンスであり、それらの標準偏差が統計的誤差である。Ｒ１より大きなインピーダンスに対してＡＯは９．５Ｖ以下である。
【０４１５】
Ｒ１より小さなインピーダンスに対してはＡＯ=９．５Ｖで、電流は常に、全ての周波数、全ての手について一定である。この場合ＡＩは常に９．５Ｖ以下であり、取り込める限り多くの信号が測定される。Ｒ１をできるだけ小さくすることはいみがあるが、一方で大きいインピーダンスを測定するためにはＡＯは小さくされなければならず、正弦波合成の質が影響しはじめる。デジタルポイント間の＜Ｖは２．５ＭＶである。Ｒ１が１０ＫΩと２００ＫΩの間でなければならないというのがその結果である。
【０４１６】
本発明は領域にアクセスする装置に属する。図２０１に示すようにこの装置は個人のバイオメトリック署名を決定する装置２９３を備える。個人がハンドルとロックをつかみあるいは触るときに個人のバイオメトリック署名を取り込むために電極３３３が配置されたドアハンドルを有するドアを装置は備える。装置は電極３３３から個人のバイオメトリック署名を読み取る読取装置１７４を備える。読取装置１７４は決定装置２９３と電極３３３に接続される。装置は個人の既知のバイオメトリック署名を有するメモリー１６２を備える。決定装置２９３はメモリー１６２に接続され、既知のバイオメトリック署名を電極３３３から取り込まれた個人のバイオメトリック署名と比較する。決定装置２９３が個人の既知のバイオメトリック署名から個人のバイオメトリック署名を認識したらロックを開錠する装置３３５を装置は備える。開錠装置は決定装置２９３に接続される。
【０４１７】
図２０２に示すように装置は入室コードが入力されるナンバーキーパッドを含む。キーパッド３９７は決定装置２９３に接続される。メモリー１６２は個人に関連付けられた所定の入室コードを有する。決定装置２９３が個人のバイオメトリック署名を認識し、キーパッド３９７から個人に関連付けられた所定入室コードを受信したら開錠装置３３５はロックを開錠する。
【０４１８】
図２０３に示すように好ましくは電極３３３で個人のバイオメトリック署名を取り込む音響変換器を有する親指フラップをドアハンドルは有する。好ましくは図２０６に示すようにロックはキースロットを有し、キーを含み、音響変換器を含んでも含まなくてもよい。開錠装置３３５はがロックを開錠し、決定装置２９３は個人の既知のバイオメトリック署名から個人のバイオメトリック署名を認識し、キーはキースロットの中にある。図２０５に示すように変換器３３３は好ましくは個人の親指のバイオメトリック署名を取り込み、親指フラップの中にある変換器に接続された親指フラップ読取装置１７４と、決定装置２９３に接続された既知のバイオメトリック署名を有する親指フラップメモリー１６２とを含む。決定装置２９３は親指のバイオメトリック署名を既知の親指のバイオメトリック署名と比較する。決定装置２９３が個人の既知のバイオメトリック署名から個人のバイオメトリック署名を、また既知の親指のバイオメトリック署名から親指のバイオメトリック署名を認識したら開錠装置３３５はロックを開錠する。
【０４１９】
好ましくは決定装置２９３は、個人の既知のバイオメトリック署名をセンサー３３３から取り込まれた個人のバイオメトリックと比較するための、メモリー１６２と読取装置１７４に接続された電極決定装置２９３と、個人の既知の親指のバイオメトリック署名を変換器と親指フラップから取り込まれた個人のバイオメトリックと比較するための、親指フラップメモリー１６２と親指フラップ読取装置１７４に接続された親指フラップ電極決定装置２９３と、電極決定装置２９３と親指フラップ決定装置２９３とに接続されたキースロットと、キースロットに差し込むキーとを含む。図２０４を参照のこと。電極決定装置２９３が個人の既知のバイオメトリック署名から個人のバイオメトリック署名を認識し、親指フラップ決定装置２９３が個人の既知の親指のバイオメトリック署名から個人の親指のバイオメトリック署名を認識したら開錠装置はロックの開錠を許し、ロックを開錠するためにキーをキースロットに中に入れることができる。
【０４２０】
本発明は領域にアクセスする方法に属する。この方法は個人のバイメトリックサインを取り込むためにセンサー３３３が配置されたドアあるいはドアハンドルを個人がつかみあるいは触るステップを含む。次にセンサーから個人のバイオメトリック署名を読み取るステップがある。次に個人の既知のバイオメトリック署名をセンサーから取り込まれた個人のバイオメトリック署名と比較するステップがある。次に個人の既知のバイオメトリック署名から個人のバイオメトリック署名が確認されたらドアのロックを開錠するステップがある。
【０４２１】
好ましくは開錠ステップはナンバーキーパッドに入室コードを入力し、かつ個人のバイオメトリック署名が個人の既知のバイオメトリック署名から認識され、個人に関連付けられた所定の入室コードがキーパッドに入力されたらロックを開錠するステップを含む。開錠ステップは好ましくはドアハンドルの親指フラップの音響変換器を触るステップを含む。他の実施例においてはバーコード、磁気バンド等の所定の入室コードを入力する他の装置を用いてもよい。
【０４２２】
好ましくは開錠ステップはキーをロックのキースロットに差し込み、個人の既知のバイオメトリック署名から個人のバイオメトリック署名が認識され、キーがキースロットに入ったらロックを開錠するステップを含む。開錠ステップは好ましくは個人の親指のバイオメトリック署名を取り込み、親指のバイオメトリック署名を既知の親指のバイオメトリック署名と比較し、個人のバイオメトリック署名が既知のバイオメトリック署名から認識され、親指のバイオメトリック署名が既知の親指のバイオメトリック署名から認識されたらロックを開錠するステップを含む。好ましくは開錠ステップはドアハンドルの親指フラップの音響変換器を触ることにより個人の親指のバイオメトリック署名を取り込み、親指のバイオメトリック署名を既知の親指のバイオメトリック署名と比較し、個人のバイオメトリック署名が既知のバイオメトリック署名から認識され、親指のバイオメトリック署名が既知の親指のバイオメトリック署名から認識され、キーがキースロットに入ったらロックを開錠するステップを含む。
【０４２３】
本発明は行為を認可し、あるいは個人を認識する方法が装置の習慣的動作の一部として実行されることを特徴とする動作的バイオメトリック装置のための方法および装置に属する。
【０４２４】
発明は以上の実施例において例証を目的として詳細に説明されたが、そのような詳細はそのような目的のために過ぎず、前記の請求の範囲によって記述される発明の精神と範囲から逸脱することなく当業者がそこに変更を成し得ることは言うまでもない。
【図面の簡単な説明】
【図１】  本発明の１つの好ましい実施形態を例示するブロック図である。
【図２】  電流発生器に接続された周期的制御装置を例示するブロック図である。
【図３】  本発明のバイオメトリックシステムに取付けた手の絵画的表示である。
【図４】  多重周波数に対しプロットされた電圧測定値の代表的グラフである。
【図５Ａ〜５Ｆ】  インピーダンス及び指に関する対象者のグラフである。
【図６Ａ〜６Ｆ】  インピーダンス及び指に関する対象者のグラフである。
【図７及び８】  キーボード及びマウス内で利用されたバイオメトリック認識システムを例示する変形実施形態を示す。
【図９】  小火器のハンドピースに内蔵された本発明のバイオメトリック認識システムを示す図である。
【図１０】  腕時計バンド内に内蔵されたバイオメトリック認識システムを示す図である。
【図１１】  本発明の方法の流れ図である。
【図１２ａ及び１２ｂ】  本発明の電場中断用非接触型装置の側面図及び上から見た図である。
【図１３】  １つの生体の電気又は磁気特性を検知するための装置の概略的表示である。
【図１４】  生体の磁気特性を検知するための装置の概略図である。
【図１５】  生体内で長さ方向に電流を誘導するための装置の概略図である。
【図１６】  手の付け根から指の先端部まで長さ方向に流れる誘電電流の流れの概略図である。
【図１７】  静止した手に対して誘導電流を測定するための装置の概略図である。
【図１８】  動いている手との関係における誘導電流測定のための装置の概略図である。
【図１９】  電磁場を用いて電流を誘導するための装置の概略図である。
【図２０】  電場及び／又は磁場を用いて電流を誘導するための装置の変形実施形態である。
【図２１】  電磁場の中断を検知するための装置の概略図である。
【図２２】  電磁放射線の反射を介した電気及び／又は磁気特性の検知の概略図である。
【図２３】  電場のみを測定することによる電磁場の中断を測定するための装置の概略的表示である。
【図２４】  電気又は磁気特性を検知するためのハンドピース又はマウスについての回路図である。
【図２５】  電気又は磁気特性を検知するためのハンドピース又はマウスについての回路図である。
【図２６】  電気又は磁気特性を検知するためのハンドピース又はマウスについての回路図である。
【図２７】  電気又は磁気特性を検知するためのハンドピース又はマウスについての回路図である。
【図２８】  電気又は磁気特性を検知するためのハンドピース又はマウスについての回路図である。
【図２９】  電気又は磁気特性を検知するためのハンドピース又はマウスについての回路図である。
【図３０】  電気又は磁気特性を検知するためのハンドピース又はマウスについての回路図である。
【図３１】  電気又は磁気特性を検知するためのハンドピース又はマウスについての回路図である。
【図３２】  電気又は磁気特性を検知するためのハンドピース又はマウスについての回路図である。
【図３３】  電気又は磁気特性を検知するためのハンドピース又はマウスについての回路図である。
【図３４】  ハンドユニットの側面図の概略図である。
【図３５】  ハンドユニットの概略的上面図である。
【図３６】  電極を備えたキーボードの概略図である。
【図３７】  検知用電極を備えたマウスをつかむ手の概略的表示である。
【図３８】  電極を備えたマウスの概略図である。
【図３９】  電極を備えたリストバンドの側面図である。
【図４０】  手のひらから親指までの測定用の電極配置及び電流経路の概略図である。
【図４１】  図４０の電極配置に対応する２次元インピーダンスのプロットである。
【図４２】  手のひらから親指までの後ろから前へのコンデンサプレート測定のための測定部位の概略図である。
【図４３】  図４２の測定部位に対応する単一の周波数における抵抗に関する２次元インピーダンスプロットである。
【図４４】  手のひらから各々の指先までの測定部位の概略図である。
【図４５】  図４４の測定部位からの測定値に関する単一周波数における３次元プロットである。
【図４６】  手のひらから各指先までの４つの異なる周波数における４次元プロットである。
【図４７】  １本の指についての電極の概略図である。
【図４８】  図４７に示されている通りの１本の指についての電極から電極までの単一周波数での３次元プロットである。
【図４９】  各々の指についての電極から電極までの単一の周波数における４次元プロットである。
【図５０】  親指の側面から親指を通過する単一周波数における音響ビームの概略図である。
【図５１】  振幅と時間の関係を示す、図５０のエネルギーの単一周波数での２次元音響プロットである。
【図５２】  音響エネルギーとの関係における親指の場所を変動させながらの、親指中を横向きに通過する単一周波数での音響エネルギーの概略図である。
【図５３】  図５２の３次元エネルギープロットである。
【図５４】  指を通る横向きに測定された４つの異なる周波数での検知されたエネルギーの４次元プロットである。
【図５５】  親指を通って横向きの４つの異なる周波数での正弦、方形及び傾斜波形を伴う５次元エネルギープロットである。
【図５６】  ３つの異なる周波数における各指についての電極から電極までの５次元エネルギープロットである。
【図５７】  ３つの異なる周波数における各指についての電極から電極までの正弦、傾斜及び方形波形を伴う６次元エネルギープロットである。
【図５８】  ４つの異なる周波数における手のひらから各々の指先までの正弦、方形及び傾斜波形を伴う５次元エネルギープロットである。
【図５９】  骨の中の正常な電流を表わす矢印を伴って、骨を描いている。
【図６０】  骨折又は破断により電流が中断されている、骨折又は破断を有する骨を描いている。
【図６１】  骨折又は破断のある骨の中の０という誘導電流読取り値を検流計が示している、概略図である。
【図６２】  健康な骨の中の正常な誘導電流を検流計が示している概略図である。
【図６３】  １cmと１.２５cmの直径の電極を描いている。
【図６４】  電極の拡大断面図である。
【図６５】  電極の側面図である。
【図６６】  フリップアップセンサである。
【図６７】  直流生成用の音響機構を示す。
【図６８】  交流及び磁場の生成のための音響装置を示す。
【図６９】  音響エネルギーによって誘発される直流又は交流の検出用装置を示す。
【図７０】  音響エネルギーによって誘導された交流の検出のための装置を示す。
【図７１】  電気及び／又は磁気エネルギーにより音響波を生成するための装置を示す。
【図７２】  購入を借方記入するための装置の概略図である。
【図７３】  カード及び読取り装置の概略図である。
【図７４】  購入を借方記入するための代替的装置の概略図である。
【図７４ａ】  音響バイオメトリックシステムのスマートカード及び読取り装置の概略図である。
【図７５】  バーコードを伴うコンタクトカードの第１面の概略図である。
【図７５ａ】  音響スマートカードの表面の概略図である。
【図７５ｂ】  図７５のカードの裏面の概略図である。
【図７６】  バーコードを伴うコンタクトカードの側面図である。
【図７７】  バーコードを伴うコンタクトカードのための読取り装置の上面図である。
【図７７ａ】  音響バイオメトリックシステムのカードと読取り装置の概略図である。
【図７８】  バーコードを伴うコンタクトカードのための読取り装置の溝の側面図である。
【図７８ａ】  音響バイオメトリックシステムの無コンタクト音響スマートカード及び読取り装置の概略図である。
【図７９】  コンタクトカード及びメモリーを伴うコンタクトカード用読取り装置の概略図である。
【図７９ａ】  電極スマートカードの表面図である。
【図７９ｂ】  電極スマートカードの裏面図である。
【図８０】  磁気ストリップを伴うコンタクトカードの側面図である。
【図８１】  磁気ストリップを伴うコンタクトカードのもう１方の側面の図である。
【図８２】  センサーを伴うコンタクトカードの側面図である。
【図８３】  図８２のカードのもう１方の面の図である。
【図８４】  共に埋込みマイクロチップをもつコンタクトカードとコンタクトカード用読取り装置の概略図である。
【図８５】  マイクロプロセッサを伴うコンタクトカードとコンタクトカード用読取り装置の概略図である。
【図８６】  バーコード及び磁気ストリップを伴うコンタクトカードの側面図である。
【図８７】  図８６のカードのもう１方の面の図である。
【図８８】  無コンタクトカードの側面図である。
【図８９】  図８８のカードのもう１方の面の図である。
【図９０】  無コンタクトカードとその読取り装置の概略図である。
【図９１】  購入を借方記入するための装置の概略図である。
【図９２及び９２ａ】  １つのアクションを許可するための装置の概略図である。
【図９３】  １つのアクションを許可するための装置の一変形実施形態の概略図である。
【図９４】  同じハウジング内のセンサーと読取り装置を示す概略図である。
【図９５】  別々のハウジング内のセンサーと読取り装置を示す概略図である。
【図９６】  同じハウジング内の読取り装置と決定機構の概略図である。
【図９７】  別々のハウジング内の読取り装置と決定機構を示す概略図である。
【図９８】  同じハウジング内のメモリー及びセンサーを示す概略図である。
【図９９】  同じハウジング内のメモリー及び読取り装置を示す概略図である。
【図１００】  同じハウジング内のメモリー及び決定機構を示す概略図である。
【図１０１】  別々のハウジング内のメモリー及び決定機構を示す概略図である。
【図１０２】  同じハウジング内のセンサー、読取り装置及び決定機構を示す概略図である。
【図１０３】  同じハウジング内のセンサー、読取り装置及びメモリーを示す概略図である。
【図１０４】  同じハウジング内の読取り装置，決定機構及びメモリーを示す概略図である。
【図１０５】  同じハウジング内のセンサー、読取り装置，決定機構及びメモリーを示す概略図である。
【図１０６】  同じハウジング内のセンサー、決定機構及びメモリーを示す概略図である。
【図１０７】  同じハウジング内の決定機構及びアクション機構を示す概略図である。
【図１０８】  別々のハウジング内の決定機構及びアクション機構を示す概略図である。
【図１０９】  ハンドピースとメモリーを伴うＡＴＭの概略図である。
【図１１０】  モデムによりアクセスされるメモリー及びハンドピースを伴うＡＴＭの概略図である。
【図１１１】  パターンデータが比較を目的として銀行コンピュータに通信される、ハンドピースを伴うＡＴＭの概略図である。
【図１１２】  パターンデータ及び既知のパターンメモリが比較を目的としてテラーコンピュータに通信される、テラーハンドピースの概略図である。
【図１１３】  比較を目的としてパターンデータがテラーコンピュータに通信される、テラーハンドピースの概略図である。
【図１１４】  音響センサーを伴う銀行カードの概略図である。
【図１１５】  キーボード電極をもつホームコンピュータの概略図である。
【図１１６】  タッチレスＣ−アーム電気センサーをもつキオスクの概略図である。
【図１１７】  カジノコンピュータ内のメモリーを伴うカジノ電極の概略図である。
【図１１８】  カード内のメモリーを伴うカジノ電極カードの概略図である。
【図１１９】  読取り装置を伴うメモリーをもつカジノ電極カードの概略図である。
【図１２０】  決定用ユニット内の該パターンメモリを伴うカジノセンサー／読取り装置の概略図である。
【図１２１】  音響トランスジューサマウスを伴うホストコンピュータの概略図である。
【図１２２】  カジノ室の扉の取っ手の概略図である。
【図１２３】  ビデオアーケード用リストバンドの概略図である。
【図１２４及び１２４ａ】  ユーティリティボックスの概略図である。
【図１２５】  センサーカード読取り装置をもつ家庭用電気メータの概略図である。
【図１２６】  タッチレス磁気掃引ハンドセンサーを伴う家庭用電気メータの概略図である。
【図１２７】  比較を目的として地下鉄コンピュータにデータが通信される、地下鉄コンピュータハンドピースの概略図である。
【図１２８】  音響、バイオメトリック及び赤外線送信機を伴う有料道路コンピュータユニットの概略図である。
【図１２９】  電極記憶値スマートカードを伴う母線ユニットの概略図である。
【図１３０】  公衆電話ユニットの概略図である。
【図１３１】  公衆電話ユニットの概略図である。
【図１３１ａ】  電極式公衆電話の斜視図である。
【図１３１ｂ】  図１３１ａの公衆電話の後方図である。
【図１３２】  タッチレスマイクロ波電話の概略図である。
【図１３２ａ】  図１３２の公衆電話の斜視図である。
【図１３３】  電子支払い許可のためのユニットの概略図である。
【図１３４】  ＭＳＡ電極カード及び読取り装置の概略図である。
【図１３５】  口座及びバイオメトリック情報を記憶するＭＳＡスマートカードと読取り装置の概略図である。
【図１３６】  電極式携帯電話の概略図である。
【図１３７】  フリップアップ電極センサーを伴う携帯ビデオ電話の概略図である。
【図１３８】  テレビロックアウトハンドピースユニットの概略図である。
【図１３８ａ】  バイオメトリックロックを伴うテレビの斜視図である。
【図１３８ｂ】  バイオメトリックロックをもつラジオの斜視図である。
【図１３９】  有料テレビの電極カードの概略図である。
【図１４０】  有料テレビタッチレス電場センサー／読取り装置の概略図である。
【図１４１】  航空機チェックインハンドユニットの概略図である。
【図１４２】  航空機遠隔チェックインハンドユニットの概略図である。
【図１４３】  航空機タッチレスチェックインハンドユニット及びメモリスティックの概略図である。
【図１４４】  メモリスティックを伴う航空機タッチレス遠隔チェックインハンドユニットの概略図である。
【図１４５】  税関電子／センサーパスポートユニットの概略図である。
【図１４６】  税関タッチレス及び無コンタクト電子パスポートの概略図である。
【図１４７】  証券仲買業無線ＰＣ取引ユニットの概略図である。
【図１４８】  証券仲買業無線ＰＣ取引ユニットの概略図である。
【図１４８ａ】  センサーユニットをもつラップトップコンピュータの斜視図である。
【図１４８ｂ】  図１４８ａのセンサーユニットの拡大図である。
【図１４８ｃ】  図１４８ｂのセンサーユニットの側面図である。
【図１４９】  換金ポイント用に使用される小売り電極カードユニットの概略図である。
【図１５０】  図１４９の小売り電極カードユニットの遠隔バージョンの概略図である。
【図１５１】  タッチレスを備えた小売り電極カードの概略図である。
【図１５２】  スマートカード運転免許証の概略図である。
【図１５３】  スマートカードパスポートの概略図である。
【図１５４】  コンピュータ室アクセスユニットの概略図である。
【図１５５】  セキュリティールームアクセスユニットの概略図である。
【図１５６】  センサースマート識別カードの概略図である。
【図１５７】  従業員アクセス監視及び時刻追跡ユニットの概略図である。
【図１５８】  電子医療記録ノートパッドの概略図である。
【図１５８ａ及び１５８ｂ】  電子医療記録ノートパッドの斜視図である。
【図１５９】  スマートセンサリストバンドの概略図である。
【図１６０】  社会福祉事業カードの概略図である。
【図１６１】  バイオメトリック手袋の概略図である。
【図１６１ａ及び１６１ｂ】  バイオメトリック手袋の斜視図である。
【図１６２】  ソフトウェアライセンス付与ユニットの概略図である。
【図１６２ａ及び１６２ｂ】  センサーをもつマウスの概略図である。
【図１６２ｃ】  マウスセンサーの拡大側面図である。
【図１６３】  離散的バイオメトリックロックの概略図である。
【図１６３ａ，１６３ｂ，１６３ｃ及び１６３ｄ】  電極センサーを伴う扉の取っ手の概略図である。
【図１６３ｅ，１６３ｆ，１６３ｇ及び１６３ｈ】  音響センサーを伴う扉の取っ手の概略図である。
【図１６４】  複合バイオメトリックロックの概略図である。
【図１６５】  多重バイオメトリックロックの概略図である。
【図１６６】  オプションのバイオメトリックロックの概略図である。
【図１６７】  もう１つのオプションのバイオメトリックロックの概略図である。
【図１６８】  もう１つの多重バイオメトリックロックの概略図である。
【図１６９】  実験室アクセスユニットの概略図である。
【図１７０】  扉の取っ手電極の概略図である。
【図１７０ａ】  電極を伴う扉の取っ手の斜視図である。
【図１７１】  制限データベースアクセスユニットの概略図である。
【図１７１ａ】  シェルハンドピースを取付ける制限アクセスデータベースを有するモニターの斜視図であり、一方図１７１ｂはシェルハンドピースの側面図である。
【図１７２】  配電網電力の無い遠隔サイト出入り扉ロックユニットの概略図である。
【図１７３】  武器安全保護装置の概略図である。
【図１７４】  閉鎖された地所内へのアクセスユニットの概略図である；
【図１７５】  薬剤戸棚アクセスユニットの概略図である。
【図１７６】  ＰＡＮを用いた薬剤戸棚アクセスユニットの概略図である。
【図１７７】  前頭バイオメトリック検知ユニットをもつ医療記録アクセスユニットの概略図である。
【図１７７ａ及び１７７ｂ】  センサー仮想スクリーンメガネ検知ユニットの２つの形態の上面図である。
【図１７８】  コンピュータハードウェアアクセスユニットの概略図である。
【図１７８ａ】  スカラップ形電子カードの上面図である。
【図１７９】  ポータブル式テレビ又はラジオユニットの概略図である。
【図１８０】  ＡＴＭハードウェアアクセスユニットの概略図である。
【図１８１】  乗物ステアリングホイールユニットの概略図である。
【図１８２】  乗物扉アクセスユニットの概略図である。
【図１８２ａ及び１８２ｂ】  バイオメトリック乗物ステアリングホイールユニットの前面図である。
【図１８３】  乗物センサーキーアクセスユニットの概略図である。
【図１８３ａ】  乗物センサーのキーの側面図である。
【図１８３ｂ】  乗物センサーのキー読取り装置の側面図である。
【図１８４】  アンクルバンド自宅拘束ユニットの概略図である。
【図１８５】  船上乗組員位置探査システムの概略図である。
【図１８５ａ，１８５ｂ及び１８５ｃ】  無コンタクト音響バンドユニットの図である。
【図１８５ｄ，１８５ｅ及び１８５ｆ】  無コンタクト電極時計ユニットの図である。
【図１８６】  ＧＰＳ位置探査／確認ユニットの概略図である。
【図１８７】  遠隔制御バイオメトリックユニットの概略図である。
【図１８８】  ＭＳＡトランスジューサカード読取り装置の概略図である。
【図１８９】  成形されたトランスジューサを伴う携帯ビデオ電話の概略図である。
【図１９０】  有料テレビトランスジューサカード読取り装置の概略図である。
【図１９１】  キャッシュレジスタの音響ハンドピースの概略図である。
【図１９２】  運転免許証読取り装置ユニットの概略図である。
【図１９３】  スマートカード読取り装置の概略図である。
【図１９４】  マウスセンサーの概略図である。
【図１９５】  カードＡＴＭ読取り装置−ＡＴＭコンピュータの概略図である。
【図１９６】  カード無線カーシステムの概略図である。
【図１９７】  アンクルバンドセンサーの概略図である。
【図１９８】  ハンドピース電気回路の詳細配線図である。
【図１９９】  ハンドピース電気回路の詳細配線図である。
【図２００】  １つのアクションを許可するための装置の一変形実施形態のブロック図である。
【図２０１】  離散的バイオメトリックロックシステムの概略図である。
【図２０２】  複合型バイオメトリックロックシステムの概略図である。
【図２０３】  多重バイオメトリックロックシステムの概略図である。
【図２０４】  複合型多重バイオメトリックロックシステムの概略図である。
【図２０５】  オプションの多重バイオメトリックロックシステムの概略図である。
【図２０６】  オプションの複合型バイオメトリックロックシステムの概略図である。
【図２０７】  １つのアクションを許可するための装置のもう１つの実施形態の概略図である。
【図１】
0003930319.tif 000002
【図２】
0003930319.tif 000003
【図３】
0003930319.tif 000004
【図４】
0003930319.tif 000005
【図５Ａ】
0003930319.tif 000006
【図５Ｂ】
0003930319.tif 000007
【図５Ｃ】
0003930319.tif 000008
【図５Ｄ】
0003930319.tif 000009
【図５Ｅ】
0003930319.tif 000010
【図５Ｆ】
0003930319.tif 000011
【図６Ａ】
0003930319.tif 000012
【図６Ｂ】
0003930319.tif 000013
【図６Ｃ】
0003930319.tif 000014
【図６Ｄ】
0003930319.tif 000015
【図６Ｅ】
0003930319.tif 000016
【図７】
0003930319.tif 000017
【図８】
0003930319.tif 000018
【図９】
0003930319.tif 000019
【図１０】
0003930319.tif 000020
【図１１】
0003930319.tif 000021
【図１２ａ】
0003930319.tif 000022
【図１２ｂ】
0003930319.tif 000023
【図１３】
0003930319.tif 000024
【図１４】
0003930319.tif 000025
【図１５】
0003930319.tif 000026
【図１６】
0003930319.tif 000027
【図１７ａ】
0003930319.tif 000028
【図１７ｂ】
0003930319.tif 000029
【図１８ａ】
0003930319.tif 000030
【図１８ｂ】
0003930319.tif 000031
【図１９】
0003930319.tif 000032
【図２０】
0003930319.tif 000033
【図２１】
0003930319.tif 000034
【図２２】
0003930319.tif 000035
【図２３】
0003930319.tif 000036
【図２４】
0003930319.tif 000037
【図２５ａ】
0003930319.tif 000038
【図２５ｂ】
0003930319.tif 000039
【図２５ｃ】
0003930319.tif 000040
【図２５ｄ】
0003930319.tif 000041
【図２６ａ】
0003930319.tif 000042
【図２６ｂ】
0003930319.tif 000043
【図２６ｃ】
0003930319.tif 000044
【図２６ｄ】
0003930319.tif 000045
【図２７】
0003930319.tif 000046
【図２８】
0003930319.tif 000047
【図２９】
0003930319.tif 000048
【図３０】
0003930319.tif 000049
【図３１】
0003930319.tif 000050
【図３２】
0003930319.tif 000051
【図３３】
0003930319.tif 000052
【図３４】
0003930319.tif 000053
【図３５】
0003930319.tif 000054
【図３６】
0003930319.tif 000055
【図３７】
0003930319.tif 000056
【図３８】
0003930319.tif 000057
【図３９】
0003930319.tif 000058
【図４０】
0003930319.tif 000059
【図４１】
0003930319.tif 000060
【図４２】
0003930319.tif 000061
【図４３】
0003930319.tif 000062
【図４４】
0003930319.tif 000063
【図４５】
0003930319.tif 000064
【図４６】
0003930319.tif 000065
【図４７】
0003930319.tif 000066
【図４８】
0003930319.tif 000067
【図４９】
0003930319.tif 000068
【図５０】
0003930319.tif 000069
【図５１】
0003930319.tif 000070
【図５２】
0003930319.tif 000071
【図５２ａ】
0003930319.tif 000072
【図５２ｂ】
0003930319.tif 000073
【図５２ｃ】
0003930319.tif 000074
【図５２ｄ】
0003930319.tif 000075
【図５３】
0003930319.tif 000076
【図５４】
0003930319.tif 000077
【図５５】
0003930319.tif 000078
【図５６】
0003930319.tif 000079
【図５７】
0003930319.tif 000080
【図５８】
0003930319.tif 000081
【図５９】
0003930319.tif 000082
【図６０】
0003930319.tif 000083
【図６１】
0003930319.tif 000084
【図６２】
0003930319.tif 000085
【図６３】
0003930319.tif 000086
【図６４】
0003930319.tif 000087
【図６５】
0003930319.tif 000088
【図６６】
0003930319.tif 000089
【図６７】
0003930319.tif 000090
【図６８】
0003930319.tif 000091
【図６９】
0003930319.tif 000092
【図７０】
0003930319.tif 000093
【図７１】
0003930319.tif 000094
【図７２】
0003930319.tif 000095
【図７３】
0003930319.tif 000096
【図７４】
0003930319.tif 000097
【図７４ａ】
0003930319.tif 000098
【図７５ａ】
0003930319.tif 000099
【図７５ｂ】
0003930319.tif 000100
【図７５】
0003930319.tif 000101
【図７６】
0003930319.tif 000102
【図７７】
0003930319.tif 000103
【図７８】
0003930319.tif 000104
【図７７ａ】
0003930319.tif 000105
【図７８ａ】
0003930319.tif 000106
【図７９】
0003930319.tif 000107
【図７９ａ】
0003930319.tif 000108
【図７９ｂ】
0003930319.tif 000109
【図８０】
0003930319.tif 000110
【図８１】
0003930319.tif 000111
【図８２】
0003930319.tif 000112
【図８３】
0003930319.tif 000113
【図８４】
0003930319.tif 000114
【図８５】
0003930319.tif 000115
【図８６】
0003930319.tif 000116
【図８７】
0003930319.tif 000117
【図８８】
0003930319.tif 000118
【図８９】
0003930319.tif 000119
【図９０】
0003930319.tif 000120
【図９１】
0003930319.tif 000121
【図９２ａ】
0003930319.tif 000122
【図９２】
0003930319.tif 000123
【図９３】
0003930319.tif 000124
【図９４】
0003930319.tif 000125
【図９５】
0003930319.tif 000126
【図９６】
0003930319.tif 000127
【図９７】
0003930319.tif 000128
【図９８】
0003930319.tif 000129
【図９９】
0003930319.tif 000130
【図１００】
0003930319.tif 000131
【図１０１】
0003930319.tif 000132
【図１０２】
0003930319.tif 000133
【図１０３】
0003930319.tif 000134
【図１０４】
0003930319.tif 000135
【図１０５】
0003930319.tif 000136
【図１０６】
0003930319.tif 000137
【図１０７】
0003930319.tif 000138
【図１０８】
0003930319.tif 000139
【図１０９】
0003930319.tif 000140
【図１１０】
0003930319.tif 000141
【図１１１】
0003930319.tif 000142
【図１１２】
0003930319.tif 000143
【図１１３】
0003930319.tif 000144
【図１１４】
0003930319.tif 000145
【図１１５】
0003930319.tif 000146
【図１１６】
0003930319.tif 000147
【図１１７】
0003930319.tif 000148
【図１１８】
0003930319.tif 000149
【図１１９】
0003930319.tif 000150
【図１２０】
0003930319.tif 000151
【図１２１】
0003930319.tif 000152
【図１２２】
0003930319.tif 000153
【図１２３】
0003930319.tif 000154
【図１２４】
0003930319.tif 000155
【図１２４ａ】
0003930319.tif 000156
【図１２５】
0003930319.tif 000157
【図１２６】
0003930319.tif 000158
【図１２７】
0003930319.tif 000159
【図１２８】
0003930319.tif 000160
【図１２９】
0003930319.tif 000161
【図１３０】
0003930319.tif 000162
【図１３１】
0003930319.tif 000163
【図１３１ａ】
0003930319.tif 000164
【図１３１ｂ】
0003930319.tif 000165
【図１３２】
0003930319.tif 000166
【図１３２ａ】
0003930319.tif 000167
【図１３３】
0003930319.tif 000168
【図１３４】
0003930319.tif 000169
【図１３５】
0003930319.tif 000170
【図１３６】
0003930319.tif 000171
【図１３７】
0003930319.tif 000172
【図１３８】
0003930319.tif 000173
【図１３８ａ】
0003930319.tif 000174
【図１３８ｂ】
0003930319.tif 000175
【図１３９】
0003930319.tif 000176
【図１４０】
0003930319.tif 000177
【図１４１】
0003930319.tif 000178
【図１４２】
0003930319.tif 000179
【図１４３】
0003930319.tif 000180
【図１４４】
0003930319.tif 000181
【図１４５】
0003930319.tif 000182
【図１４６】
0003930319.tif 000183
【図１４７】
0003930319.tif 000184
【図１４８】
0003930319.tif 000185
【図１４８ａ】
0003930319.tif 000186
【図１４８ｂ】
0003930319.tif 000187
【図１４８ｃ】
0003930319.tif 000188
【図１４９】
0003930319.tif 000189
【図１５０】
0003930319.tif 000190
【図１５１】
0003930319.tif 000191
【図１５２】
0003930319.tif 000192
【図１５３】
0003930319.tif 000193
【図１５４】
0003930319.tif 000194
【図１５５】
0003930319.tif 000195
【図１５６】
0003930319.tif 000196
【図１５７】
0003930319.tif 000197
【図１５８】
0003930319.tif 000198
【図１５８ｂ】
0003930319.tif 000199
【図１５８ｃ】
0003930319.tif 000200
【図１５９】
0003930319.tif 000201
【図１６０】
0003930319.tif 000202
【図１６１】
0003930319.tif 000203
【図１６１ａ】
0003930319.tif 000204
【図１６１ｂ】
0003930319.tif 000205
【図１６２】
0003930319.tif 000206
【図１６２ａ】
0003930319.tif 000207
【図１６２ｂ】
0003930319.tif 000208
【図１６２ｃ】
0003930319.tif 000209
【図１６３】
0003930319.tif 000210
【図１６３ａ】
0003930319.tif 000211
【図１６３ｂ】
0003930319.tif 000212
【図１６３ｃ】
0003930319.tif 000213
【図１６３ｄ】
0003930319.tif 000214
【図１６３ｅ】
0003930319.tif 000215
【図１６３ｆ】
0003930319.tif 000216
【図１６３ｇ】
0003930319.tif 000217
【図１６３ｈ】
0003930319.tif 000218
【図１６４】
0003930319.tif 000219
【図１６５】
0003930319.tif 000220
【図１６６】
0003930319.tif 000221
【図１６７】
0003930319.tif 000222
【図１６８】
0003930319.tif 000223
【図１６９】
0003930319.tif 000224
【図１７０】
0003930319.tif 000225
【図１７０ａ】
0003930319.tif 000226
【図１７１】
0003930319.tif 000227
【図１７１ａ】
0003930319.tif 000228
【図１７１ｂ】
0003930319.tif 000229
【図１７２】
0003930319.tif 000230
【図１７３】
0003930319.tif 000231
【図１７４】
0003930319.tif 000232
【図１７５】
0003930319.tif 000233
【図１７６】
0003930319.tif 000234
【図１７７】
0003930319.tif 000235
【図１７７ａ】
0003930319.tif 000236
【図１７７ｂ】
0003930319.tif 000237
【図１７８】
0003930319.tif 000238
【図１７８ａ】
0003930319.tif 000239
【図１７９】
0003930319.tif 000240
【図１８０】
0003930319.tif 000241
【図１８１】
0003930319.tif 000242
【図１８２】
0003930319.tif 000243
【図１８２ａ】
0003930319.tif 000244
【図１８２ｂ】
0003930319.tif 000245
【図１８３】
0003930319.tif 000246
【図１８３ａ】
0003930319.tif 000247
【図１８３ｂ】
0003930319.tif 000248
【図１８４】
0003930319.tif 000249
【図１８５】
0003930319.tif 000250
【図１８５ａ】
0003930319.tif 000251
【図１８５ｂ】
0003930319.tif 000252
【図１８５ｃ】
0003930319.tif 000253
【図１８５ｄ】
0003930319.tif 000254
【図１８５ｅ】
0003930319.tif 000255
【図１８５ｆ】
0003930319.tif 000256
【図１８６】
0003930319.tif 000257
【図１８７】
0003930319.tif 000258
【図１８８】
0003930319.tif 000259
【図１８９】
0003930319.tif 000260
【図１９０】
0003930319.tif 000261
【図１９１】
0003930319.tif 000262
【図１９２】
0003930319.tif 000263
【図１９３】
0003930319.tif 000264
【図１９４】
0003930319.tif 000265
【図１９５】
0003930319.tif 000266
【図１９６】
0003930319.tif 000267
【図１９７】
0003930319.tif 000268
【図１９８】
0003930319.tif 000269
【図１９９】
0003930319.tif 000270
【図２００】
0003930319.tif 000271
【図２０１】
0003930319.tif 000272
【図２０２】
0003930319.tif 000273
【図２０３】
0003930319.tif 000274
【図２０４】
0003930319.tif 000275
【図２０５】
0003930319.tif 000276
【図２０６】
0003930319.tif 000277
【図２０７】
0003930319.tif 000278